(57)【要約】  本願は、車載用のサービス相互作用システムに適用されるトラフィック統計収集方法およびデバイスを開示する。本願の方法は、車載インフォテインメントＩＶＩシステムが第１のサービスを実行する場合、テレマティクスボックスＴ−ｂｏｘが、第１のプライベートＩＰアドレスを用いて前記ＩＶＩと通信する段階と、前記Ｔ−ｂｏｘが、第１のプライベートＩＰに対応する第１のＡＰＮと前記第１の外部ＩＰアドレスとを用いてテレマティクスサービスプロバイダＴＳＰと通信する段階と、前記ＩＶＩが第２のサービスを実行する場合、前記Ｔ−ｂｏｘが、第２のプライベートＩＰアドレスを用いて前記ＩＶＩと通信する段階と、前記Ｔ−ｂｏｘが、前記第２のプライベートＩＰアドレスに対応する第２のＡＰＮと第２の外部ＩＰアドレスとを用いて前記ＴＳＰと通信する段階とを含む。
2020532161.tif 000002
【特許請求の範囲】
【請求項１】
車載用のサービス相互作用システムに適用されるトラフィック統計収集方法であって、
車載インフォテインメントＩＶＩシステムが第１のサービスを実行する場合、テレマティクスボックスＴ−ｂｏｘが、第１のプライベートＩＰアドレスを用いて前記ＩＶＩと通信する段階と、
前記Ｔ−ｂｏｘが、前記第１のプライベートＩＰアドレスに対応する第１のＡＰＮと第１の外部ＩＰアドレスとを用いてコンテンツプロバイダＴＳＰと通信する段階と、
前記ＩＶＩが第２のサービスを実行する場合、前記Ｔ−ｂｏｘが、第２のプライベートＩＰアドレスを用いて前記ＩＶＩと通信する段階と、
前記Ｔ−ｂｏｘが、前記第２のプライベートＩＰアドレスに対応する第２のＡＰＮと第２の外部ＩＰアドレスとを用いて前記ＴＳＰと通信する段階と
を備える、方法。
【請求項２】
前記方法はさらに、
前記Ｔ−ｂｏｘが、前記コンテンツプロバイダＴＳＰにより送信される設定メッセージを前記ＩＶＩに転送する段階であって、前記設定メッセージは、前記第１のサービスは前記第１のＡＰＮに対応し、前記第２のサービスは前記第２のＡＰＮに対応するという内容を含む、転送する段階を備える、
請求項１に記載の方法。
【請求項３】
前記Ｔ−ｂｏｘは、Ｗｉ−ＦｉまたはＵＳＢによって前記ＩＶＩに接続される、
請求項１または２に記載の方法。
【請求項４】
前記第１のサービスまたは前記第２のサービスは、トラフィックフリーサービスまたはトラフィック課金サービスである、
請求項１から３の何れか一項に記載の方法。
【請求項５】
前記方法はさらに、
前記Ｔ−ｂｏｘが、前記第１のプライベートＩＰアドレスと前記第１のＡＰＮと前記第１の外部ＩＰアドレスとが対応し、前記第２のプライベートＩＰアドレスと前記第２のＡＰＮと前記第２の外部ＩＰアドレスが対応することを決定する段階を備える、
請求項１から４の何れか一項に記載の方法。
【請求項６】
前記方法はさらに、前記Ｔ−ｂｏｘが、前記第１のプライベートＩＰアドレスと前記第２のプライベートＩＰアドレスとを前記ＩＶＩに割り当てる段階を備える、
請求項１から５の何れか一項に記載の方法。
【請求項７】
車載用のサービス相互作用システムに適用されるトラフィック統計収集方法であって、
ＩＶＩが第１のサービスを実行する場合、前記ＩＶＩが、第１のプライベートＩＰアドレスを用いて前記Ｔ−ｂｏｘと通信することにより、前記Ｔ−ｂｏｘが、前記第１のプライベートＩＰアドレスに対応する第１のＡＰＮと第１の外部ＩＰアドレスとを用いてコンテンツプロバイダＴＳＰと通信する段階と、
前記ＩＶＩが第２のサービスを実行する場合、前記ＩＶＩが、第２のプライベートＩＰアドレスを用いて前記Ｔ−ｂｏｘと通信することにより、前記Ｔ−ｂｏｘが、前記第２のプライベートＩＰアドレスに対応する第２のＡＰＮと第２の外部ＩＰアドレスとを用いて前記ＴＳＰと通信する段階と
を備える、方法。
【請求項８】
前記方法はさらに、
前記ＩＶＩが、前記ＴＳＰにより送信され、かつ前記Ｔ−ｂｏｘにより転送される設定メッセージを受信する段階であって、前記設定メッセージは、前記第１のサービスが前記第１のＡＰＮに対応し、前記第２のサービスが前記第２のＡＰＮに対応する内容を含む、受信する段階を備える、
請求項７に記載の方法。
【請求項９】
前記Ｔ−ｂｏｘは、Ｗｉ−ＦｉまたはＵＳＢによって前記ＩＶＩに接続される、
請求項７または８に記載の方法。
【請求項１０】
前記第１のサービスまたは前記第２のサービスは、トラフィックフリーサービスとトラフィック課金サービスとである、
請求項７から９の何れか一項に記載の方法。
【請求項１１】
前記方法はさらに、前記ＩＶＩが、前記Ｔ−ｂｏｘにより割り当てられた前記第１のプライベートＩＰアドレスと前記第２のプライベートＩＰアドレスとを受信する段階を備える、
請求項７から１０の何れか一項に記載の方法。
【請求項１２】
前記方法はさらに、
前記ＩＶＩが、前記第１のプライベートＩＰアドレスは前記第１のＡＰＮに対応し、前記第２のプライベートＩＰアドレスは前記第２のＡＰＮに対応することを決定する段階を備える、
請求項７から１１の何れか一項に記載の方法。
【請求項１３】
車載用のサービス相互作用システムに適用されるテレマティクスボックスであって、
ＩＶＩが第１のサービスを実行する場合、第１のプライベートＩＰアドレスを用いて前記ＩＶＩと通信するように構成されたプライベートネットワーク通信モジュールと、
前記第１のプライベートＩＰアドレスに対応する第１のＡＰＮと第１の外部ＩＰアドレスとを用いてコンテンツプロバイダＴＳＰと通信するように構成される外部ネットワーク通信モジュールと
を備え、
前記プライベートネットワーク通信モジュールはさらに、前記ＩＶＩが第２のサービスを実行する場合、第２のプライベートＩＰアドレスを用いて前記ＩＶＩと通信するように構成され、前記外部ネットワーク通信モジュールはさらに、前記第２のプライベートＩＰアドレスに対応する第２のＡＰＮと第２の外部ＩＰアドレスとを用いて前記ＴＳＰと通信するように構成される、
テレマティクスボックス。
【請求項１４】
前記テレマティクスボックスはさらに、
前記ＴＳＰにより送信された設定メッセージを前記ＩＶＩに転送するように構成された送受信モジュールを備え、前記設定メッセージは、前記第１のサービスは前記第１のＡＰＮに対応し、前記第２のサービスは前記第２のＡＰＮに対応するという内容を含む、
請求項１３に記載のテレマティクスボックス。
【請求項１５】
前記テレマティクスボックスはさらに、
前記第１のプライベートＩＰアドレスと前記第１のＡＰＮと前記第１の外部ＩＰアドレスとが互いに対応し、前記第２のプライベートＩＰアドレスと前記第２のＡＰＮと前記第２の外部ＩＰアドレスとが互いに対応することを決定するように構成されるプロセッサを備える、
請求項１３または１４に記載のテレマティクスボックス。
【請求項１６】
前記プロセッサはさらに、前記第１のプライベートＩＰアドレスと前記第２のプライベートＩＰアドレスとを前記ＩＶＩに割り当てるように構成される、
請求項１３から１５の何れか一項に記載のテレマティクスボックス。
【請求項１７】
車載用のサービス相互作用システムに適用される車載インフォテインメントシステムであって、
第１のサービスおよび／または第２のサービスを実行するように構成されるプロセッサと、
前記プロセッサが前記第１のサービスを実行する場合、第１のプライベートＩＰアドレスを用いてＴ−ｂｏｘと通信することにより、前記Ｔ−ｂｏｘが、前記第１のプライベートＩＰアドレスに対応する第１のＡＰＮと第１の外部ＩＰアドレスとを用いてコンテンツプロバイダＴＳＰと通信するように構成される通信モジュールと
を備え、
前記通信モジュールはさらに、前記プロセッサが前記第２のサービスを実行する場合、第２のプライベートＩＰアドレスを用いて前記Ｔ−ｂｏｘと通信することにより、前記Ｔ−ｂｏｘが前記第２のプライベートＩＰアドレスに対応する第２のＡＰＮと第２の外部ＩＰアドレスとを用いて前記ＴＳＰと通信するように構成される、
車載インフォテインメントシステム。
【請求項１８】
前記車載インフォテインメントシステムはさらに、
前記ＴＳＰにより送信され、かつ前記Ｔ−ｂｏｘにより転送される設定メッセージを受信するように構成される送受信モジュールを備え、前記設定メッセージは、前記第１のサービスは前記第１のＡＰＮに対応し、前記第２のサービスは前記第２のＡＰＮに対応する内容を含む、
請求項１７に記載の車載インフォテインメントシステム。
【請求項１９】
前記送受信モジュールはさらに、
前記Ｔ−ｂｏｘにより割り当てられた前記第１のプライベートＩＰアドレスと前記第２のプライベートＩＰアドレスとを受信するように構成される、
請求項１７または１８に記載の車載インフォテインメントシステム。
【請求項２０】
前記プロセッサはさらに、前記第１のプライベートＩＰアドレスが前記第１のＡＰＮに対応し、前記第２のプライベートＩＰアドレスが前記第２のＡＰＮに対応することを決定するように構成される、
請求項１７から１９の何れか一項に記載の車載インフォテインメントシステム。
【請求項２１】
車載用のサービス相互作用システムに適用されるテレマティクスボックスであって、
１つまたは複数のプロセッサと、
メモリと、
複数のアプリケーションプログラムと、
１つまたは複数のプログラムと
を備え、
前記１つまたは複数のプログラムは前記メモリに記憶され、前記１つまたは複数のプログラムは命令を含み、前記命令が前記電子デバイスにより実行される場合、前記電子デバイスは、
車載インフォテインメントＩＶＩシステムが第１のサービスを実行する場合、第１のプライベートＩＰアドレスを用いて前記ＩＶＩと通信する段階と、
前記第１のプライベートＩＰアドレスに対応する第１のＡＰＮと第１の外部ＩＰアドレスとを用いてコンテンツプロバイダＴＳＰと通信する段階と、
前記ＩＶＩが第２のサービスを実行する場合、第２のプライベートＩＰアドレスを用いて前記ＩＶＩと通信する段階と、
前記第２のプライベートＩＰアドレスに対応する第２のＡＰＮと第２の外部ＩＰアドレスとを用いて前記ＴＳＰと通信する段階と
を実行することが可能になる、
テレマティクスボックス。
【請求項２２】
前記少なくとも１つのプロセッサがいくつかの前記命令を実行することにより、前記入力デバイスはさらに、
前記ＴＳＰにより送信された設定メッセージを前記ＩＶＩに転送する段階であって、前記設定メッセージは、前記第１のサービスが前記第１のＡＰＮに対応し、前記第２のサービスが前記第２のＡＰＮに対応する内容を含む、転送する段階を実行する、
請求項２１に記載のテレマティクスボックス。
【請求項２３】
前記少なくとも１つのプロセッサがいくつかの前記命令を実行することにより、前記入力デバイスはさらに、
前記第１のプライベートＩＰアドレスと前記第１のＡＰＮと前記第１の外部ＩＰアドレスとが互いに対応し、前記第２のプライベートＩＰアドレスと前記第２のＡＰＮと前記第２の外部ＩＰアドレスとが互いに対応することを決定する段階を実行する、
請求項２１または２２に記載のテレマティクスボックス。
【請求項２４】
前記少なくとも１つのプロセッサが前記いくつかの命令を実行することにより、前記入力デバイスはさらに、
前記第１のプライベートＩＰアドレスと前記第２のプライベートＩＰアドレスとを前記ＩＶＩに割り当てる段階を実行する、
請求項２１から２３の何れか一項に記載のテレマティクスボックス。
【請求項２５】
車載用のサービス相互作用システムに適用される車載インフォテインメントシステムであって、
１つまたは複数のプロセッサと、
メモリと、
複数のアプリケーションプログラムと、
１つまたは複数のプログラムと
を備え、
前記１つまたは複数のプログラムは前記メモリに記憶され、前記１つまたは複数のプログラムは命令を含み、前記命令が前記電子デバイスにより実行される場合、前記電子デバイスは、
ＩＶＩが第１のサービスを実行する場合、第１のプライベートＩＰアドレスを用いてＴ−ｂｏｘと通信することにより、前記Ｔ−ｂｏｘが、前記第１のプライベートＩＰアドレスに対応する第１のＡＰＮと第１の外部ＩＰアドレスとを用いてコンテンツプロバイダＴＳＰと通信する段階と、
前記ＩＶＩが第２のサービスを実行する場合、第２のプライベートＩＰアドレスを用いて前記Ｔ−ｂｏｘと通信することにより、前記Ｔ−ｂｏｘが、前記第２のプライベートＩＰアドレスに対応する第２のＡＰＮと第２の外部ＩＰアドレスとを用いて前記ＴＳＰと通信する段階と
を実行することが可能になる、
車載インフォテインメントシステム。
【請求項２６】
前記少なくとも１つのプロセッサがいくつかの前記命令を実行することにより、前記入力デバイスはさらに、
前記ＴＳＰにより送信され、かつ前記Ｔ−ｂｏｘにより転送される設定メッセージを受信する段階であって、前記設定メッセージは、前記第１のサービスが前記第１のＡＰＮに対応し、前記第２のサービスが前記第２のＡＰＮに対応する内容を含む、受信する段階を実行する、
請求項２５に記載の車載インフォテインメントシステム。
【請求項２７】
前記少なくとも１つのプロセッサがいくつかの前記命令を実行することにより、前記入力デバイスはさらに、
前記Ｔ−ｂｏｘにより割り当てられた前記第１のプライベートＩＰアドレスと前記第２のプライベートＩＰアドレスとを受信する段階を実行する、
請求項２５または２６に記載の車載インフォテインメントシステム。
【請求項２８】
前記少なくとも１つのプロセッサがいくつかの前記命令を実行することにより、前記入力デバイスはさらに、
前記第１のプライベートＩＰアドレスが前記第１のＡＰＮに対応し、前記第２のプライベートＩＰアドレスが前記第２のＡＰＮに対応することを決定する段階を実行する、
請求項２５から２７の何れか一項に記載の車載インフォテインメントシステム。
【請求項２９】
前記コンピュータプログラムプロダクトが電子デバイス上で動作する場合、テレマティクスボックスが、請求項１から６の何れか一項に記載の方法を実行することが可能になる、コンピュータプログラムプロダクト。
【請求項３０】
前記コンピュータプログラムプロダクトが電子デバイス上で動作する場合、車載インフォテインメントシステムが、請求項７から１２の何れか一項に記載の方法を実行することが可能になる、
コンピュータプログラムプロダクト。
【請求項３１】
命令を備えるコンピュータ可読記憶媒体であって、前記命令が電子デバイス上で動作する場合、前記テレマティクスボックスは、請求項１から６の何れか一項に記載の方法を実行することが可能になる、コンピュータ可読記憶媒体。
【請求項３２】
命令を備えるコンピュータ可読記憶媒体であって、前記命令が電子デバイス上で動作する場合、前記車載インフォテインメントシステムは、請求項７から１２の何れか一項に記載の方法を実行することが可能になる、コンピュータ可読記憶媒体。
【発明の詳細な説明】
【技術分野】
【０００１】
本願は、２０１７年８月２３日に中国国家知識産権局に出願された「分類による車両機械間のサービストラフィックにおける統計収集方法およびデバイス」と題する中国特許出願第２０１７１０７２７３８１．７号に基づく優先権を主張するものであり、当該出願はその全体が参照により本明細書に組み込まれる。
【０００２】
本願は、通信分野、とりわけ、トラフィック統計収集方法およびデバイスに関する。
【背景技術】
【０００３】
インターネットオブビークルの出現に伴い、車載インフォテインメントに対する人々の要件がますます高くなっており、テレマティクスボックス（Ｔｅｌｅｍａｔｉｃｓ  Ｂｏｘ，Ｔ‐Ｂｏｘ）が搭載された乗用車の数が増えている。Ｔ−ｂｏｘは、遠隔操作、遠隔診断および緊急通話などのリッチコンテンツプロバイダ（Ｔｅｌｅｍａｔｉｃｓ  Ｓｅｒｖｉｃｅ  Ｐｒｏｖｉｄｅｒ，ＴＳＰ）サービスを提供するのみならず、車載インフォテインメント（Ｉｎ‐Ｖｅｈｉｃｌｅ  Ｉｎｆｏｔａｉｎｍｅｎｔ，ＩＶＩ）システムのためのデータサービスチャネルを提供することにより、ＩＶＩは、オンライン音楽、天気、ニュース、リアルタイムの交通、インボックスおよび株などのより多くのエンタテインメントアプリケーションをサポートできる。
【０００４】
Ｔ−ｂｏｘサービスの場合、Ｔ−ｂｏｘは異なるサービスを識別し、具体的なサービスに対応する料金パッケージに基づいて対応する外部ＩＰアドレスおよび料金パッケージを選択し、サーバと通信することができる。ＩＶＩの場合、既存のＴ−ｂｏｘがＩＶＩにプライベートＩＰアドレスを割り当てることにより、サービスを実行する場合、ＩＶＩは当該プライベートＩＰアドレスを用いてＴ−ｂｏｘと通信することができる。しかしながら、現在は全てのＩＶＩサービスに対して１つのデータチャネルが用いられている。その結果、分類による課金要件が満たされることができない。
【発明の概要】
【０００５】
本願の実施形態は、異なるサービスのトラフィックにおける統計を別々に収集すべく、車載用のサービス相互作用システムに適用されるトラフィック統計収集方法およびデバイスを提供する。
【０００６】
本願の実施形態における第１の態様は、車載用のサービス相互作用システムに適用されるトラフィック統計収集方法を提供する。方法は、
【０００７】
ＩＶＩが第１のサービスを実行する場合、Ｔ−ｂｏｘが第１のプライベートＩＰアドレスを用いてＩＶＩと通信し得ることにより、Ｔ−ｂｏｘが第１のプライベートＩＰアドレスに対応する第１のＡＰＮと第１の外部ＩＰアドレスとを用いてＴＳＰと通信することができることを含む。しかしながら、ＩＶＩが第２のサービスを実行する場合、Ｔ−ｂｏｘが第２のプライベートＩＰアドレスを用いてＩＶＩと通信することにより、Ｔ−ｂｏｘは第２のプライベートＩＰアドレスに対応する第２のＡＰＮと第２の外部ＩＰアドレスとを用いてＴＳＰと通信し得る。
【０００８】
第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集するからである。従って、異なるサービスのトラフィックにおける統計が別々に収集される課題が解消される。
【０００９】
いくつかの可能な実装において、Ｔ−ｂｏｘは、ＴＳＰにより送信される設定メッセージを受信して、当該設定メッセージをＩＶＩに転送する。設定メッセージは、第１のサービスが第１のＡＰＮに対応し、第２のサービスが第２のＡＰＮに対応するという内容を含む。従って、ＴＳＰはサービスとＡＰＮとの間の対応関係を動的に調整し得て、車両販売業者がサービスパッケージルールを柔軟に調整しビジネスパッケージプランと連携させることを助ける。
【００１０】
いくつかの可能な実装において、Ｔ−ｂｏｘはＷｉ−ＦｉまたはＵＳＢによりＩＶＩに接続され、Ｔ−ｂｏｘとＩＶＩとの間の柔軟な接続を実装し得る。
【００１１】
いくつかの可能な実装において、第１のサービスまたは第２のサービスはトラフィックフリーサービスとトラフィック課金サービスとであり、ＴＳＰは異なるサービスに対して異なる課金ポリシを実行し得る。
【００１２】
いくつかの可能な実装において、Ｔ−ｂｏｘは、第１のプライベートＩＰアドレス、第１のＡＰＮおよび第１の外部ＩＰアドレスが互いに対応し、第２のプライベートＩＰアドレス、第２のＡＰＮおよび第２の外部ＩＰアドレスが互いに対応することを決定して、第１のプライベートＩＰアドレスと第２のプライベートＩＰアドレスとをＩＶＩに割り当て得る。従って、プライベートＩＰアドレスと外部ＩＰアドレスとが変化される場合、ＡＰＮは依然として、ＩＶＩにより用いられるサービスに対応し、異なるサービスのデータトラフィックにおける統計を収集し得る。
【００１３】
本願の実施形態における第２の態様は、車載用のサービス相互作用システムに適用されるトラフィック統計収集方法を提供する。方法は、
【００１４】
Ｔ−ｂｏｘが、ＴＳＰにより送信される設定メッセージを受信し、当該設定メッセージをＩＶＩに転送することを含む。設定メッセージは、第１のサービスが第１のＡＰＮに対応し、第２のサービスが第２のＡＰＮに対応するという内容を含む。従って、ＴＳＰはサービスとＡＰＮとの間の対応関係を動的に調整し得て、車両販売業者がサービスパッケージルールを柔軟に調整しビジネスパッケージプランと連携させることを助ける。いくつかの可能な実装において、Ｔ−ｂｏｘはＷｉ−ＦｉまたはＵＳＢによりＩＶＩに接続され、Ｔ−ｂｏｘとＩＶＩとの間の柔軟な接続を実装し得る。
【００１５】
Ｔ−ｂｏｘは、第１のプライベートＩＰアドレス、第１のＡＰＮおよび第１の外部ＩＰアドレスが互いに対応し、第２のプライベートＩＰアドレス、第２のＡＰＮおよび第２の外部ＩＰアドレスが互いに対応することを決定して、第１のプライベートＩＰアドレスと第２のプライベートＩＰアドレスとをＩＶＩに割り当て得る。従って、プライベートＩＰアドレスと外部ＩＰアドレスとが変化される場合、ＡＰＮは依然として、ＩＶＩにより用いられるサービスに対応し、異なるサービスのデータトラフィックにおける統計を収集し得る。
【００１６】
ＩＶＩが第１のサービスを実行する場合、Ｔ−ｂｏｘが第１のプライベートＩＰアドレスを用いてＩＶＩと通信し得ることにより、Ｔ−ｂｏｘは第１のプライベートＩＰアドレスに対応する第１のＡＰＮと第１の外部ＩＰアドレスとを用いてＴＳＰと通信することができる。しかしながら、ＩＶＩが第２のサービスを実行する場合、Ｔ−ｂｏｘが第２のプライベートＩＰアドレスに基づいてＩＶＩと通信することにより、Ｔ−ｂｏｘは、第２のプライベートＩＰアドレスに対応する第２のＡＰＮと第２の外部ＩＰアドレスとを用いてＴＳＰと通信し得る。いくつかの可能な実装において、第１のサービスまたは第２のサービスはトラフィックフリーサービスとトラフィック課金サービスとであり、ＴＳＰは異なるサービスに対して異なる課金ポリシを実行し得る。
【００１７】
第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集するからである。従って、異なるサービスのトラフィックにおける統計が別々に収集される課題が解消される。
【００１８】
本願の実施形態における第３の態様は、車載用のサービス相互作用システムに適用されるトラフィック統計収集方法を提供する。方法は、
【００１９】
第１のサービスを実行する場合、ＩＶＩが第１のプライベートＩＰアドレスを用いてＴ−ｂｏｘと通信し得ることにより、Ｔ−ｂｏｘは第１のプライベートＩＰアドレスに対応する第１のＡＰＮと第１の外部ＩＰアドレスとを用いてＴＳＰと通信することを含む。第２のサービスを実行する場合、ＩＶＩが第２のプライベートＩＰアドレスを用いてＴ−ｂｏｘと通信することにより、Ｔ−ｂｏｘは第２のプライベートＩＰアドレスに対応する第２のＡＰＮと第２の外部ＩＰアドレスとを用いてＴＳＰと通信し得る。第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集し得るからである。従って、異なるサービスのトラフィックにおける統計が別々に収集される課題が解消される。
【００２０】
いくつかの可能な実装において、ＩＶＩはＴＳＰにより送信され、かつＴ−ｂｏｘにより転送される設定メッセージを受信し得る。設定メッセージは、第１のサービスが第１のＡＰＮに対応し、第２のサービスが第２のＡＰＮに対応するという内容を含む。ＴＳＰはサービスとＡＰＮとの間の対応関係を動的に調整し得て、車両販売業者がサービスパッケージルールを柔軟に調整しビジネスパッケージプランと連携させることを助ける。
【００２１】
いくつかの可能な実装において、Ｔ−ｂｏｘはＷｉ−ＦｉまたはＵＳＢによりＩＶＩに接続され、Ｔ−ｂｏｘとＩＶＩとの間の柔軟な接続を実装し得る。
【００２２】
いくつかの可能な実装において、第１のサービスまたは第２のサービスはトラフィックフリーサービスとトラフィック課金サービスとであり得て、従ってＴＳＰは異なるサービスに対して異なる課金ポリシを実行し得る。
【００２３】
いくつかの可能な実装において、ＩＶＩはＴ−ｂｏｘに割り当てられる第１のプライベートＩＰアドレスと第２のプライベートＩＰアドレスとを受信し得る。ＩＶＩは、第１のプライベートＩＰアドレスが第１のＡＰＮに対応し、第２のプライベートＩＰアドレスが第２のＡＰＮに対応することを決定することにより、プライベートＩＰアドレスと外部ＩＰアドレスとが変化される場合、ＡＰＮが依然としてＩＶＩにより用いられるサービスに対応し、異なるサービスにおいて異なるＡＰＮにより実行されるデータトラフィックの統計データ収集を実装する。
【００２４】
本願の実施形態における第４の態様は、車載用のサービス相互作用システムに適用されるトラフィック統計収集方法を提供する。方法は、
【００２５】
ＩＶＩが、Ｔ−ｂｏｘにより割り当てられる第１のプライベートＩＰアドレスと第２のプライベートＩＰアドレスとを受信し得ることを含む。ＩＶＩは、第１のプライベートＩＰアドレスが第１のＡＰＮに対応し、第２のプライベートＩＰアドレスが第２のＡＰＮに対応することを決定することにより、プライベートＩＰアドレスと外部ＩＰアドレスとが変化される場合、ＡＰＮが依然として、ＩＶＩにより用いられるサービスに対応して、異なるサービスにおける異なるＡＰＮにより実行されるデータトラフィックの統計データ収集を実装し得ることを含む。Ｔ−ｂｏｘはＷｉ−ＦｉまたはＵＳＢによってＩＶＩに接続され、Ｔ−ｂｏｘとＩＶＩとの間の柔軟な接続を実装し得る。
【００２６】
第１のサービスを実行する場合、ＩＶＩが第１のプライベートＩＰアドレスを用いてＴ−ｂｏｘと通信することにより、Ｔ−ｂｏｘは第１のプライベートＩＰアドレスに対応する第１のＡＰＮと第１の外部ＩＰアドレスとを用いてＴＳＰと通信し得る。第２のサービスを実行する場合、ＩＶＩが第２のプライベートＩＰアドレスに基づいてＴ−ｂｏｘと通信することにより、Ｔ−ｂｏｘは、第２のプライベートＩＰアドレスに対応する第２のＡＰＮと第２の外部ＩＰアドレスとを用いてＴＳＰと通信し得る。第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集し得るからである。従って、異なるサービスのトラフィックにおける統計が別々に収集される課題が解消される。いくつかの可能な実装において、第１のサービスまたは第２のサービスはトラフィックフリーサービスとトラフィック課金サービスとであり得て、従ってＴＳＰは異なるサービスに対して異なる課金ポリシを実行し得る。
【００２７】
ＩＶＩはＴＳＰにより送信され、かつＴ−ｂｏｘにより転送される設定メッセージを受信し得る。設定メッセージは、第１のサービスが第１のＡＰＮに対応し、第２のサービスが第２のＡＰＮに対応するという内容を含む。ＴＳＰはサービスとＡＰＮとの間の対応関係を動的に調整し得て、車両販売業者がサービスパッケージルールを柔軟に調整しビジネスパッケージプランと連携させることを助ける。
【００２８】
第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集するからである。従って、異なるサービスのトラフィックにおける統計が別々に収集される課題が解消される。
【００２９】
本願の実施形態における第５の態様は、車載用のサービス相互作用システムに適用されるＴ−ｂｏｘを提供する。当該Ｔ−ｂｏｘはプライベートネットワーク通信モジュールを含み、当該プライベートネットワーク通信モジュールは、ＩＶＩが第１のサービスを実行する場合、第１のプライベートＩＰアドレスを用いてＩＶＩと通信することにより、外部ネットワーク通信モジュールが、第１のプライベートＩＰアドレスに対応する第１のＡＰＮと第１の外部ＩＰアドレスとを用いてＴＳＰと通信するように構成され得るように構成される。当該プライベートネットワーク通信モジュールはさらに、ＩＶＩが第２のサービスを実行する場合、第２のプライベートＩＰアドレスを用いてＩＶＩと通信できることにより、外部ネットワーク通信モジュールが、第２のプライベートＩＰアドレスに対応する第２のＡＰＮと第２の外部ＩＰアドレスとを用いてＴＳＰと通信し得るように構成される。第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集するからである。従って、異なるサービスのトラフィックにおける統計が別々に収集される課題が解消される。
【００３０】
いくつかの可能な実装において、Ｔ−ｂｏｘは、ＴＳＰにより送信される設定メッセージをＩＶＩに転送するように構成される送受信モジュールを含む。設定メッセージは、第１のサービスが第１のＡＰＮに対応し、第２のサービスが第２のＡＰＮに対応するという内容を含む。ＴＳＰはサービスとＡＰＮとの間の対応関係を動的に調整し得て、車両販売業者がサービスパッケージルールを柔軟に調整しビジネスパッケージプランと連携させることを助ける。
【００３１】
いくつかの可能な実装において、Ｔ−ｂｏｘはさらに、第１のプライベートＩＰアドレス、第１のＡＰＮおよび第１の外部ＩＰアドレスが互いに対応し、第２のプライベートＩＰアドレス、第２のＡＰＮおよび第２の外部ＩＰアドレスが互いに対応することを決定して、第１のプライベートＩＰアドレスと第２のプライベートＩＰアドレスとをＩＶＩに割り当てるように構成されるプロセッサを含み得る。プライベートＩＰアドレスと外部ＩＰアドレスとが変化される場合、ＡＰＮは依然として、ＩＶＩにより用いられるサービスに対応し得て、異なるサービスのデータトラフィックにおける統計を収集する。
【００３２】
本願の実施形態における第６の態様は、車載用のサービス相互作用システムに適用されるＴ−ｂｏｘを提供する。当該Ｔ−ｂｏｘは、第１のプライベートＩＰアドレス、第１のＡＰＮおよび第１の外部ＩＰアドレスが互いに対応し、第２のプライベートＩＰアドレス、第２のＡＰＮおよび第２の外部ＩＰアドレスが互いに対応することを決定して、第１のプライベートＩＰアドレスと第２のプライベートＩＰアドレスとをＩＶＩに割り当てるように構成されるプロセッサを含み得る。プライベートＩＰアドレスと外部ＩＰアドレスとが変化される場合、ＡＰＮは依然として、ＩＶＩにより用いられるサービスに対応し得て、異なるサービスのデータトラフィックにおける統計を収集する。
【００３３】
Ｔ−ｂｏｘはさらに、通信モジュールを含む。通信モジュールは、ＩＶＩが第１のサービスを実行する場合、第１のプライベートＩＰアドレスを用いてＩＶＩと通信し、第１のプライベートＩＰアドレスに対応する第１のＡＰＮと第１の外部ＩＰアドレスとを用いてＴＳＰと通信するように構成される。通信モジュールはさらに、ＩＶＩが第２のサービスを実行する場合、第２のプライベートＩＰアドレスに基づいてＩＶＩと通信し、第２のプライベートＩＰアドレスに対応する第２のＡＰＮと第２の外部ＩＰアドレスとを用いてＴＳＰと通信するように構成され得る。第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集するからである。従って、異なるサービスのトラフィックにおける統計が別々に収集される課題が解消される。
【００３４】
Ｔ−ｂｏｘは、送受信モジュールを含む。送受信モジュールは、ＴＳＰにより送信される設定メッセージをＩＶＩに転送し得る。設定メッセージは、第１のサービスが第１のＡＰＮに対応し、第２のサービスが第２のＡＰＮに対応するという内容を含む。ＴＳＰはサービスとＡＰＮとの間の対応関係を動的に調整し得て、車両販売業者がサービスパッケージルールを柔軟に調整しビジネスパッケージプランと連携させることを助ける。第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集するからである。従って、異なるサービスのトラフィックにおける統計が別々に収集される課題が解消される。
【００３５】
本願の実施形態における第７の態様は、車載用のサービス相互作用システムに適用されるＩＶＩを提供する。当該ＩＶＩは、プロセッサおよび通信モジュールを含む。当該プロセッサは、第１のサービスおよび／または第２のサービスを実行するように構成される。通信モジュールは、第１のプライベートＩＰアドレスを用いて、Ｔ−ｂｏｘと通信することにより、Ｔ−ｂｏｘは第１のプライベートＩＰアドレスに対応する第１のＡＰＮと第１の外部ＩＰアドレスとを用いてＴＳＰと通信するように構成される。加えて、通信モジュールは、第２のプライベートＩＰアドレスを用いてＴ−ｂｏｘと通信することにより、Ｔ−ｂｏｘは第２のプライベートＩＰアドレスに対応する第２のＡＰＮと第２の外部ＩＰアドレスとを用いてＴＳＰと通信し得る。
【００３６】
第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集するからである。従って、異なるサービスのトラフィックにおける統計が別々に収集される課題が解消される。
【００３７】
いくつかの可能な実装において、ＩＶＩはさらに、送受信モジュールを含む。送受信モジュールは、ＴＳＰにより送信され、かつＴ−ｂｏｘにより転送される設定メッセージを受信するように構成され得る。設定メッセージは、第１のサービスが第１のＡＰＮに対応し、第２のサービスが第２のＡＰＮに対応するという内容を含む。ＴＳＰはサービスとＡＰＮとの間の対応関係を動的に調整し得て、車両販売業者がサービスパッケージルールを柔軟に調整しビジネスパッケージプランと連携させることを助ける。
【００３８】
いくつかの可能な実装において、送受信モジュールはさらに、Ｔ−ｂｏｘにより割り当てられる第１のプライベートＩＰアドレスと第２のプライベートＩＰアドレスとを受信し、第１のプライベートＩＰアドレスは第１のＡＰＮに対応し第２のプライベートＩＰアドレスは第２のＡＰＮに対応することを決定し得て、それにより、プライベートＩＰアドレスと外部ＩＰアドレスとが変化される場合、ＡＰＮが依然として、ＩＶＩにより用いられるサービスに対応し、異なるサービスのデータトラフィックにおける統計を収集し得る。
【００３９】
本願の実施形態における第８の態様は、車載用のサービス相互作用システムに適用されるＩＶＩを提供する。当該ＩＶＩは、プロセッサおよび通信モジュールを含む。当該プロセッサは、第１のサービスおよび／または第２のサービスを実行するように構成される。通信モジュールは、第１のプライベートＩＰアドレスを用いて、Ｔ−ｂｏｘと通信することにより、Ｔ−ｂｏｘは第１のプライベートＩＰアドレスに対応する第１のＡＰＮと第１の外部ＩＰアドレスとを用いてＴＳＰと通信できるように構成される。加えて、通信モジュールは、第２のプライベートＩＰアドレスを用いてＴ−ｂｏｘと通信することにより、Ｔ−ｂｏｘは第２のプライベートＩＰアドレスに対応する第２のＡＰＮと第２の外部ＩＰアドレスとを用いてＴＳＰと通信し得る。
【００４０】
ＩＶＩはさらに、送受信モジュールを含む。送受信モジュールは、ＴＳＰにより送信され、かつＴ−ｂｏｘにより転送される設定メッセージを受信するように構成され得る。設定メッセージは、第１のサービスが第１のＡＰＮに対応し、第２のサービスが第２のＡＰＮに対応するという内容を含む。ＴＳＰはサービスとＡＰＮとの間の対応関係を動的に調整し得て、車両販売業者がサービスパッケージルールを柔軟に調整しビジネスパッケージプランと連携させることを助ける。
【００４１】
送受信モジュールはさらに、Ｔ−ｂｏｘにより割り当てられる第１のプライベートＩＰアドレスと第２のプライベートＩＰアドレスとを受信し、第１のプライベートＩＰアドレスは第１のＡＰＮに対応し第２のプライベートＩＰアドレスは第２のＡＰＮに対応することを決定し得て、それにより、プライベートＩＰアドレスと外部ＩＰアドレスとが変化される場合、ＡＰＮが依然として、ＩＶＩにより用いられるサービスに対応し、異なるサービスのデータトラフィックにおける統計を収集し得る。
【００４２】
第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集するからである。従って、異なるサービスのトラフィックにおける統計が別々に収集される課題が解消される。
【００４３】
本願の実施形態における第９の態様は、車載用のサービス相互作用システムに適用されるＴ−ｂｏｘを提供する。Ｔ−ｂｏｘは、１つまたは複数のプロセッサ、メモリ、複数のアプリケーションプログラム、および１つまたは複数のプログラムを含む。１つまたは複数のプログラムはメモリに記憶され、１つまたは複数のプログラムは命令を含み、当該命令が電子デバイスにより実行される場合、電子デバイスは以下の段階を実行することが可能になる。ＩＶＩが第１のサービスを実行する場合、Ｔ−ｂｏｘは第１のプライベートＩＰアドレスを用いてＩＶＩと通信し、第１のプライベートＩＰアドレスに対応する第１のＡＰＮと第１の外部ＩＰアドレスとを用いてＴＳＰと通信する段階。ＩＶＩが第２のサービスを実行する場合、Ｔ−ｂｏｘは、第２のプライベートＩＰアドレスを用いてＩＶＩと通信し、第２のプライベートＩＰアドレス対応する第２のＡＰＮと第２の外部ＩＰアドレスとを用いてＴＳＰと通信する。
【００４４】
第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集するからである。従って、異なるサービスのトラフィックにおける統計が別々に収集される課題が解消される。
【００４５】
いくつかの可能な実装において、Ｔ−ｂｏｘにおける少なくとも１つのプロセッサがいくつかの命令を実行して、ＴＳＰにより送信される設定メッセージを入力デバイスがさらにＩＶＩに転送することを可能にする。設定メッセージは、第１のサービスが第１のＡＰＮに対応し、第２のサービスが第２のＡＰＮに対応するという内容を含む。ＴＳＰはサービスとＡＰＮとの間の対応関係を動的に調整し得て、車両販売業者がサービスパッケージルールを柔軟に調整しビジネスパッケージプランと連携させることを助ける。
【００４６】
いくつかの可能な実装において、Ｔ−ｂｏｘにおける少なくとも１つのプロセッサは、第１のプライベートＩＰアドレス、第１のＡＰＮおよび第１の外部ＩＰアドレスが互いに対応し、第２のプライベートＩＰアドレス、第２のＡＰＮおよび第２の外部ＩＰアドレスが互いに対応することをさらに決定して、第１のプライベートＩＰアドレスと第２のプライベートＩＰアドレスとをＩＶＩに割り当てることを入力デバイスに可能にするいくつかの命令を実行する。従って、プライベートＩＰアドレスと外部ＩＰアドレスとが変化される場合、ＡＰＮは依然として、ＩＶＩにより用いられるサービスに対応し、異なるサービスのデータトラフィックにおける統計を収集し得る。
【００４７】
本願の実施形態における第１０の態様は、車載用のサービス相互作用システムに適用されるＴ−ｂｏｘを提供する。Ｔ−ｂｏｘは、１つまたは複数のプロセッサ、メモリ、複数のアプリケーションプログラム、および１つまたは複数のプログラムを含む。１つまたは複数のプログラムはメモリに記憶され、１つまたは複数のプログラムは命令を含み、当該命令が電子デバイスにより実行される場合、電子デバイスは、第１のプライベートＩＰアドレス、第１のＡＰＮおよび第１の外部ＩＰアドレスが互いに対応し、第２のプライベートＩＰアドレス、第２のＡＰＮおよび第２の外部ＩＰアドレスが互いに対応することを決定し、第１のプライベートＩＰアドレスと第２のプライベートＩＰアドレスとをＩＶＩに割り当てることを可能にする。従って、プライベートＩＰアドレスと外部ＩＰアドレスとが変化される場合、ＡＰＮは依然として、ＩＶＩにより用いられるサービスに対応し、異なるサービスのデータトラフィックにおける統計を収集し得る。
【００４８】
ＩＶＩが第１のサービスを実行する場合、Ｔ−ｂｏｘは、第１のプライベートＩＰアドレスを用いてＩＶＩと通信し、第１のプライベートＩＰアドレス対応する第１のＡＰＮと第１の外部ＩＰアドレスとを用いてＴＳＰと通信する。ＩＶＩが第２のサービスを実行する場合、Ｔ−ｂｏｘは、第２のプライベートＩＰアドレスを用いてＩＶＩと通信し、第２のプライベートＩＰアドレス対応する第２のＡＰＮと第２の外部ＩＰアドレスとを用いてＴＳＰ通信する。
【００４９】
第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集するからである。従って、異なるサービスのトラフィックにおける統計が別々に収集される課題が解消される。
【００５０】
Ｔ−ｂｏｘにおける少なくとも１つのプロセッサがいくつかの命令を実行して、入力デバイスが、ＴＳＰにより送信される設定メッセージをＩＶＩにさらに転送することを可能にする。設定メッセージは、第１のサービスが第１のＡＰＮに対応し、第２のサービスが第２のＡＰＮに対応するという内容を含む。ＴＳＰはサービスとＡＰＮとの間の対応関係を動的に調整し得て、車両販売業者がサービスパッケージルールを柔軟に調整しビジネスパッケージプランと連携させることを助ける。
【００５１】
第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集するからである。従って、異なるサービスのトラフィックにおける統計が別々に収集される課題が解消される。
【００５２】
本願の実施形態における第１１の態様は、車載用のサービス相互作用システムに適用される電子デバイスを提供する。ＩＶＩは、１つまたは複数のプロセッサ、メモリ、複数のアプリケーションプログラム、および１つまたは複数のプログラムを含む。１つまたは複数のプログラムはメモリに記憶され、１つまたは複数のプログラムは命令を含み、電子デバイスにより命令が実行される場合、電子デバイスは、第１のサービスおよび／または第２のサービスを実行することが可能になる。第１のサービスを実行する場合、電子デバイスが第１のプライベートＩＰアドレスを用いてＴ−ｂｏｘと通信することにより、Ｔ−ｂｏｘは第１のプライベートＩＰアドレスに対応する第１のＡＰＮと第１の外部ＩＰアドレスとを用いてＴＳＰと通信することを含む。第２のサービスを実行する場合、電子デバイスが第２のプライベートＩＰアドレスを用いてＴ−ｂｏｘと通信することにより、Ｔ−ｂｏｘは第２のプライベートＩＰアドレスに対応する第２のＡＰＮと第２の外部ＩＰアドレスとを用いてＴＳＰと通信し得る。
【００５３】
第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集するからである。従って、異なるサービスのトラフィックにおける統計が別々に収集される課題が解消される。
【００５４】
いくつかの可能な実装において、Ｔ−ｂｏｘにおける少なくとも１つのプロセッサがいくつかの命令を実行して、入力デバイスが、ＴＳＰにより送信され、Ｔ−ｂｏｘにより転送される設定メッセージをさらに受信することを可能にする。設定メッセージは、第１のサービスが第１のＡＰＮに対応し、第２のサービスが第２のＡＰＮに対応するという内容を含む。ＴＳＰはサービスとＡＰＮとの間の対応関係を動的に調整できて、車両販売業者がサービスパッケージルールを柔軟に調整しビジネスパッケージプランと連携させることを助ける。
【００５５】
いくつかの可能な実装において、Ｔ−ｂｏｘにおける少なくとも１つのプロセッサがいくつかの命令を実行して、入力デバイスが、Ｔ−ｂｏｘにより割り当てられる第１のプライベートＩＰアドレスと第２のプライベートＩＰアドレスとをさらに受信することを可能にする。ＩＶＩは、第１のプライベートＩＰアドレスが第１のＡＰＮに対応し、第２のプライベートＩＰアドレスが第２のＡＰＮに対応することを決定する。従って、プライベートＩＰアドレスと外部ＩＰアドレスとが変化される場合、ＡＰＮは依然として、ＩＶＩにより用いられるサービスに対応し、異なるサービスのデータトラフィックにおける統計を収集し得る。
【００５６】
本願の実施形態における第１２の態様は、車載用のサービス相互作用システムに適用される電子デバイスを提供する。ＩＶＩは、１つまたは複数のプロセッサ、メモリ、複数のアプリケーションプログラム、および１つまたは複数のプログラムを含む。１つまたは複数のプログラムはメモリに記憶され、１つまたは複数のプログラムは命令を含み、電子デバイスにより命令が実行される場合、電子デバイスは、ＴＳＰにより送信され、かつＴ−ｂｏｘにより転送される設定メッセージを受信することが可能になる。設定メッセージは、第１のサービスが第１のＡＰＮに対応し、第２のサービスが第２のＡＰＮに対応するという内容を含む。ＴＳＰはサービスとＡＰＮとの間の対応関係を動的に調整できて、車両販売業者がサービスパッケージルールを柔軟に調整しビジネスパッケージプランと連携させることを助ける。
【００５７】
第１のサービスを実行する場合、ＩＶＩが第１のプライベートＩＰアドレスを用いてＴ−ｂｏｘと通信することにより、Ｔ−ｂｏｘは第１のプライベートＩＰアドレスに対応する第１のＡＰＮと第１の外部ＩＰアドレスとを用いてＴＳＰと通信し得る。第２のサービスを実行する場合、ＩＶＩが第２のプライベートＩＰアドレスを用いてＴ−ｂｏｘと通信することにより、Ｔ−ｂｏｘは第２のプライベートＩＰアドレスに対応する第２のＡＰＮと第２の外部ＩＰアドレスとを用いてＴＳＰと通信し得る。
【００５８】
第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集するからである。従って、異なるサービスのトラフィックにおける統計が別々に収集される課題が解消される。
【００５９】
ＩＶＩにおける少なくとも１つのプロセッサは、いくつかの命令を実行して、Ｔ−ｂｏｘにより割り当てられる第１のプライベートＩＰアドレスと第２のプライベートＩＰアドレスとを入力デバイスがさらに受信することを可能にして、第１のプライベートＩＰアドレスが第１のＡＰＮに対応し、第２のプライベートＩＰアドレスが第２のＡＰＮに対応することを決定する。従って、プライベートＩＰアドレスと外部ＩＰアドレスとが変化される場合、ＡＰＮは依然として、ＩＶＩにより用いられるサービスに対応し、異なるサービスのデータトラフィックにおける統計を収集し得る。
【００６０】
第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集するからである。従って、異なるサービスのトラフィックにおける統計が別々に収集される課題が解消される。
【００６１】
本願の実施形態における第１３の態様は、コンピュータプログラムプロダクトを提供する。コンピュータプログラムプロダクトが電子デバイス上で動作する場合、Ｔ−ｂｏｘは上述の態様における方法を実行することが可能になる。
【００６２】
本願の実施形態における第１４の態様は、コンピュータプログラムプロダクトを提供する。コンピュータプログラムプロダクトが電子デバイス上で動作する場合、ＩＶＩは上述の態様における方法を実行することが可能になる。
【００６３】
本願の実施形態における第１５の態様は、命令を含むコンピュータ可読記憶媒体を提供する。命令が電子デバイス上で動作する場合、Ｔ−ｂｏｘは上述の態様における方法を実行することが可能になる。
【００６４】
本願の実施形態における第１６の態様は、命令を含むコンピュータ可読記憶媒体を提供する。命令が電子デバイス上で動作する場合、ＩＶＩは上述の態様における方法を実行することが可能になる。
【００６５】
本願の実施形態に提供される技術的解決手段において、ＩＶＩが第１のサービスを実行する場合、Ｔ−ｂｏｘは、第１のプライベートＩＰアドレスを用いてＩＶＩと通信し、Ｔ−ｂｏｘは、第１のプライベートＩＰアドレスに対応する第１のＡＰＮと第１の外部ＩＰアドレスとを用いてＴＳＰと通信する。ＩＶＩが第２のサービスを実行する場合、Ｔ−ｂｏｘは、第２のプライベートＩＰアドレスを用いてＩＶＩと通信し、Ｔ−ｂｏｘは、第２のプライベートＩＰアドレス対応する第２のＡＰＮと第２の外部ＩＰアドレスとを用いてＴＳＰ通信する。第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集するので、インフォテインメントデバイスは異なるサービスのトラフィックにおける統計を別々に収集する。
【図面の簡単な説明】
【００６６】
【図１−１】本願の実施形態に係るトラフィック統計収集方法の概略図である。
【００６７】
【図１−２】本願の実施形態に係る別のトラフィック統計データ収集方法の概略図である。
【００６８】
【図１−３】本願の実施形態に係る別のトラフィック統計データ収集方法の概略図である。
【００６９】
【図１−４】本願の実施形態に係るＴ−ｂｏｘの概略図である。
【００７０】
【図１−５】本願の実施形態に係るＩＶＩの概略図である。
【００７１】
【図１−６】端末のコンポーネントの概略図である。
【００７２】
【図２−１】車載用のインフォテインメント相互作用システムの概略的アーキテクチャ図である。
【００７３】
【図２−２】従来技術におけるＩＶＩとＴ−ｂｏｘとの間の通信の概略図である。
【００７４】
【図２−３】従来技術におけるＩＶＩの複数のサービスのデータトラフィックにおける統計を同じＡＰＮが収集する概略図である。
【００７５】
【図２−４】ＩＶＩが、プライベートＩＰアドレス１とプライベートＩＰアドレス２とを用いて異なるサービスを別々に実行する概略図である。
【００７６】
【図２−５】Ｔ−ｂｏｘが、外部ＩＰアドレス１を用いてＡＰＮ１に基づき、かつ外部ＩＰアドレス２を用いてＡＰＮ２に基づき、ＴＳＰと通信する概略図である。
【００７７】
【図２−６】Ｔ−ｂｏｘが、ＮＡＴによってプライベートＩＰアドレスと外部ＩＰとの間のデータパケットを互いに変換する概略図である。
【００７８】
【図３−１】トラフィック統計収集方法の概略図である。
【００７９】
【図３−２】別のトラフィック統計データ収集方法の概略図である。
【００８０】
【図３−３】別のトラフィック統計データ収集方法の概略図である。
【００８１】
【図４−１】ユーザが車載用のインフォテインメント相互作用システムを用いる方法の概略図である。
【００８２】
【図４−２】Ｔ−ｂｏｘが、外部ＩＰアドレス１と外部ＩＰアドレス２とを取得する概略図である。
【００８３】
【図４−３】Ｔ−ｂｏｘが、プライベートＩＰアドレス１とプライベートＩＰアドレス２とをＩＶＩに割り当てる概略図である。
【００８４】
【図４−４】プライベートＩＰアドレス１‐ＡＰＮ１およびプライベートＩＰアドレス２‐ＡＰＮ２の対応関係をＩＶＩが決定する概略図である。
【００８５】
【図４−５】Ｔ−ｂｏｘが、ＮＡＴによってマッピング関係を決定する概略図である。
【００８６】
【図４−６】ＴＳＰが、設定メッセージをＩＶＩに送信する概略図である。
【００８７】
【図４−７】ＩＶＩが、プライベートＩＰアドレス１‐ＡＰＮ１‐サービス１およびプライベートＩＰアドレス２‐ＡＰＮ２‐サービス２の対応関係を決定する概略図である。
【００８８】
【図４−８】ＩＶＩが、任意選択的サービスを表示する概略図である。
【００８９】
【図４−９】ユーザがサービス１を選択する概略図である。
【００９０】
【図４−１０】ＩＶＩが、プライベートＩＰアドレス１を用いてＴ−ｂｏｘと通信する概略図である。
【００９１】
【図４−１１】Ｔ−ｂｏｘが、ＮＡＴによってプライベートＩＰアドレス１を外部ＩＰアドレス１に変換し、この場合、Ｔ−ｂｏｘは外部ＩＰアドレス１を用いてＡＰＮ１に基づいてＴＳＰと通信し得る概略図である。
【００９２】
【図４−１２】Ｔ−ｂｏｘとＴＳＰとの間の通信の概略図である。
【００９３】
【図４−１３】サービス１のデータトラフィックにおける統計をＡＰＮ１が収集した後のフィードバックの概略図である。
【００９４】
【図４−１４】ユーザがサービス２を選択する概略図である。
【００９５】
【図４−１５】ＩＶＩが、プライベートＩＰアドレス２を用いてＴ−ｂｏｘと通信する概略図である。
【００９６】
【図４−１６】Ｔ−ｂｏｘが、ＮＡＴによって、プライベートＩＰアドレス２を外部ＩＰアドレス２に変換する概略図である。
【００９７】
【図４−１７】Ｔ−ｂｏｘとＴＳＰとの間の通信の概略図である。
【００９８】
【図４−１８】サービス２のデータトラフィックにおける統計をＡＰＮ２が収集した後のフィードバックの概略図である。
【発明を実施するための形態】
【００９９】
以下は、本願の実施形態の添付の図面を参照して、本願の実施形態における技術的解決手段を説明する。明らかに、説明されている実施形態は本願の実施形態の全てではなく一部に過ぎない。
【０１００】
本願の明細書、特許請求の範囲および添付の図面において、用語「第１の」、「第２の」、「第３の」および「第４の」など（存在する場合）は、類似の対象間の区別を意図しているが、必ずしも特定の順序または順番を説明するわけではない。データは、適切な状況において交換可能な方式で称されることにより、本明細書に説明される実施形態は、本明細書に表示または説明されている順序以外の順序でも実装されることができることを理解されたい。加えて、用語「含む」、「有する」およびそれらの任意の他の変形は、非限定的な包含、例えば、プロセス、方法、システム、製品または一連の段階またはユニットを含むデバイスをカバーすることを意図しており、明示的に列挙されている段階またはユニットに必ずしも限定されるわけではなく、明示的に列挙されていない、またはプロセス、方法、製品またはデバイスに固有でない別の工程またはユニット、を含み得る。
【０１０１】
車両のインターネットの出現に伴い、車載インフォテインメントに対する人々の要求がますます高くなっており、Ｔ−ｂｏｘ（Ｔｅｌｅｍａｔｉｃｓ  Ｂｏｘ，Ｔ−Ｂｏｘ）が搭載された乗用車の数が増えており、遠隔操作、遠隔診断および緊急通話などのリッチコンテンツプロバイダ（Ｔｅｌｅｍａｔｉｃｓ  Ｓｅｒｖｉｃｅ  Ｐｒｏｖｉｄｅｒ，ＴＳＰ）サービスを提供する。Ｔ−ｂｏｘは、ＩＶＩ（Ｉｎ−Ｖｅｈｉｃｌｅ  Ｉｎｆｏｔａｉｎｍｅｎｔ，ＩＶＩ）のためのデータサービスチャネルを提供することにより、ＩＶＩがＴＳＰサービスをサポートすることもできるようにする。
【０１０２】
Ｔ−ｂｏｘは、具体的なサービスに基づいて、対応する外部ＩＰアドレスを選択して、ＴＳＰと通信することができる。ＩＶＩの場合、既存のＴ−ｂｏｘがＩＶＩにプライベートＩＰアドレスを割り当てることができ、それにより、サービスを実行する場合、ＩＶＩは当該プライベートＩＰアドレスを用いてＴ−ｂｏｘと通信することができる。しかしながら、ＩＶＩは現在、１つのプライベートＩＰアドレスのみを用いてサービスを実行する。その結果、異なるサービスが分類されることができず、分類による課金要件が満たされることができない。本願の実施形態において、プライベートネットワークが内部ネットワークと称されてよいことと、特定のエリアにおいてローカルエリアネットワークとして理解されてよいこととを注意すべきである。外部ネットワークも、パブリックネットワークと称されてよく、ローカルエリアネットワークではなく、パブリックネットワークに接続されたネットワークである。
【０１０３】
本願の実施形態に提供される技術的解決手段において、ＩＶＩが第１のサービスを実行する場合、Ｔ−ｂｏｘは、第１のプライベートＩＰアドレスを用いてＩＶＩと通信し、Ｔ−ｂｏｘは、第１のプライベートＩＰアドレスに対応する第１のＡＰＮと第１の外部ＩＰアドレスとを用いてＴＳＰと通信する。ＩＶＩが第２のサービスを実行する場合、Ｔ−ｂｏｘは、第２のプライベートＩＰアドレスを用いてＩＶＩと通信し、Ｔ−ｂｏｘは、第２のプライベートＩＰアドレス対応する第２のＡＰＮと第２の外部ＩＰアドレスとを用いてＴＳＰと通信する。第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集する。従って、異なるサービスのトラフィックにおける統計が別々に収集される課題が解消される。
【０１０４】
具体的には、図１−１はトラフィック統計収集方法の概略図である。トラフィック統計収集方法は、以下の段階を含む。
【０１０５】
１０１．ＩＶＩが第１のサービスを実行する場合、Ｔ−ｂｏｘは、第１のプライベートＩＰアドレスを用いてＩＶＩと通信し得る。
【０１０６】
可能な実装において、ＩＶＩは相互作用インタフェースによってユーザの操作を受信して、操作インタフェースに複数のサービスを提供し得る。ユーザは、複数のサービスから第１のサービスを選択し得る。この場合、ＩＶＩは、第１のサービスに基づいて第１のＡＰＮを決定して、そして第１のＡＰＮに基づいて第１のプライベートＩＰアドレスを決定するか、またはＴ−ｂｏｘから、第１のＡＰＮに対応する第１のプライベートＩＰアドレスを取得し得る。ＩＶＩは、第１のプライベートＩＰアドレスを用いてＴ−ｂｏｘと通信する。
【０１０７】
１０２．Ｔ−ｂｏｘは、第１のプライベートＩＰアドレスに対応する第１のＡＰＮと第１の外部ＩＰアドレスとを用いてコンテンツプロバイダＴＳＰと通信し得る。
【０１０８】
従って、Ｔ−ｂｏｘは、ＮＡＴによって第１のプライベートＩＰアドレスを第１の外部ＩＰアドレスに変換し、対応する第１のＡＰＮと第１の外部ＩＰアドレスとを用いてＴＳＰと通信することにより、ＴＳＰがユーザに第１のサービスのサービスを提供し、第１のＡＰＮは第１のサービスのデータトラフィックにおける統計を収集する。
【０１０９】
１０３．ＩＶＩが第２のサービスを実行する場合、Ｔ−ｂｏｘは第２のプライベートＩＰアドレスを用いてＩＶＩと通信し得る。
【０１１０】
可能な実装において、ユーザは第２のサービスを選択し得る。この場合、ＩＶＩは、第２のサービスに基づいて第２のＡＰＮを決定して、そして第２のＡＰＮに基づいて第２のプライベートＩＰアドレスを決定するか、またはＴ−ｂｏｘから、第２のＡＰＮに対応する第２のプライベートＩＰアドレスを取得し得る。ＩＶＩは、第２のプライベートＩＰアドレスに基づいてＴ−ｂｏｘと通信する。
【０１１１】
１０４．Ｔ−ｂｏｘは、第２のプライベートＩＰアドレスに対応する第２のＡＰＮと第２の外部ＩＰアドレスとを用いてＴＳＰと通信し得る。
【０１１２】
従って、Ｔ−ｂｏｘは、ＮＡＴによって第２のプライベートＩＰアドレスを第２の外部ＩＰアドレスに変換し、対応する第２のＡＰＮと第２の外部ＩＰアドレスとを用いてＴＳＰと通信することにより、ＴＳＰがユーザに第２のサービスのサービスを提供し、第２のＡＰＮは第２のサービスのデータトラフィックにおける統計を収集する。
【０１１３】
第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集する。従って、インフォテインメントデバイスが異なるサービスのトラフィックにおける統計を別々に収集する課題が解消される。
【０１１４】
いくつかの可能な実装において、Ｔ−ｂｏｘは、ＴＳＰにより送信される設定メッセージを受信して、当該設定メッセージをＩＶＩに転送する。設定メッセージは、第１のサービスが第１のＡＰＮに対応し、第２のサービスが第２のＡＰＮに対応するという内容を含む。従って、ＴＳＰはサービスとＡＰＮとの間の対応関係を動的に調整できて、車両販売業者がサービスパッケージルールを柔軟に調整しビジネスパッケージプランと連携させることを助ける。いくつかの可能な実装において、Ｔ−ｂｏｘはＷｉ−ＦｉまたはＵＳＢによりＩＶＩに接続され、Ｔ−ｂｏｘとＩＶＩとの間の柔軟な接続を実装し得る。
【０１１５】
Ｔ−ｂｏｘは、第１のプライベートＩＰアドレス、第１のＡＰＮおよび第１の外部ＩＰアドレスが互いに対応し、第２のプライベートＩＰアドレス、第２のＡＰＮおよび第２の外部ＩＰアドレスが互いに対応することを決定して、第１のプライベートＩＰアドレスと第２のプライベートＩＰアドレスとをＩＶＩに割り当て得る。従って、プライベートＩＰアドレスと外部ＩＰアドレスとが変化される場合、ＡＰＮは依然として、ＩＶＩにより用いられるサービスに対応し、異なるサービスのデータトラフィックにおける統計を収集し得る。
【０１１６】
ＩＶＩが第１のサービスを実行する場合、Ｔ−ｂｏｘが第１のプライベートＩＰアドレスを用いてＩＶＩと通信し得ることにより、Ｔ−ｂｏｘは第１のプライベートＩＰアドレスに対応する第１のＡＰＮと第１の外部ＩＰアドレスとを用いてＴＳＰと通信することができる。しかしながら、ＩＶＩが第２のサービスを実行する場合、Ｔ−ｂｏｘが第２のプライベートＩＰアドレスに基づいてＩＶＩと通信し得ることにより、Ｔ−ｂｏｘは、第２のプライベートＩＰアドレスに対応する第２のＡＰＮと第２の外部ＩＰアドレスとを用いてＴＳＰと通信する。いくつかの可能な実装において、第１のサービスまたは第２のサービスはトラフィックフリーサービスとトラフィック課金サービスとであり、それによりＴＳＰは異なるサービスに対して異なる課金ポリシを実行できる。
【０１１７】
第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集する。従って、インフォテインメントデバイスが異なるサービスのトラフィックにおける統計を別々に収集する課題が解消される。
【０１１８】
図１−２は、別のトラフィック統計データ収集方法の概略図である。トラフィック統計収集方法は、以下の段階を含む。
【０１１９】
２０１．第１のサービスを実行する場合、ＩＶＩが第１のプライベートＩＰアドレスを用いてＴ−ｂｏｘと通信し得ることにより、Ｔ−ｂｏｘは第１のプライベートＩＰアドレスに対応する第１のＡＰＮと第１の外部ＩＰアドレスとを用いてコンテンツプロバイダＴＳＰと通信する。
【０１２０】
２０２．第２のサービスを実行する場合、ＩＶＩが第２のプライベートＩＰアドレスを用いてＴ−ｂｏｘと通信し得ることにより、Ｔ−ｂｏｘは第２のプライベートＩＰアドレスに対応する第２のＡＰＮと第２の外部ＩＰアドレスとを用いてＴＳＰと通信する。
【０１２１】
第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集するからである。従って、異なるサービスのトラフィックにおける統計が別々に収集される課題が解消される。
【０１２２】
いくつかの可能な実装において、ＩＶＩはＴ−ｂｏｘに割り当てられる第１のプライベートＩＰアドレスと第２のプライベートＩＰアドレスとを受信し得る。ＩＶＩは、第１のプライベートＩＰアドレスが第１のＡＰＮに対応し、第２のプライベートＩＰアドレスが第２のＡＰＮに対応することを決定することにより、プライベートＩＰアドレスと外部ＩＰアドレスとが変化される場合、ＡＰＮが依然としてＩＶＩにより用いられるサービスに対応し、異なるサービスにおいて異なるＡＰＮにより実行されるデータトラフィックの統計データ収集を実装し得る。Ｔ−ｂｏｘはＷｉ−ＦｉまたはＵＳＢによってＩＶＩに接続され、Ｔ−ｂｏｘとＩＶＩとの間の柔軟な接続を実装し得る。
【０１２３】
第１のサービスを実行する場合、ＩＶＩが第１のプライベートＩＰアドレスを用いてＴ−ｂｏｘと通信し得ることにより、Ｔ−ｂｏｘは第１のプライベートＩＰアドレスに対応する第１のＡＰＮと第１の外部ＩＰアドレスとを用いてＴＳＰと通信する。第２のサービスを実行する場合、ＩＶＩは、第２のプライベートＩＰアドレスに基づいてＴ−ｂｏｘと通信できて、それにより第１の外部ＩＰアドレスに基づいて第１のサービスのデータトラフィックにおける統計を第１のＡＰＮが収集し得、第２の外部ＩＰアドレスに基づいて第２のサービスのデータトラフィックにおける統計を第２のＡＰＮが収集する。この場合、インフォテインメントデバイスは、異なるサービスのトラフィックにおける統計を別々に収集できる。いくつかの可能な実装において、第１のサービスまたは第２のサービスはトラフィックフリーサービスまたはトラフィック課金サービスであり得て、従ってＴＳＰは異なるサービスに対して異なる課金ポリシを実行し得る。
【０１２４】
ＩＶＩはＴＳＰにより送信され、かつＴ−ｂｏｘにより転送される設定メッセージを受信し得る。設定メッセージは、第１のサービスが第１のＡＰＮに対応し、第２のサービスが第２のＡＰＮに対応するという内容を含む。ＴＳＰはサービスとＡＰＮとの間の対応関係を動的に調整し得て、車両販売業者がサービスパッケージルールを柔軟に調整しビジネスパッケージプランと連携させることを助ける。
【０１２５】
第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集するので、インフォテインメントデバイスは、異なるサービスのトラフィックにおける統計を別々に収集できる。
【０１２６】
図１−３は、別のトラフィック統計データ収集方法の概略図である。トラフィック統計収集方法は、以下の段階を含む。
【０１２７】
３０１．Ｔ−ｂｏｘは、第１のプライベートＩＰアドレス、第１のＡＰＮおよび第１の外部ＩＰアドレスが互いに対応し、第２のプライベートＩＰアドレス、第２のＡＰＮおよび第２の外部ＩＰアドレスが互いに対応することを決定する。従って、プライベートＩＰアドレスと外部ＩＰアドレスとが変化される場合、ＡＰＮは依然として、ＩＶＩにより用いられるサービスに対応し、異なるサービスのデータトラフィックにおける統計を収集し得る。
【０１２８】
可能な実装において、ＩＶＩは相互作用インタフェースによってユーザの操作を受信して、操作インタフェースに複数のサービスを提供し得る。ユーザは、複数のサービスから第１のサービスを選択し得る。この場合、ＩＶＩは、第１のサービスに基づいて第１のＡＰＮを決定して、そして第１のＡＰＮに基づいて第１のプライベートＩＰアドレスを決定するか、またはＴ−ｂｏｘから、第１のＡＰＮに対応する第１のプライベートＩＰアドレスを取得し得る。ＩＶＩは、第１のプライベートＩＰアドレスを用いてＴ−ｂｏｘと通信する。
【０１２９】
３０２．Ｔ−ｂｏｘは、第１のプライベートＩＰアドレスと第２のプライベートＩＰアドレスとをＩＶＩに割り当てる。
【０１３０】
３０３．ＩＶＩは、第１のプライベートＩＰアドレスが第１のＡＰＮに対応し、第２のプライベートＩＰアドレスが第２のＡＰＮに対応することを決定する。従って、ＴＳＰはサービスとＡＰＮとの間の対応関係を動的に調整し得て、車両販売業者がサービスパッケージルールを柔軟に調整しビジネスパッケージプランと連携させることを助ける。
【０１３１】
３０４．Ｔ−ｂｏｘは、コンテンツプロバイダＴＳＰにより送信される設定メッセージをＩＶＩに転送し、ここで、設定メッセージは、第１のサービスが第１のＡＰＮに対応し、第２のサービスが第２のＡＰＮに対応するという内容を含む。
【０１３２】
３０５．車載インフォテインメントＩＶＩシステムが第１のサービスを実行する場合、テレマティクスボックスＴ−ｂｏｘは、第１のプライベートＩＰアドレスを用いてＩＶＩと通信し、Ｔ−ｂｏｘはＷｉ−ＦｉまたはＵＳＢによってＩＶＩと接続され、Ｔ−ｂｏｘとＩＶＩとの間の柔軟な接続を実装する。
【０１３３】
可能な実装において、ＩＶＩは相互作用インタフェースによってユーザの操作を受信して、操作インタフェースに複数のサービスを提供し得る。ユーザは、複数のサービスから第１のサービスを選択し得る。この場合、ＩＶＩは、第１のサービスに基づいて第１のＡＰＮを決定して、そして第１のＡＰＮに基づいて第１のプライベートＩＰアドレスを決定するか、またはＴ−ｂｏｘから、第１のＡＰＮに対応する第１のプライベートＩＰアドレスを取得し得る。ＩＶＩは、第１のプライベートＩＰアドレスを用いてＴ−ｂｏｘと通信する。
【０１３４】
３０６．Ｔ−ｂｏｘは、第１のプライベートＩＰアドレスに対応する第１のＡＰＮと第１の外部ＩＰアドレスとを用いてコンテンツプロバイダＴＳＰと通信し、ここで、第１のサービスまたは第２のサービスはトラフィックフリーサービスまたはトラフィック課金サービスであり、従って、ＴＳＰは異なるサービスにおいて異なる課金ポリシを実行し得る。
【０１３５】
このように、Ｔ−ｂｏｘは、ＮＡＴによって第１のプライベートＩＰアドレスを第１の外部ＩＰに変換し、対応する第１のＡＰＮと第１の外部ＩＰアドレスとを用いてＴＳＰと通信することにより、ＴＳＰがユーザに第１のサービスのサービスを提供し、第１のＡＰＮは第１のサービスのデータトラフィックにおける統計を収集する。
【０１３６】
３０７．ＩＶＩが第２のサービスを実行する場合、Ｔ−ｂｏｘは第２のプライベートＩＰアドレスに基づいてＩＶＩと通信する。
【０１３７】
可能な実装において、ユーザは第２のサービスを選択し得て、この場合、ＩＶＩは第２のサービスに基づいて第２のＡＰＮを決定して、そして第２のＡＰＮに基づいて第２のプライベートＩＰアドレスを決定するか、またはＴ−ｂｏｘから、第２のＡＰＮに対応する第２のプライベートＩＰアドレスを取得し得る。ＩＶＩは、第２のプライベートＩＰアドレスに基づいてＴ−ｂｏｘと通信する。
【０１３８】
３０８．Ｔ−ｂｏｘは、第２のプライベートＩＰアドレスに対応する第２のＡＰＮと第２の外部ＩＰアドレスとを用いてＴＳＰと通信する。
【０１３９】
このように、Ｔ−ｂｏｘは、ＮＡＴによって第２のプライベートＩＰアドレスを第２の外部ＩＰに変換し、対応する第２のＡＰＮと第２の外部ＩＰアドレスとを用いてＴＳＰと通信することにより、ＴＳＰがユーザに第２のサービスのサービスを提供し、第２のＡＰＮは第２のサービスのデータトラフィックにおける統計を収集する。
【０１４０】
第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集するので、インフォテインメントデバイスは、異なるサービスのトラフィックにおける統計を別々に収集できる。
【０１４１】
図１−４は、Ｔ−ｂｏｘ４００の概略図である。Ｔ−ｂｏｘ４００は、プライベートネットワーク通信モジュール４０１と外部ネットワーク通信モジュール４０２とを含む。プライベートネットワーク通信モジュール４０１は、ＩＶＩが第１のサービスを実行する場合、第１のプライベートＩＰアドレスを用いてＩＶＩと通信するように構成される。外部ネットワーク通信モジュール４０２は、第１のプライベートＩＰアドレスに対応する第１のＡＰＮと第１の外部ＩＰアドレスとを用いてコンテンツプロバイダＴＳＰと通信するように構成される。プライベートネットワーク通信モジュール４０１はさらに、ＩＶＩが第２のサービスと実行する場合、第２のプライベートＩＰアドレスを用いてＩＶＩと通信するように構成される。外部ネットワーク通信モジュール４０２はさらに、第２のプライベートＩＰアドレスに対応する第２のＡＰＮと第２の外部ＩＰアドレスとを用いてＴＳＰと通信するように構成される。
【０１４２】
第１の外部ＩＰアドレスに基づいて第１のサービスのデータトラフィックにおける統計を第１のＡＰＮが収集し、第２の外部ＩＰアドレスに基づいて第２のサービスのデータトラフィックにおける統計を第２のＡＰＮが収集するので、インフォテインメントデバイスは、異なるサービスのトラフィックにおける統計を別々に収集できる。
【０１４３】
いくつかの可能な実装において、Ｔ−ｂｏｘ４００はさらに、ＴＳＰにより送信される設定メッセージをＩＶＩに転送するように構成される送受信モジュール４０３を含み得る。設定メッセージは、第１のサービスが第１のＡＰＮに対応し、第２のサービスが第２のＡＰＮに対応するという内容を含む。従って、ＴＳＰはサービスとＡＰＮとの間の対応関係を動的に調整し得て、車両販売業者がサービスパッケージルールを柔軟に調整しビジネスパッケージプランと連携させることを助ける。
【０１４４】
いくつかの可能な実装において、Ｔ−ｂｏｘ４００はさらに、第１のプライベートＩＰアドレス、第１のＡＰＮおよび第１の外部ＩＰアドレスが互いに対応し、第２のプライベートＩＰアドレス、第２のＡＰＮおよび第２の外部ＩＰアドレスが互いに対応することを決定して、第１のプライベートＩＰアドレスと第２のプライベートＩＰアドレスとをＩＶＩに割り当てるように構成されるプロセッサ４０４を含み得る。従って、プライベートＩＰアドレスと外部ＩＰアドレスとが変化される場合、ＡＰＮは依然として、ＩＶＩにより用いられるサービスに対応し、異なるサービスのデータトラフィックにおける統計を収集し得る。
【０１４５】
図１−５は、ＩＶＩ５００の概略図である。ＩＶＩ５００は、プロセッサ５０１と通信モジュール５０２とを含む。プロセッサ５０１は、第１のサービスおよび／または第２のサービスを実行するように構成される。プロセッサ５０１が第１のサービスを実行する場合、通信モジュール５０２は、第１のプライベートＩＰアドレスを用いてＴ−ｂｏｘ４００と通信する。プロセッサ５０１が第２のサービスを実行する場合、Ｔ−ｂｏｘ４００は、第１のプライベートＩＰアドレスに対応する第１のＡＰＮと第１の外部ＩＰアドレスとを用いてコンテンツプロバイダＴＳＰと通信する。代替的に、通信モジュール５０２が第２のプライベートＩＰアドレスを用いてＴ−ｂｏｘと通信することにより、Ｔ−ｂｏｘ４００は第２のプライベートＩＰアドレスに対応する第２のＡＰＮと第２の外部ＩＰアドレスとを用いてＴＳＰと通信する。
【０１４６】
第１の外部ＩＰアドレスは、テレマティクスボックスの外部ＩＰアドレスであり、第１のプライベートＩＰアドレスに対応する。加えて、第１のプライベートＩＰアドレスはインフォテインメントデバイスのプライベートＩＰアドレスであり、第１のプライベートＩＰアドレスは第１のサービスに対応する。従って、第１のＡＰＮが、第１の外部ＩＰアドレスに基づいてデータトラフィックにおける統計を収集する場合、インフォテインメントデバイスによる第１のサービスの実行のデータトラフィックにおける統計が収集される。この場合、インフォテインメントデバイスは、異なるサービスのトラフィックにおける統計を別々に収集できる。
【０１４７】
いくつかの可能な実装において、ＩＶＩ５００はさらに、ＴＳＰにより送信され、かつＴ−ｂｏｘ４００により転送される設定メッセージを受信するように構成され、ここで、設定メッセージは、第１のサービスが第１のＡＰＮに対応し、第２のサービスが第２のＡＰＮに対応するという内容を含み、Ｔ−ｂｏｘ４００に割り当てられる第１のプライベートＩＰアドレスと第２のプライベートＩＰアドレスとを受信し、第１のプライベートＩＰアドレスが第１のＡＰＮに対応することと、第２のプライベートＩＰアドレスが第２のＡＰＮに対応することと、を決定するように構成される送受信モジュール５０３を含む。従って、プライベートＩＰアドレスと外部ＩＰアドレスとが変化される場合、ＡＰＮは依然として、ＩＶＩ５００により用いられるサービスに対応し、異なるサービスのデータトラフィックにおける統計を収集し得る。
【０１４８】
本願はさらに、車載用のサービス相互作用システムに適用されるテレマティクスボックスを提供し、ここで、テレマティクスボックスは、
【０１４９】
１つまたは複数のプロセッサ、メモリ、複数のアプリケーションプログラムおよび１つまたは複数のプログラムを含み、ここで、１つまたは複数のプログラムはメモリに記憶され、１つまたは複数のプログラムは命令を含み、当該命令が電子デバイスにより実行される場合、電子デバイスは、車載インフォテインメントＩＶＩシステムが第１のサービスを実行する場合、以下の段階を実行することが可能になる：第１のプライベートＩＰアドレスを用いてＩＶＩと通信する段階と、第１のプライベートＩＰアドレスに対応する第１のＡＰＮと第１の外部ＩＰアドレスとを用いてコンテンツプロバイダＴＳＰと通信する段階と、ＩＶＩが第２のサービスを実行する場合、第２のプライベートＩＰアドレスを用いてＩＶＩと通信する段階と、第２のプライベートＩＰアドレスに対応する第２のＡＰＮと第２の外部ＩＰアドレスとを用いてＴＳＰと通信する段階とを実行することが可能になる。第１の外部ＩＰアドレスは、テレマティクスボックスの外部ＩＰアドレスであり、第１のプライベートＩＰアドレスに対応する。加えて、第１のプライベートＩＰアドレスはインフォテインメントデバイスのプライベートＩＰアドレスであり、第１のプライベートＩＰアドレスは第１のサービスに対応する。従って、第１のＡＰＮが、第１の外部ＩＰアドレスに基づいてデータトラフィックにおける統計を収集する場合、インフォテインメントデバイスによる第１のサービスの実行のデータトラフィックにおける統計が収集される。この場合、インフォテインメントデバイスは、異なるサービスのトラフィックにおける統計を別々に収集できる。
【０１５０】
Ｔ−ｂｏｘはＷｉ−ＦｉまたはＵＳＢによってＩＶＩに接続され、Ｔ−ｂｏｘとＩＶＩとの間の柔軟な接続を実装する。第１のサービスまたは第２のサービスはトラフィックフリーサービスまたはトラフィック課金サービスであり、従ってＴＳＰは異なるサービスに対して異なる課金ポリシを実行し得る。
【０１５１】
いくつかの可能な実装において、少なくとも１つのプロセッサがいくつかの命令を実行して、入力デバイスがさらに、以下の段階を実行することを可能にする：ＴＳＰにより送信される設定メッセージをＩＶＩに転送することを可能にする段階。設定メッセージは、第１のサービスが第１のＡＰＮに対応し、第２のサービスが第２のＡＰＮに対応するという内容を含む。従って、ＴＳＰはサービスとＡＰＮとの間の対応関係を動的に調整し得て、車両販売業者がサービスパッケージルールを柔軟に調整しビジネスパッケージプランと連携させることを助ける。
【０１５２】
いくつかの可能な実装において、少なくとも１つのプロセッサは、入力デバイスが以下の段階をさらに実行することを可能にするいくつかの命令を実行する：第１のプライベートＩＰアドレス、第１のＡＰＮおよび第１の外部ＩＰアドレスが互いに対応し、第２のプライベートＩＰアドレス、第２のＡＰＮおよび第２の外部ＩＰアドレスが互いに対応することを決定する段階。従って、プライベートＩＰアドレスと外部ＩＰアドレスとが変化される場合、ＡＰＮは依然として、ＩＶＩにより用いられるサービスに対応し、異なるサービスのデータトラフィックにおける統計を収集し得る。
【０１５３】
いくつかの可能な実装において、少なくとも１つのプロセッサは、入力デバイスが以下の段階をさらに実行することを可能にするいくつかの命令を実行する：ＩＶＩに、第１のプライベートＩＰアドレスと第２のプライベートＩＰアドレスとを割り当てる段階。
【０１５４】
本願はさらに、車載用のサービス相互作用システムに適用される車載インフォテインメントシステムを提供し、ここで、車載インフォテインメントシステムは、
【０１５５】
１つまたは複数のプロセッサ、メモリ、複数のアプリケーションプログラムおよび１つまたは複数のプログラムを含み、ここで、１つまたは複数のプログラムはメモリに記憶され、１つまたは複数のプログラムは命令を含み、当該命令が電子デバイスにより実行される場合、電子デバイスは、ＩＶＩが第１のサービスを実行する場合、以下の段階を実行することが可能になる：第１のプライベートＩＰアドレスを用いてＴ−ｂｏｘと通信することにより、Ｔ−ｂｏｘが、第１のプライベートＩＰアドレスに対応する第１のＡＰＮと第１の外部ＩＰアドレスとを用いてコンテンツプロバイダＴＳＰと通信する段階。第２のサービスを実行する場合、ＩＶＩが第２のプライベートＩＰアドレスを用いてＴ−ｂｏｘと通信することにより、Ｔ−ｂｏｘは第２のプライベートＩＰアドレスに対応する第２のＡＰＮと第２の外部ＩＰアドレスとを用いてＴＳＰと通信する。第１の外部ＩＰアドレスは、テレマティクスボックスの外部ＩＰアドレスであり、第１のプライベートＩＰアドレスに対応する。加えて、第１のプライベートＩＰアドレスはインフォテインメントデバイスのプライベートＩＰアドレスであり、第１のプライベートＩＰアドレスは第１のサービスに対応する。従って、第１のＡＰＮが、第１の外部ＩＰアドレスに基づいてデータトラフィックにおける統計を収集する場合、インフォテインメントデバイスによる第１のサービスの実行のデータトラフィックにおける統計が収集される。この場合、インフォテインメントデバイスは、異なるサービスのトラフィックにおける統計を別々に収集できる。
【０１５６】
いくつかの可能な実装において、少なくとも１つのプロセッサは、入力デバイスがさらに以下の段階を実行することを可能にするいくつかの命令を実行する：ＴＳＰにより送信され、Ｔ−ｂｏｘにより転送される設定メッセージを受信する段階。設定メッセージは、第１のサービスが第１のＡＰＮに対応し、第２のサービスが第２のＡＰＮに対応するという内容を含む。従って、ＴＳＰはサービスとＡＰＮとの間の対応関係を動的に調整し得て、車両販売業者がサービスパッケージルールを柔軟に調整しビジネスパッケージプランと連携させることを助ける。
【０１５７】
いくつかの可能な実装において、少なくとも１つのプロセッサがいくつかの命令を実行して、入力デバイスがさらに、以下の段階を実行することを可能にする：Ｔ−ｂｏｘにより割り当てられた第１のプライベートＩＰアドレスと第２のプライベートＩＰアドレスとを受信する段階。
【０１５８】
いくつかの可能な実装において、少なくとも１つのプロセッサがいくつかの命令を実行して、入力デバイスがさらに、以下の段階を実行することを可能にする： 第１のプライベートＩＰアドレスが第１のＡＰＮに対応することと、第２のプライベートＩＰアドレスが第２のＡＰＮに対応することとを決定する段階。従って、プライベートＩＰアドレスと外部ＩＰアドレスとが変化される場合、ＡＰＮは依然として、ＩＶＩにより用いられるサービスに対応し、異なるサービスのデータトラフィックにおける統計を収集し得る。
【０１５９】
本願はさらに、コンピュータプログラムプロダクトを提供する。コンピュータプログラムプロダクトが電子デバイス上で動作する場合、テレマティクスボックスは上述の段階に説明される方法を実行することが可能になる。
【０１６０】
本願はさらに、コンピュータプログラムプロダクトを提供する。コンピュータプログラムプロダクトが電子デバイス上で動作する場合、車載インフォテインメントシステムは上述の段階に説明される方法を実行することが可能になる。
【０１６１】
本願はさらに、命令を含むコンピュータ可読記憶媒体を提供する。命令が電子デバイス上で動作する場合、テレマティクスボックスは上述の段階に説明される方法を実行することが可能になる。
【０１６２】
本願はさらに、命令を含むコンピュータ可読記憶媒体を提供する。命令が電子デバイス上で動作する場合、車載インフォテインメントシステムは上述の段階に説明される方法を実行することが可能になる。
【０１６３】
本願の実施形態におけるＴ−ｂｏｘ４００とＩＶＩ５００とは、端末であり得る。端末は、無線周波数（Ｒａｄｉｏ  Ｆｒｅｑｕｅｎｃｙ，ＲＦ）回路、メモリ、入力ユニット、表示ユニット、センサ、音声回路、ワイヤレス・フィディリティ（ｗｉｒｅｌｅｓｓ  ｆｉｄｅｌｉｔｙ，Ｗｉ−Ｆｉ）モジュール、プロセッサおよび電源などのコンポーネントを含み得る。当業者であれば、ノートブックコンピュータの上述の構造はノートブックコンピュータを限定するものではないことと、ノートブックコンピュータがより多くの、またはより少ないコンポーネントを含み得ること、またはいくつかのコンポーネントを組み合わせ得ること、または異なるコンポーネント配置を有し得ることとを理解し得る。
【０１６４】
図１−６は、端末のコンポーネントの概略図である。詳細は以下の通りである。
【０１６５】
ＲＦ回路Ｃ−１０は、情報を受信および送信するように構成されてよく、または通話プロセスにおいて信号を受信および送信するように構成されてよい。具体的に、基地局のダウンリンク情報を受信した後、ＲＦ回路Ｃ−１０は、処理のためにプロセッサＣ−８０にダウンリンク情報を送信する。加えて、携帯電話のアップリンク伝送のために設計されたデータが基地局に送信される。概して、ＲＦ回路Ｃ−１０はアンテナ、少なくとも１つの増幅器、送受信機、カプラ、低雑音増幅器（Ｌｏｗ  Ｎｏｉｓｅ  Ａｍｐｌｉｆｉｅｒ，ＬＮＡ）、およびデュプレクサなどを含むが、それらに限定されるものではない。加えて、ＲＦ回路Ｃ−１０はさらに、無線通信によってネットワークと別のデバイスと通信し得る。無線通信は、移動体通信用グローバルシステム（Ｇｌｏｂａｌ  Ｓｙｓｔｅｍ  ｆｏｒ  Ｍｏｂｉｌｅ  ｃｏｍｍｕｎｉｃａｔｉｏｎ，ＧＳＭ）、汎用パケット無線サービス（Ｇｅｎｅｒａｌ  Ｐａｃｋｅｔ  Ｒａｄｉｏ  Ｓｅｒｖｉｃｅ，ＧＰＲＳ）、符号分割多重アクセス（Ｃｏｄｅ  Ｄｉｖｉｓｉｏｎ  Ｍｕｌｔｉｐｌｅ  Ａｃｃｅｓｓ，ＣＤＭＡ）、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡ）、ロングタームエボリューション（Ｌｏｎｇ  Ｔｅｒｍ  Ｅｖｏｌｕｔｉｏｎ，ＬＴＥ）、電子メールおよびショートメッセージサービス（Ｓｈｏｒｔ  Ｍｅｓｓａｇｅ  Ｓｅｒｖｉｃｅ，ＳＭＳ）などを含むが、それらに限定されるものではない任意の通信規格またはプロトコルを用いて実行され得る。
【０１６６】
メモリＣ−２０は、ソフトウェアプログラムとモジュールとを記憶するように構成され得る。プロセッサＣ−８０は、メモリＣ−２０に記憶されているソフトウェアプログラムとモジュールとを動作して、端末およびデータ処理の様々な機能アプリケーションを実行する。メモリＣ−２０は主に、ストレージプログラムエリアとストレージデータエリアとを含み得て、ここで、ストレージプログラムエリアは、オペレーティングシステムおよび少なくとも１つの機能により必要とされるアプリケーションプログラム（例えば、サウンド再生機能またはイメージ表示機能）などを記憶し得る。データストレージエリアは、端末の使用に基づいて形成されるデータ（サウンドデータおよび電話帳など）などを記憶し得る。加えて、メモリＣ−２０は高スピードランダムアクセスメモリを含み得て、不揮発性メモリ、例えば少なくとも１つの磁気ディスクストレージコンポーネント、フラッシュメモリコンポーネント、または別の不揮発性ソリッドステートストレージコンポーネントをさらに含み得る。
【０１６７】
入力ユニットＣ−３０は、入力される数字または文字情報を受信し、端末のユーザ設定と機能制御とに関連するキー信号入力を生成するように構成され得る。具体的には、入力ユニットＣ−３０は、タッチパネルＣ−３１と他の入力デバイスＣ−３２を含み得る。タッチパネルＣ−３１は、タッチスクリーンとも称され、タッチパネルで、またはタッチパネルの近くでユーザにより実行されるタッチ操作（例えば、指またはスタイラスなどの任意の適切な物体またはアクセサリを用いてタッチパネルＣ−３１で、またはタッチパネルＣ−３１の近くでユーザにより実行される操作）を収集して、予め設定されたプログラムに基づいて対応する接続装置を駆動し得る。任意選択的に、タッチパネルＣ−３１は、タッチ検出装置とタッチコントローラとの２つの部品を含み得る。タッチ検出装置は、ユーザのタッチ位置を検出し、タッチ操作によりもたらされる信号を検出し、当該信号をタッチコントローラに伝送する。タッチコントローラは、タッチ検出装置からタッチ情報を受信し、当該タッチ情報をタッチポイント座標に変換し、当該タッチポイント座標をプロセッサＣ−８０に送信する。加えて、タッチコントローラは、プロセッサＣ−８０により送信されるコマンドを受信および実行することができる。加えて、タッチパネルＣ−３１は、抵抗式、静電容量式、赤外線式、表面音派式などの複数の種類を用いて実装され得る。タッチパネルＣ−３１に加えて、入力ユニットＣ−３０は、他の入力デバイスＣ−３２を含み得る。具体的には、他の入力デバイスＣ−３２は、１または複数の物理キーボード、ファンクションキー（ボリューム制御キーまたはオン／オフのキーなど）、トラックボール、マウスまたはジョイスティックを含み得るが、それらに限定されるものではない。
【０１６８】
表示ユニットＣ−４０は、ユーザによって入力された情報またはユーザに提供された情報および端末の様々なメニューを表示するように構成され得る。表示ユニットＣ−４０は、表示パネルＣ−４１を含み得る。任意選択的に、表示パネルＣ−４１は、液晶ディスプレイ（Ｌｉｑｕｉｄ  Ｃｒｙｓｔａｌ  Ｄｉｓｐｌａｙ，ＬＣＤ）または有機発光ダイオード（Ｏｒｇａｎｉｃ  Ｌｉｇｈｔ−Ｅｍｉｔｔｉｎｇ  Ｄｉｏｄｅ，ＯＬＥＤ）などの形で構成され得る。さらに、タッチパネルＣ−３１は、表示パネルＣ−４１をカバーし得る。タッチパネルＣ−３１で、またはタッチパネルＣ−３１の近くでタッチ操作を検出した後、タッチパネルＣ−３１は、当該タッチ操作をプロセッサＣ−８０に伝送して、タッチイベントの種類を決定し、そしてプロセッサＣ−８０は、当該タッチイベントの種類に基づいて表示パネルＣ−４１に対応する視覚的出力を提供する。図１−３におけるタッチパネルＣ−３１と表示パネルＣ−４１とは、２つの別個のコンポーネントとして用いられ、端末の入力および入力機能を実装する。しかしながら、いくつかの実施形態において、タッチパネルＣ−３１と表示パネルＣ−４１とは統合され、端末の入力および出力機能を実装し得る。
【０１６９】
端末はさらに、光センサ、運動センサおよび別のセンサなどの少なくとも１つの種類のセンサＣ−５０を含み得る。具体的には、光センサは、周辺光センサおよび近接センサを含み得る。周辺光センサは、周辺光の明るさに基づいて、表示パネルＣ−４１  の輝度を調整し得る。近接センサは、端末が耳に移動する場合、表示パネルＣ−４１および／またはバックライトをオフにし得る。運動センサの１つの種類として、加速度センサは、方向ごと（概して、３つの軸）の加速度の値を検出し、加速度センサが停止している場合に、重力の値と方向とを検出することができて、端末の姿勢（例えば、横向き画面と縦向き画面との間の切り替え、関連するゲームおよび磁力計姿勢キャリブレーション）および振動の識別（歩数計またはノックなど）に関連する機能などを認識するアプリケーションに適用可能である。ジャイロスコープ、気圧計、湿度計、温度計および赤外線センサなどの他のセンサも、端末に構成されてもよい。詳細は、本明細書で説明しない。
【０１７０】
音声回路Ｃ−６０、拡声器Ｃ−６１およびマイクロフォンＣ−６２は、ユーザと端末との間に音声インタフェースを提供することができる。音声回路Ｃ−６０は、音声データから変換される受信された電気信号を拡声器Ｃ−６１に伝送し得、拡声器Ｃ−６１は当該電気信号を音声信号に変換して出力する。加えて、マイクロフォンＣ−６２は収集された音声信号を電気信号に変換し、音声回路Ｃ−６０は電気信号を受信して、当該電気信号を音声データに変換して、そして当該音声データを処理のためにプロセッサＣ−８０に出力する。そして、音声回路Ｃ−６０は、音声データを、ＲＦ回路Ｃ−１０を用いて例えば別の端末に送信するか、またはさらなる処理のために音声データをメモリＣ−２０に出力する。
【０１７１】
Ｗｉ−Ｆｉは、近距離無線伝送技術に属する。Ｗｉ−ＦｉモジュールＣ−７０を用いて、端末は、ユーザの電子メールの受信および送信、ウェブページのブラウジング、およびストリーミングメディアへのアクセスなどを助けることができる。Ｗｉ−ＦｉモジュールＣ−７０は、ユーザに無線ブロードバンドインターネットへのアクセスを提供する。図１−３はＷｉ−ＦｉモジュールＣ−７０を示すが、Ｗｉ−ＦｉモジュールＣ−７０が端末の必須構成ではなく、要件に基づき、本発明の必須範囲を変更することなく省略され得ることが理解され得る。
【０１７２】
プロセッサＣ−８０は、端末の制御センタであり、様々なインタフェースと回線とを用いて全体端末の全ての部品に接続する。メモリＣ−２０に記憶されたソフトウェアプログラムおよび／またはモジュールを動作または実行し、メモリＣ−２０に記憶されたデータを呼び出すことにより、プロセッサＣ−８０は、端末の様々な機能およびデータ処理を実行して、端末に対する全体的な監視を実行する。任意選択的に、プロセッサＣ−８０は１または複数の処理ユニットを含み得る。好ましくは、プロセッサＣ−８０はアプリケーションプロセッサとモデムプロセッサとを統合し得る。アプリケーションプロセッサは主に、オペレーティングシステム、ユーザインタフェース、およびアプリケーションプログラムなどを処理する。モデムプロセッサは主に、無線通信を処理する。上述のモデムプロセッサは、プロセッサＣ−８０に統合されなくてよいことが理解され得る。
【０１７３】
端末はさらに、各コンポーネントに電力を供給する電源Ｃ−９０（バッテリなど）を含む。好ましくは、電源は電力供給管理システムを用いてプロセッサＣ−８０に論理的に接続され、それにより電力供給管理システムを用いて課金、放電および電力消費管理などの機能を実装し得る。
【０１７４】
図面には示されていないが、端末はさらに、カメラおよびブルートゥースモジュールなどを含み得る。詳細は、本明細書で説明しない。
【０１７５】
本願の実施形態に提供される技術的解決手段において、第１の外部ＩＰアドレスはテレマティクスボックスの外部ＩＰアドレスであり、第１のプライベートＩＰアドレスに対応する。加えて、第１のプライベートＩＰアドレスはインフォテインメントデバイスのプライベートＩＰアドレスであり、第１のプライベートＩＰアドレスは第１のサービスに対応する。従って、第１のＡＰＮが、第１の外部ＩＰアドレスに基づいてデータトラフィックにおける統計を収集する場合、インフォテインメントデバイスによる第１のサービスの実行のデータトラフィックにおける統計が収集される。この場合、インフォテインメントデバイスは、異なるサービスのトラフィックにおける統計を別々に収集できる。
【０１７６】
以下は、具体的な実施形態を参照して説明される。図２−１は、車載用のインフォテインメント相互作用システムの概略的アーキテクチャ図である。車載用のインフォテインメント相互作用システムは、車両の車載デバイスと車両遠隔サービスプロバイダ（Ｔｅｌｅｍａｔｉｃｓ  Ｓｅｒｖｉｃｅ  Ｐｒｏｖｉｄｅｒ，ＴＳＰ）を含む。
【０１７７】
ＴＳＰは、車両ユーザに遠隔情報処理を提供するように構成されることを注意すべきである。遠隔情報処理の業界チェーンにおいて、ＴＳＰは中心的位置にある。ＴＳＰは、位置サービスおよび通信サービスなどの現代のコンピュータ技術を組み合わせて、セキュリティ、遠隔メンテナンス、天気、ニュース、オンライン音楽およびリアルタイムナビゲーションなどのサービスを提供する。可能な実装において、ＴＳＰは、車両の車載デバイスと情報を交換して、対応するＴＳＰサービスを提供するように構成される。
【０１７８】
可能な実装において、車載デバイスは、Ｔ−ｂｏｘ（Ｔｅｌｅｍａｔｉｃｓ  ＢＯＸ，Ｔ−ｂｏｘ）および車載インフォテインメント（Ｉｎ−Ｖｅｈｉｃｌｅ  Ｉｎｆｏｔａｉｎｍｅｎｔ，ＩＶＩ）デバイスを含み得る。可能な実装において、Ｔ−ｂｏｘは、遠隔操作、遠隔診断および緊急通話などの豊富なＴＳＰサービスを車両ユーザに提供するか、またはＩＶＩにデータサービスチャネルを提供し得て、それによりＩＶＩは、オンライン音楽、天気、ニュース、リアルタイムトラヒック、インボックスおよび株などのより多くのオンラインエンタテインメントアプリケーションをサポートできる。本願のこの実施形態において、Ｔ−ｂｏｘは、ＩＶＩにデータサービスチャネルを提供してよく、例えば、ＬｉｎｕｘにおけるＥＣＭポートにマッピングされたＵＳＢインタフェース、または車載イーサネットインタフェースを用いてよく、あるいは別の接続方法、例えば無線Ｗｉ−Ｆｉ伝送を用いてよい。これは本明細書に限定されるものではない。
【０１７９】
可能な実装において、Ｔ−ｂｏｘはパケットデータプロトコル（Ｐａｃｋｅｔ  Ｄａｔａ  Ｐｒｏｔｏｃｏｌ，ＰＤＰ）機能、ルーター機能、ＮＡＴ機能、二重機械通信サーバおよびＴ−ｂｏｘサービスを含み得ることを注意すべきである。ＰＤＰ機能は、ＡＰＮにデータサービス接続を確立して、ＡＰＮから外部ＩＰを取得するために用いられ、外部ＩＰアドレスを用いてＬＴＥでＴＳＰへの通信接続を実装する。ＰＤＰ機能はＰＤＰマネージャを用いて実装され得て、ＰＤＰマネージャは主に、データサービスダイアルポリシとＡＰＮとを管理するように構成される。例えば、Ｔ−ｂｏｘは、開始の間にＰＤＰ接続を確立して、外部ＩＰアドレスを取得し、常にアクティブ化されたままである。ＰＤＰ接続が異常に干渉される場合、ＰＤＰ接続は再確立される。オペレータの切り替えがサポートされる間の干渉の場合、ＰＤＰマネージャはさらに、ＡＰＮの切り替えおよびＰＤＰ接続の再接続などに責任を負うように構成される。これは本明細書に限定されるものではない。
【０１８０】
Ｔ−ｂｏｘのルーターは、アップリンクおよびダウンリンクデータを実行するように構成される。アップリンクデータは、サーバからＴ−ｂｏｘ／ＩＶＩへのデータであり、送信先ＩＰアドレスとポート番号とに基づいて、データパケットが対応するアプリケーションに送られ、処理される。アップリンクデータは、Ｔ−ｂｏｘ／ＩＶＩからサーバへのデータであり、ソースＩＰアドレスに基づいて、対応するＰＤＰセッションを用いてデータパケットが送信される（ＡＰＮ連結）。いくつかの可能な実装において、Ｔ−ｂｏｘは、ＮＡＴによって、ＩＶＩのプライベートＩＰアドレスと外部ＩＰアドレスとの間にマッピング関係を確立して、プライベートＩＰアドレスのデータパケットを外部ＩＰアドレスのデータパケットに変換して、外部ＩＰアドレスのデータパケットをプライベートＩＰアドレスのデータパケットに変換し得る。
【０１８１】
いくつかの可能な実装において、Ｔ−ｂｏｘはさらに、ＩＶＩのデュアルコンピュータ通信クライアントにローカル通信接続を確立して、データパケットを処理する、例えば、ＴＳＰにより送られるＳＭＳまたは設定などの情報を転送するように構成される二重機械通信サービス端部を含み得る。
【０１８２】
いくつかの可能な実装において、Ｔ−ｂｏｘはビデオおよび音声エンタテインメント、タッチスクリーン、音声モジュール、および車両情報表示などを用いて、Ｔ−ｂｏｘの相互作用システムに基づいてユーザと相互作用し、バックグラウンドシステムを用いて携帯電話またはＴＳＰと通信し得、それにより、ユーザが携帯電話のアプリケーションを用いて車両情報を取得し、車載デバイスを制御する。具体的には、ユーザが携帯電話アプリケーションを用いてＴ−ｂｏｘに対して特定的な制御コマンドをＴ−ｂｏｘに送信する場合、ＴＳＰバックグラウンドは、Ｔ−ｂｏｘに監視要求命令を送信する。制御コマンドを取得した後、Ｔ−ｂｏｘは、バスを用いて制御パケットを送信し、車載デバイス（ＩＶＩを含む）を制御する。最後に、例えば、ユーザの車両の遠隔始動を助けること、エアコンの電源を入れること、および座席を適切な位置に調整することなどの操作結果が、ユーザの携帯電話アプリケーションにフィードバックされる。これは本明細書に限定されるものではない。
【０１８３】
ＡＰＮは、端末を用いてネットワークがアクセスされる場合にパラメータが構成される必要があるネットワークアクセス技術に関することを注意すべきである。ＡＰＮは、端末がネットワークにアクセスする特定のアクセス方式を決定する。端末におけるユーザは、インターネット、ｗａｐウェブサイト、グループ企業の内部ネットワークおよび業界の内部プライベートネットワークなどの複数の種類の外部ネットワークにアクセスし得る。異なるアクセスポイントは、異なる範囲で、かつ異なるアクセス方式でネットワークにアクセスし得る。アクティブ化された後に携帯電話によりアクセスされる予定の特定のネットワークを認識すべく、特定のネットワークセグメントのＩＰを割り当てるべく、ネットワーク側は、ＡＰＮを用いて区別する必要がある。言い換えれば、ＡＰＮは、端末が特定のアクセス方式で特定のネットワークにアクセスできることを決定する。可能な実装において、ＴＳＰは、ＡＰＮにより割り当てられる外部ＩＰを用いてＴ−ｂｏｘと通信する。本明細書での通信は、データサービス通信モードが用いられる場合に提供されるＴＣＰ、ＵＤＰ、ＨＴＴＰ、ＨＴＴＰおよびＭＱＴＴなどの上位階層アプリケーションプロトコルを指定しないことを注意すべきである。これは本明細書に限定されるものではない。いくつかの可能な実装において、ＴＳＰはさらに、ＩＰ／ＳＭＳを用いてＴ−ｂｏｘと通信し得る。
【０１８４】
いくつかの可能な実装において、ＩＶＩは、ＴＳＰサービスなどの一連のアプリケーション、および３次元ナビゲーション、リアルタイムのトラフィック状況、ＩＰＴＶ、補助運転、故障の検知、車両の情報、車体の制御、モバイルオフィスまたは無線通信などのオンラインベースのエンタテインメント機能を提供し、それにより車両の電子化、ネットワーキングおよびインテリジェンスレベルを格段に改善させることができる。可能な実装において、ＩＶＩはＴ−ｂｏｘに対してクライアントであり、Ｔ−ｂｏｘはＩＶＩに１または複数のプライベートＩＰアドレスを割り当てて、それによりＩＶＩにおけるネットワークアプリケーションがＴ−ｂｏｘと１または複数のプライベートＩＰアドレスとを用いてＴＳＰと通信し得る。可能な実装において、ＩＶＩにより送信されたデータパケットがＴ−ｂｏｘを通過する場合、Ｔ−ｂｏｘは、ＮＡＴ機能を用いてプライベートＩＰアドレスを外部ＩＰに変換してよく、そしてＴ−ｂｏｘの通信モジュールを用いて外部ＩＰアドレスをＴＳＰに送信する。ＴＳＰによって返されたデータをＴ−ｂｏｘが受信する場合、ＮＡＴは、外部ＩＰアドレスをプライベートＩＰアドレスのデータパケットに変換し得ることを注意すべきである。本願においては、少なくとも２つの第１のプライベートＩＰアドレス、第１の外部ＩＰおよび第１のＡＰＮが存在し得て、複数の第１のプライベートＩＰアドレス、第１の外部ＩＰおよび第１のＡＰＮが存在し得ることを注意すべきである。具体的には、少なくとも２つのプライベートＩＰアドレス、外部ＩＰおよびＡＰＮは、本願に提供される方法を実装するために同時に用いられることができる。
【０１８５】
可能な実装において、ＩＶＩはルーター、二重機械通信クライアントおよびＩＶＩサービスを含み得る。ＩＶＩのルーターは、例えば、Ｔ−ｂｏｘからＩＶＩへの、またはＩＶＩからＴ−ｂｏｘへのデータなどのアップリンクまたはダウンリンクデータパケットを実行して、送信先ＩＰとポート番号とに基づいて、処理のために、対応するアプリケーションにデータパケットを送るように構成されてよい。
【０１８６】
二十機械通信クライアントは、例えば、バックグラウンドと共に作動してＩＶＩを構成すること、およびプライベートＩＰアドレスを割り当てることなどのＩＶＩを用いてＴ−ｂｏｘとローカル通信を行うように構成される。ＩＶＩの第１のサービスは、第１のＡＰＮ、天気、ニュースおよび不正クエリなどを用いるサービスを含み得る。第１のＡＰＮを用いる第２のサービスは、リアルタイムトラヒックおよびオンライン音楽などを含み得る。
【０１８７】
本明細書でのサービスおよびサービスとＡＰＮとの間の連結関係は、例に過ぎないことを注意すべきである。実際の製品は、顧客により画定されたサービスとＡＰＮとを連結することによる顧客のサービスに基づいて実装される必要がある。
【０１８８】
Ｔ−ｂｏｘにおけるサービスの場合、Ｔ−ｂｏｘそのものが異なるサービスを識別し得ることを注意すべきである。従って、具体的なサービスの場合、対応するＩＰが選択され、料金パッケージに基づいて送信され得る。しかしながら、ＩＶＩの場合は、ＩＶＩが従来技術におけるＴ−ｂｏｘと通信して関連サービスを実行する必要がある場合、図２−２を参照されたい。図２−２は、従来技術におけるＩＶＩとＴ−ｂｏｘとの間の通信の概略図である。Ｔ−ｂｏｘは１つのプライベートＩＰアドレスのみをＩＶＩに割り当るので、ＩＶＩが関連サービスを実行する場合、Ｔ−ｂｏｘはプライベートＩＰアドレスを用いてのみトラフィックにおける統計を収集する。従って、ＩＶＩにおけるアプリケーションは１つのＡＰＮを用いて送出される。以下は、第１のサービスがサービス１であり、第２のサービスがサービス２であり、第１のＡＰＮがＡＰＮ１であり、第２のＡＰＮがＡＰＮ２であり、第１のプライベートＩＰアドレス１がプライベートＩＰアドレス１であり、第２のプライベートＩＰアドレスがプライベートＩＰアドレス２であり、第１の外部ＩＰアドレス１が外部ＩＰアドレス１であり、第１の外部ＩＰアドレス２が外部ＩＰアドレス２である例を用いて説明される。図２−３は、ＩＶＩのサービス１とサービス２とのデータトラフィックにおける統計を１つのＡＰＮが収集する概略図である。ＩＶＩにおけるアプリケーションは識別することができない。言い換えれば、統計データ収集および課金は、統一されたＡＰＮに基づいてＩＶＩのサービストラフィックにおいて実行される。従って、サービスに基づいて課金を別々に実行することができない。
【０１８９】
この場合、図２−４は、ＩＶＩがプライベートＩＰアドレス１およびプライベートＩＰアドレス２を用いて異なるサービスを別々に実行する概略図である。可能な実装において、Ｔ−ｂｏｘが２つのプライベートＩＰアドレスをＩＶＩに割り当てることにより、ＩＶＩは、２つの割り当てられたプライベートＩＰアドレスに基づいて２つのサービスに対応し得る。具体的には、例えばＩＰアドレス１‐サービス１およびプライベートＩＰアドレス２‐サービス２のようなトラフィック分類ルールによる工場出荷の前に、ＩＶＩはサービスとプライベートＩＰとの間の対応関係を予め決定し得る。Ｔ−ｂｏｘにより割り当てられた複数のプライベートＩＰアドレスが受信される場合、具体的には、内蔵型プライベートＩＰアドレスに値が割り当てられる、例えば、プライベートＩＰアドレス１＝１９２．１６８．０．１であり、プライベートＩＰアドレス２＝１９２．１６８．０．２であり、プライベートＩＰアドレス３＝１９２．１６８．０．３である場合、プライベートＩＰアドレスはサービスに対応し、例えば、プライベートＩＰ１‐サービス１、プライベートＩＰアドレス２‐サービス２である。
【０１９０】
可能な実装において、Ｔ−ｂｏｘは、２つのＡＰＮを有する２つのＰＤＰセッションを生成して、２つのＡＰＮにより割り当てられる２つの外部ＩＰを取得し得て、ここで、外部ＩＰはＡＰＮと一対一の対応関係にあり、例えば、外部ＩＰアドレス１＝１７２．１６．０．１であり、外部ＩＰアドレス２＝１７２．１６．０．２であり、ＡＰＮ１‐外部ＩＰアドレス１であり、ＡＰＮ２‐外部ＩＰアドレス２である。図２−５は、外部ＩＰアドレス１を用いてＡＰＮ１に基づき、外部ＩＰアドレス２を用いてＡＰＮ２に基づきＴ−ｂｏｘがＴＳＰと通信する概略図である。この場合、Ｔ−ｂｏｘがＴＳＰと通信する必要がある場合、Ｔ−ｂｏｘは、複数の外部ＩＰのうち１つを用いて対応するＡＰＮに基づいてＴＳＰと通信し得る。
【０１９１】
可能な実装において、Ｔ−ｂｏｘは、ネットワークアドレス変換（Ｎｅｔｗｏｒｋ  Ａｄｄｒｅｓｓ  Ｔｒａｎｓｌａｔｉｏｎ，ＮＡＴ）により複数のプライベートＩＰアドレスと複数の外部ＩＰとの間にマッピングおよび変換関係を確立し得る。具体的には、図２−６は、Ｔ−ｂｏｘがＮＡＴによってプライベートＩＰアドレスと外部ＩＰとの間でデータパケットを変換する概略図である。この実施形態において、プライベートＩＰアドレスと外部ＩＰアドレスとの対応関係は、プライベートＩＰアドレス１‐外部ＩＰアドレス１であり、プライベートＩＰアドレス２‐外部ＩＰアドレス２である。変換が成功した後、データパケットはＴＳＰに送信される。
【０１９２】
可能な実装において、ＴＳＰのバックグラウンドはＴ−ｂｏｘと相互作用して、対応するＴＳＰサービスを実装するように構成される。ＴＳＰはＩＰ／ＳＭＳを用いてＴ−ｂｏｘと相互作用し得る。可能な実装において、ＴＳＰのバックグラウンドは主に、ＩＶＩサービスとＡＰＮとの間の連結関係を動的に構成することに注目している。ＴＳＰは、外部ＩＰアドレスを用いてＴ−ｂｏｘと通信する。ＴＣＰ、ＵＤＰ、ＨＴＴＰ、ＨＴＴＰまたはＭＱＴＴなどの上位階層アプリケーションプロトコルは、本明細書で指定しない。データサービス通信モードが適用可能である。これは本明細書に限定されるものではない。
【０１９３】
以下は、車載用のインフォテインメント相互作用システムの動作手順の観点から説明される。図３−１は、トラフィック統計収集方法の概略図である。当該方法は、具体的には以下の段階を含む。
【０１９４】
７０１．Ｔ−ｂｏｘは、ＡＰＮでＰＤＰセッションを確立して、外部ＩＰアドレス１と外部ＩＰアドレス２とを取得する。
【０１９５】
可能な実装において、Ｔ−ｂｏｘがＴＳＰと通信する必要がある場合、Ｔ−ｂｏｘは、ＡＰＮを有するＰＤＰセッションを確立して外部ＩＰアドレスを取得する必要がある。本願のこの実施形態において、ＰＤＰセッションが２つのＡＰＮで確立された２つの外部ＩＰを取得する例が、説明のために用いられる。具体的には、Ｔ−ｂｏｘはＡＰＮ１とＡＰＮ２とでＰＤＰセッションを実行して、外部ＩＰアドレス１とＡＰＮ２とを取得し得て、ここで、ＡＰＮ１は外部ＩＰアドレス１に対応し、ＡＰＮ２は外部ＩＰアドレス２に対応する。Ｔ−ｂｏｘが再開するか、別の状況にある場合、Ｔ−ｂｏｘはＡＰＮとの対応関係を再確立、例えば、新たな外部ＩＰアドレス１'と新たな外部ＩＰアドレス２'を取得し得ることに注意すべきである。対応関係とは、ＡＰＮ１が外部ＩＰアドレス１'に対応し、ＡＰＮ２が外部ＩＰアドレス２'に対応することである。
【０１９６】
本願のこの実施形態において、ＡＰＮはデータトラフィックにおける統計を収集するために用いられ、この場合、当該ＡＰＮはサービスに対応し得ることを注意すべきである。具体的には、ＡＰＮが固定サービスのデータトラフィックにおける統計を収集するために用いられることにより、ＩＶＩがサービスを用いる場合、ＡＰＮは、サービスのデータトラフィックにおける統計を収集し得る。
【０１９７】
７０２．Ｔ−ｂｏｘは、プライベートＩＰアドレス１とプライベートＩＰアドレス２とをＩＶＩに割り当てる。
【０１９８】
可能な実装において、Ｔ−ｂｏｘは、複数のプライベートＩＰアドレスをＩＶＩに割り当て得る。本願のこの実施形態において、２つのプライベートＩＰアドレスが説明のために例として用いられており、例えば、プライベートＩＰアドレス１＝１９２．１６８．０．１であり、プライベートＩＰアドレス２＝１９２．１６８．０．２である。当該２つのプライベートＩＰアドレスを決定した後、Ｔ−ｂｏｘは、当該２つのプライベートＩＰアドレスをＩＶＩに送信して、それによりＩＶＩは複数のプライベートＩＰアドレスに対応する複数のプライベートＩＰアドレスおよびＡＰＮ：プライベートＩＰアドレス１‐ＡＰＮ１およびプライベートＩＰアドレス２‐ＡＰＮ２を決定し得る。
【０１９９】
本願のこの実施形態において、異なるサービスが１つのプライベートＩＰアドレスを共有して、具体的には、同じＡＰＮを用いてデータトラフィックにおける統計を収集し、例えば、サービスを無料サービスと課金サービスに、または高価格サービスと低価格サービスとに分類し得ることを注意すべきである。これは本明細書に限定されるものではない。例えば、無料サービスは、ニュースまたは天気などの少量のトラフィックのサービスであり得る。無料サービスは実際に、車両オペレータにより支払い済であり得て、ユーザには無料であり得る。課金サービスは、音楽、ビデオおよびリアルタイムナビゲーションなどの大量のトラフィックのサービスであり得る。いくつかの可能な実装において、サービスは、別の要因に基づいて異なるサービスに代替的に分類され得る。これは本明細書に限定されるものではない。
【０２００】
概して、Ｔ−ｂｏｘがプライベートＩＰアドレス１とプライベートＩＰアドレス２とをＩＶＩに一度割り当てると、Ｔ−ｂｏｘはプライベートIPアドレスを変更しないことを注意すべきである。しかしながら、プライベートＩＰアドレスは、いくつかの特別な状況により変化される必要があり得る。本願のこの実施形態において、プライベートＩＰアドレス１はプライベートＩＰアドレス１'に変化されてよく、プライベートＩＰアドレス２はプライベートＩＰアドレス２'に変化されてよい。この場合、Ｔ−ｂｏｘは対応関係を再決定し得る：プライベートＩＰアドレス１'‐ＡＰＮ１およびプライベートＩＰアドレス２‐ＡＰＮ２。ＩＶＩがサービス１を実行する場合、ＩＶＩは、プライベートＩＰアドレス１'を用いてＴ−ｂｏｘを通信し、Ｔ−ｂｏｘはプライベートＩＰアドレス１'を用いてＡＰＮ１を決定し得る。この場合、サービス１のデータトラフィックにおける統計は依然としてＡＰＮ１を用いて収集されてよく、プライベートＩＰアドレスの変更による影響を受けない。
【０２０１】
いくつかの可能な実装において、Ｔ−ｂｏｘは、複数のプライベートＩＰアドレスを、１つのＡＰＮに対応するＩＶＩに割り当て得る。例えば、ＡＰＮ１はプライベートＩＰアドレス１−１、プライベートＩＰアドレス１−２およびプライベートＩＰアドレス１−３に対応し、ＡＰＮ２はプライベートＩＰアドレス２−１、プライベートＩＰアドレス２−２およびプライベートＩＰアドレス２−３に対応する。この場合、ＩＶＩがサービス１を実行する必要がある場合、ＩＶＩはＡＰＮ１に基づいて、選択され得るプライベートＩＰアドレスはプライベートＩＰアドレス１−１、プライベートＩＰアドレス１−２およびプライベートＩＰアドレス１−３であることを決定する。ＩＶＩは、プライベートＩＰアドレス１−１、プライベートＩＰアドレス１−２およびプライベートＩＰアドレス１−３から１つ、例えば、プライベートＩＰアドレス１−２を選択して、プライベートＩＰアドレス１−２を用いてＴ−ｂｏｘと通信し得る。この場合、Ｔ−ｂｏｘは依然として、プライベートＩＰアドレス１−２に基づいて対応するＡＰＮ１と対応する外部ＩＰアドレス１とを決定してよく、外部ＩＰアドレス１を用いてＡＰＮ１に基づいてＴＳＰと通信してよい。この場合、ＡＰＮ１は依然として、ＩＶＩによりサービス１を実行するデータトラフィックにおける統計を収集してよい。
【０２０２】
７０３．ＩＶＩは、プライベートＩＰアドレス１‐ＡＰＮ１およびプライベートＩＰアドレス２‐ＡＰＮ２の対応関係を決定する。
【０２０３】
本願のこの実施形態において、Ｔ−ｂｏｘはさらに、プライベートＩＰアドレスとＡＰＮとの間の対応関係をＩＶＩに通知する。例えば、プライベートＩＰアドレス１はＡＰＮ１に対応し、プライベートＩＰアドレス２はＡＰＮ２に対応する。このように、ＩＶＩがプライベートＩＰアドレス１を用いてサービス１を実行する場合、データがＴ−ｂｏｘを通過し、サービス１は外部ＩＰアドレス１を用いてＡＰＮ１に基づいてＴＳＰと通信し、それによりＡＰＮ１はＩＶＩによりサービス１を実行するデータトラフィックにおける統計を収集する。ＩＶＩがプライベートＩＰアドレス２を用いてサービス２を実行する場合、データがＴ−ｂｏｘを通過し、サービス２は外部ＩＰアドレス２を用いてＡＰＮ２に基づいてＴＳＰと通信し、それによりＡＰＮ２はＩＶＩによりサービス２を実行するデータトラフィックにおける統計を収集する。
【０２０４】
７０４．Ｔ−ｂｏｘはＮＡＴによってマッピング関係を決定する：プライベートＩＰアドレス１→外部ＩＰアドレス１およびプライベートＩＰアドレス２→外部ＩＰアドレス２。
【０２０５】
本願のこの実施形態において、Ｔ−ｂｏｘがプライベートＩＰアドレス１とプライベートＩＰアドレス２とを決定し、外部ＩＰアドレス１と外部ＩＰアドレス２とを取得した後、プライベートＩＰアドレス１はＡＰＮ１に対応し、プライベートＩＰアドレス２はＡＰＮ２に対応し、外部ＩＰアドレス１はＡＰＮ１に対応し、外部ＩＰアドレス２はＡＰＮ２に対応するので、プライベートＩＰアドレス１は、ＡＰＮ１に基づいて外部ＩＰアドレス１に対応し得て、プライベートＩＰアドレス２はＡＰＮ２に基づいて外部ＩＰアドレス２に対応し得る。従って、ＮＡＴによるマッピング関係：プライベートＩＰアドレス１→ＡＰＮ１→外部ＩＰアドレス１とプライベートＩＰアドレス２→ＡＰＮ２→外部ＩＰアドレス２とが取得可能である。このように、プライベートＩＰアドレス１を用いてＩＶＩにより送信されたプライベートネットワークデータパケットを受信する場合、Ｔ−ｂｏｘは、ＮＡＴによってプライベートネットワークデータパケットを外部ネットワークデータパケットに変換し、外部ＩＰアドレス１を用いてＡＰＮ１に基づいてＴＳＰに外部ネットワークデータパケットを送信する。プライベートＩＰアドレス２を用いてＩＶＩにより送信されたプライベートネットワークデータパケットを受信する場合、Ｔ−ｂｏｘは、ＮＡＴによってプライベートネットワークデータパケットを外部ネットワークデータパケットに変換し、外部ＩＰアドレス２を用いてＡＰＮ２に基づいてＴＳＰに外部ネットワークデータパケットを送信する。
【０２０６】
７０５．ＴＳＰは、設定メッセージ‐対応関係：サービス１‐ＡＰＮ１およびサービス２‐ＡＰＮ２をＴ−ｂｏｘを用いてＩＶＩに送信する。
【０２０７】
いくつかの可能な実装において、ＡＰＮとサービスとの間の対応関係は、ＩＶＩにおいて予め設定され得る。この場合、ＩＶＩがサービス１を実行する必要がある場合、ＩＶＩは、サービス１に基づいてＡＰＮ１を決定し、ＡＰＮ１に基づいてプライベートＩＰアドレスを決定し、プライベートＩＰアドレスを用いてサービス１を実行し得る。いくつかの可能な実装において、代替的に、ＴＳＰは、ＡＰＮとサービスとの間の設定メッセージ‐対応関係：サービス１‐ＡＰＮとサービス２‐ＡＰＮ２とを能動的に送り得る。このように、ＩＶＩは、実行される必要があるサービスに基づいて、対応するＡＰＮと対応するプライベートＩＰアドレスとを決定できる。いくつかの可能な実装において、代替的に、ＡＰＮとサービスとの間の対応関係は、出荷時設定の間に予め設定され得る。設定メッセージが受信される場合、対応関係は、設定メッセージに基づいて更新されてもよく、または対応関係は予め設定されなくてもよい。これは本明細書に限定されるものではない。従って、ＴＳＰはサービスとＡＰＮとの間の対応関係を動的に調整できて、車両販売業者がサービスパッケージルールを柔軟に調整しビジネスパッケージプランと連携させることを助ける。
【０２０８】
７０６．ＩＶＩは、設定メッセージに基づいて、サービス１‐ＡＰＮ１‐プライベートＩＰアドレス１とサービス２‐ＡＰＮ２‐プライベートＩＰアドレス２の対応関係を決定する。
【０２０９】
本願のこの実施形態において、設定メッセージを受信した後、ＩＶＩは、サービス、ＡＰＮおよびプライベートＩＰアドレスの間の対応関係、具体的には、サービス１‐ＡＰＮ１‐プライベートＩＰアドレス１とサービス２‐ＡＰＮ２‐プライベートＩＰアドレス２とを決定し得る。サービス、ＡＰＮおよびプライベートＩＰアドレスの間の対応関係を決定した後、ＩＶＩは任意のサービスを選択し得る。当該任意選択的サービスは、サービス１‐音楽（ｍｕｓｉｃ）とサービス２‐ニュース（ｎｅｗｓ）を含む。音楽のデータトラフィックの料金は０．１元／分であり、ニュースのデータトラフィックは無料であると仮定する。この場合、ユーザは要件に基づいて任意選択的サービスから１つのサービスを選択し得る。いくつかの可能な実装において、ＩＶＩはユーザと相互作用するように構成されているタッチスクリーンを含み得ることを注意すべきである。
【０２１０】
７０７．ＩＶＩはサービス１を実行し、プライベートＩＰアドレス１を用いてＴ−ｂｏｘと通信する。
【０２１１】
本願のこの実施形態において、ユーザはＩＶＩにおいてサービス１を選択し得る。この場合、ＩＶＩは対応関係とサービスと１とに基づいてＡＰＮ１を決定し、ＡＰＮ１に基づいてプライベートＩＰアドレス１を決定し、そしてプライベートＩＰアドレス１を用いてＴ−ｂｏｘと通信する。
【０２１２】
７０８．Ｔ−ｂｏｘは、ＮＡＴによってプライベートＩＰアドレス１を外部ＩＰアドレス１に変換する。
【０２１３】
本願のこの実施形態において、ＩＶＩがプライベートＩＰアドレス１を用いてＴ−ｂｏｘと通信する場合、Ｔ−ｂｏｘは、プライベートＩＰアドレス１に基づいてＮＡＴによってＡＰＮ１を決定し、そして外部ＩＰアドレス１を決定し得る。ＩＶＩにより送信されたプライベートネットワークデータパケットを受信する場合、Ｔ−ｂｏｘはプライベートネットワークデータパケットを外部ネットワークデータパケットに変換して、外部ネットワークデータパケットをＴＳＰに送信し得ることを注意すべきである。加えて、ダウンリンク外部ネットワークデータパケットを受信する場合、Ｔ−ｂｏｘはさらに、ＮＡＴによって外部ネットワークデータパケットをプライベートネットワークデータパケットに変換し、プライベートネットワークデータパケットをＩＶＩに送り得る。
【０２１４】
７０９．Ｔ−ｂｏｘは、外部ＩＰアドレス１を用いてＡＰＮ１に基づいてＴＳＰと通信する。
【０２１５】
本願のこの実施形態において、プライベートＩＰアドレス１に基づいてＡＰＮ１が決定され、そして外部ＩＰアドレス１が決定されたことを決定した後、Ｔ−ｂｏｘは、外部ＩＰアドレス１を用いてＡＰＮ１に基づいてＴＳＰと通信し得る。
【０２１６】
７１０．ＡＰＮ１は、外部ＩＰアドレス１に基づいてデータトラフィックにおける統計を収集する。
【０２１７】
本願のこの実施形態において、データがＡＰＮ１を通過する場合、ＡＰＮ１は、外部ＩＰアドレス１に基づいてデータトラフィックにおける統計を収集し得る。外部ＩＰアドレス１はプライベートＩＰアドレス１に対応し、プライベートＩＰアドレス１はサービス１に対応するので、ＡＰＮ１は、ＩＶＩがサービス１を用いる場合に生成されたデータトラフィックにおける統計を収集する。上記に説明するように、プライベートＩＰアドレス１のプライベートＩＰアドレス１'への変化および／または外部ＩＰアドレス１の外部ＩＰアドレス１'への変化が行われたとしても、ＡＰＮ１はサービス１に対応してよい。この場合、ＡＰＮ１は、ＩＶＩによりサービス１を実行するデータトラフィックにおける統計を収集し続けてよい。
【０２１８】
７１１．ＩＶＩはサービス２を実行し、プライベートＩＰアドレス２を用いてＴ−ｂｏｘと通信する。
【０２１９】
本願のこの実施形態において、ユーザはＩＶＩにおいてサービス２を選択し得る。この場合、ＩＶＩは対応関係とサービスと２とに基づいてＡＰＮ２を決定し、ＡＰＮ２に基づいてプライベートＩＰアドレス２を決定し、そしてプライベートＩＰアドレス２を用いてＴ−ｂｏｘと通信する。
【０２２０】
７１２．Ｔ−ｂｏｘは、ＮＡＴによってプライベートＩＰアドレス２を外部ＩＰアドレス２に変換する。
【０２２１】
本願のこの実施形態において、ＩＶＩがプライベートＩＰアドレス２を用いてＴ−ｂｏｘと通信する場合、Ｔ−ｂｏｘは、プライベートＩＰアドレス２に基づいてＮＡＴによってＡＰＮ２を決定し、そして外部ＩＰアドレス２を決定し得る。ＩＶＩにより送信されたプライベートネットワークデータパケットを受信する場合、Ｔ−ｂｏｘはプライベートネットワークデータパケットを外部ネットワークデータパケットに変換して、外部ネットワークデータパケットをＴＳＰに送信し得ることを注意すべきである。加えて、ダウンリンク外部ネットワークデータパケットを受信する場合、Ｔ−ｂｏｘはさらに、ＮＡＴによって外部ネットワークデータパケットをプライベートネットワークデータパケットに変換し、プライベートネットワークデータパケットをＩＶＩに送り得る。
【０２２２】
７１３．Ｔ−ｂｏｘは、外部ＩＰアドレス２を用いてＡＰＮ２に基づいてＴＳＰと通信する。
【０２２３】
本願のこの実施形態において、プライベートＩＰアドレス２に基づいてＡＰＮ２が決定され、そして外部ＩＰアドレス２が決定されたことを決定した後、Ｔ−ｂｏｘは、外部ＩＰアドレス２を用いてＡＰＮ２に基づいてＴＳＰと通信し得る。
【０２２４】
７１４．ＡＰＮ２は、外部ＩＰアドレス２に基づいてデータトラフィックにおける統計を収集する。
【０２２５】
本願のこの実施形態において、データがＡＰＮ２を通過する場合、ＡＰＮ２は、外部ＩＰアドレス２に基づいてデータトラフィックにおける統計を収集し得る。外部ＩＰアドレス２はプライベートＩＰアドレス２に対応し、プライベートＩＰアドレス２はサービス２に対応するので、ＡＰＮ２は、ＩＶＩがサービス２を用いる場合に生成されたデータトラフィックにおける統計を収集する。上記に説明するように、プライベートＩＰアドレス２のプライベートＩＰアドレス２'への変化および／または外部ＩＰアドレス２の外部ＩＰアドレス２'への変化が行われたとしても、ＡＰＮ２はサービス２に対応してよい。この場合、ＡＰＮ２は、ＩＶＩによりサービス２を実行するデータトラフィックにおける統計を収集し続けてよい。
【０２２６】
外部ＩＰアドレス１を用いてサービス１のデータトラフィックにおける統計をＡＰＮ１が収集し、外部ＩＰアドレス２を用いてサービス２のデータトラフィックにおける統計をＡＰＮ２が収集するので、インフォテインメントデバイスは、異なるサービスのトラフィックにおける統計を別々に収集できる。
【０２２７】
上述したものは、相互作用システムの観点から説明されている。以下は、Ｔ−ｂｏｘの観点から説明される。図３−２は、別のトラフィック統計データ収集方法の概略図であり、当該方法は以下の段階を含む。
【０２２８】
８０１．Ｔ−ｂｏｘは、ＡＰＮでＰＤＰセッションを確立して、外部ＩＰアドレス１と外部ＩＰアドレス２とを取得する。
【０２２９】
８０２．Ｔ−ｂｏｘは、プライベートＩＰアドレス１とプライベートＩＰアドレス２とをＩＶＩに割り当てる。
【０２３０】
８０３．Ｔ−ｂｏｘはＮＡＴによってマッピング関係を決定する：プライベートＩＰアドレス１→外部ＩＰアドレス１およびプライベートＩＰアドレス２→外部ＩＰアドレス２。
【０２３１】
８０４．ＩＶＩはサービス１を実行し、Ｔ−ｂｏｘはプライベートＩＰアドレス１を用いてＩＶＩと通信する。
【０２３２】
８０５．Ｔ−ｂｏｘは、ＮＡＴによってプライベートＩＰアドレス１を外部ＩＰアドレス１に変換する。
【０２３３】
８０６．Ｔ−ｂｏｘは、外部ＩＰアドレス１を用いてＡＰＮ１に基づいてＴＳＰと通信する。
【０２３４】
８０７．ＡＰＮ１は、外部ＩＰアドレス１に基づいてデータトラフィックにおける統計を収集する。
【０２３５】
８０８．Ｔ−ｂｏｘは、外部ＩＰアドレス２を用いてＡＰＮ２に基づいてＴＳＰと通信する。
【０２３６】
８０９．ＡＰＮ２は、外部ＩＰアドレス２に基づいてデータトラフィックにおける統計を収集する。
【０２３７】
外部ＩＰアドレス１は、テレマティクスボックスの外部ＩＰアドレスであり、プライベートＩＰアドレス１に対応する。加えて、プライベートＩＰアドレス１はインフォテインメントデバイスのプライベートＩＰアドレスであり、プライベートＩＰアドレス１は第１のサービスに対応する。従って、ＡＰＮ１が、外部ＩＰアドレス１に基づいてデータトラフィックにおける統計を収集する場合、インフォテインメントデバイスによる第１のサービスの実行のデータトラフィックにおける統計が収集される。この場合、インフォテインメントデバイスは、異なるサービスのトラフィックにおける統計を別々に収集できる。
【０２３８】
以下は、Ｔ−ｂｏｘの観点から説明される。図３−３は、別のトラフィック統計データ収集方法の概略図であり、当該方法は以下の段階を含む。
【０２３９】
９０１．Ｔ−ｂｏｘは、プライベートＩＰアドレス１とプライベートＩＰアドレス２とをＩＶＩに割り当てる。
【０２４０】
９０２．ＩＶＩは、プライベートＩＰアドレス１‐ＡＰＮ１およびプライベートＩＰアドレス２‐ＡＰＮ２の対応関係を決定する。
【０２４１】
９０３．ＴＳＰは、設定メッセージ‐対応関係：サービス１‐ＡＰＮ１およびサービス２‐ＡＰＮ２をＴ−ｂｏｘを用いてＩＶＩに送信する。
【０２４２】
９０４．ＩＶＩは、設定メッセージに基づいて、サービス１‐ＡＰＮ１‐プライベートＩＰアドレス１とサービス２‐ＡＰＮ２‐プライベートＩＰアドレス２の対応関係を決定する。
【０２４３】
９０５．ＩＶＩはサービス１を実行し、プライベートＩＰアドレス１を用いてＴ−ｂｏｘと通信する。
【０２４４】
９０６．ＩＶＩはサービス２を実行し、プライベートＩＰアドレス２を用いてＴ−ｂｏｘと通信する。
【０２４５】
外部ＩＰアドレス１は、テレマティクスボックスの外部ＩＰアドレスであり、プライベートＩＰアドレス１に対応する。加えて、プライベートＩＰアドレス１はインフォテインメントデバイスのプライベートＩＰアドレスであり、プライベートＩＰアドレス１は第１のサービスに対応する。従って、ＡＰＮ１が、外部ＩＰアドレス１に基づいてデータトラフィックにおける統計を収集する場合、インフォテインメントデバイスによる第１のサービスの実行のデータトラフィックにおける統計が収集される。この場合、インフォテインメントデバイスは、異なるサービスのトラフィックにおける統計を別々に収集できる。
【０２４６】
上述したものは、車載用のインフォテインメント相互作用システムの動作手順の観点から説明されており、以下は一例として具体的な実施形態を用いて説明される。
【０２４７】
可能な実装において、ユーザは、内蔵型の車載用のインフォテインメント相互作用システムを有する車両を用いてよい。車載用のインフォテインメント相互作用システムは、車載デバイスとＴＳＰとを含み、車載デバイスはＴ−ｂｏｘとＩＶＩとを含む。Ｔ−ｂｏｘは、ＴＳＰと通信するように構成されているテレマティクスボックスであり、ＩＶＩにデータチャネルを提供し、それにより、ＩＶＩがサービスを実行する場合、ＩＶＩはＴ−ｂｏｘを用いてＴＳＰと通信する。いくつかの可能な実装において、ＩＶＩは、ニュース、天気予報、道路状況報告、オンライン音楽およびリアルタイムの通話などのサービスを提供し得る。いくつかの可能な実装において、異なるサービスは通信品質に対して異なる要件を有し、異なる量のデータトラフィックを消費する。事業上の理由で、一部の車両オペレータは、より多くのユーザを引き付けるために、ＩＶＩにおいていくつかの無料の（実際には車両オペレータにより支払い済である）少量のトラフィックのサービス（天気およびニュースなど）を顧客に提供し得る。しかしながら、オンライン音楽およびリアルタイムナビゲーションなどのより大きいトラフィックのいくつかの他のサービスの場合、顧客はサービス費用を支払う必要がある。従って、分類によってＩＶＩトラフィックにおける統計を収集する必要が生じる。この場合、いくつかの可能な実装において、サービスは無料サービス、トラフィック課金サービスまたは特別課金サービスであり得る。データトラフィックは非常に高価である。従って、特別課金サービスは、例えば、いくつかのビデオアプリケーションまたはオンライン音楽アプリケーションデータトラフィックのみで課金するモードより魅力的な課金方式を開始する。例えば、２Ｔトラフィックまたは無制限トラフィックは、１か月に１０ＲＭＢの費用がかかる。これは本明細書に限定されるものではない。いくつかの他の可能な実装において、サービスは別の方式で代替的に区別され得る。これは本明細書に限定されるものではない。
【０２４８】
可能な実装において、異なるサービスに異なデータトラフィック課金モードが用いられる必要があるので、異なるサービスのデータトラフィックにおける統計は、別々に収集される必要がある。現在のＩＶＩにおいて、Ｔ−ｂｏｘがサービスを実行する場合、Ｔ−ｂｏｘはまずサービスに関連するＡＰＮを決定し、ＡＰＮとＰＤＰセッションを確立して対応する外部ＩＰアドレスを取得して、そして外部ＩＰアドレスを用いてＡＰＮに基づいてサービスを実行し得る。サービスがオンライン音楽の場合、セッションが確立した後に、対応するＡＰＮが決定される。外部ＩＰアドレスは、外部ＩＰのデータアドレスである。この場合、ＡＰＮは外部ＩＰアドレスに基づいてデータトラフィックにおける統計を収集し得る。ＡＰＮはオンライン音楽を保持し得るが、音楽の保持のみならず、無線または別のサービスとしても機能し得ることを注意すべきである。しかしながら、ＡＰＮそのものはこれらのサービスを区別するわけではなく、外部ＩＰアドレスにより伝送されるトラフィックにおける統計のみを収集する。Ｔ−ｂｏｘは、異なるサービスに対して異なる外部ＩＰに対応する必要があり、具体的には、異なるサービスのデータトラフィックにおける統計を別々に収集し得る。
【０２４９】
可能な実装において、ＩＶＩはＴ−ｂｏｘより強力なエンタテインメント機能を有し、車両にインストールすることができる。ゲーム、ビデオ、ニュース、メールボックスおよび株などの関連サービスを実行すべく、ＩＶＩにはＴ−ｂｏｘを用いてデータサービスチャネルが提供される。車両の場合、車両での作業において複数のＩＶＩをサポートすべく、ＩＶＩの複数のデータサービスチャネルがＴ−ｂｏｘを用いて提供されることができる。ＩＶＩにおける多くのサービスも、別々のデータトラフィック統計データ収集を要求する。しかしながら、既存のＴ−ｂｏｘとＩＶＩとにおいて、ＩＶＩは１つのプライベートＩＰアドレスのみを有する。Ｔ−ｂｏｘはプライベートＩＰアドレスに値を割り当ててプライベートＩＰアドレスを取得し、それによりＩＶＩはプライベートＩＰアドレスを用いて全てのサービスを実行する。この場合、Ｔ−ｂｏｘは異なるサービスの区別ができず、統一された方式で同じ外部ＩＰを用いて同じＡＰＮに基づいてＴＳＰと相互作用する。従って、ＡＰＮは異なるサービスの区別ができず、異なるサービスのデータトラフィックにおける統計を収集することもできない。
【０２５０】
現在の市場において、Ｔ−ｂｏｘとＩＶＩとは１つの製品に統合される。これは、車載通信製品の初期の解決手段である。従って、Ｔ−ｂｏｘはＩＶＩにプライベートＩＰアドレスを割り当てる必要がないが、外部ＩＰアドレスを用いてサービスを直接実行することにより、データトラフィックにおける統計がサービスに基づいて別々に収集できるようにする。
【０２５１】
しかしながら、Ｔ−ｂｏｘとＩＶＩは１つの製品に属し、システム開発はより複雑であり、遠隔サービスのサポートはより大きい電力消費とより長い遅延をもたらす。加えて、当該解決手段の遠隔サービスを用いて端末をアクティブ化することは、全体システムの起動を必要とする。個別のＴ−ｂｏｘ製品と比較すると、自然電力消費と遅延とが増加する。加えて、Ｔ−ｂｏｘとＩＶＩとは異なるセキュリティレベルを有する。Ｔ−ｂｏｘは緊急通話などのサービスを保持し、高い信頼性およびセキュリティを要求する。一方、ＩＶＩはＴ−ｂｏｘほど高い信頼性およびセキュリティを要求しない。統合システムがＴ−ｂｏｘの要件に基づいて開発および検証される場合、製品コストが増加する。加えて、ＩＶＩは比較的強力な機能をサポートするので、通常、金属ハウジングはより良好な放熱のために用いられる。これは、無線通信モジュールが外部アンテナを用いることを要求し、比較的高い製品コストを要求する。加えて、全体車両はハーネスとアンテナとの位置を確保する必要がある。しかしながら、個別のＴ−ｂｏｘは、適切な放熱測定対策を設計した場合、内蔵型アンテナを用いることが可能であり、それにより製品コストを下げ、全体車両のケーブルを再構築する必要をなくす。
【０２５２】
現在、さらに以下の解決手段があり得る。Ｔ−ｂｏｘとＩＶＩとは２つの異なる製品である。Ｔ−ｂｏｘは、ＩＶＩにデータサービスを提供する。ＩＶＩの異なるサービスは、異なるサーバＩＰ（サービスを提供するサーバ）にアクセスする。サーバＩＰを識別することにより、異なるサービスが異なるＴ−ｂｏｘを通過し、異なる外部ＩＰを用いて異なるＡＰＮに基づいて送信されることにより、ＡＰＮはサービスのデータトラフィックにおける統計を収集する。
【０２５３】
しかしながら、当該解決手段は提供されたサービスに対応するサーバＩＰに依存するので、具体的なサービスの場合、ソースアドレスにＵＲＬが通常用いられ、そして対応するＩＰアドレスがパースを経てＤＮＳにより取得される。固定ＵＲＬが適用され得るが、サーバの再構成、ネットワークのマイグレーションまたはネットワーク構造の変更などの理由によりサーバＩＰが変化し得る。従って、当該解決手段が用いられる場合、サーバＩＰは変化する場合、データトラフィックにおける統計を正しく収集することができない。
【０２５４】
要するに、可能な実装において、車両オペレータは以下の解決手段を用いる：Ｔ−ｂｏｘは複数の外部ＩＰを事前に構成し、ＩＶＩは複数のプライベートＩＰアドレスを事前に構成する。Ｔ−ｂｏｘ、ＩＶＩおよびＴＳＰを含む車載用のインフォテインメント相互作用システムにおいて、プライベートＩＰアドレス、ＡＰＮおよび外部ＩＰアドレスは一対一の対応関係にある。Ｔ−ｂｏｘは、ＩＶＩのプライベートＩＰアドレスに値を割り当て得る。Ｔ−ｂｏｘは、ＡＰＮで確立されたＰＤＰセッションを用いて、外部ＩＰアドレスに割り当てられた値を取得してよく、プライベートＩＰアドレス、ＡＰＮおよび外部ＩＰアドレスの一対一の対応関係を取得してよい。具体的には、ＩＶＩがプライベートＩＰアドレス１を用いてサービス１を実行する場合、Ｔ−ｂｏｘは、外部ＩＰアドレス１を用いてＡＰＮ１に基づいてＴＳＰと通信する。この場合、ＡＰＮ１はＩＶＩによりサービス１を実行するデータトラフィックにおける統計を収集することができる。１つのＩＶＩのサービストラフィックにおける統計が分類によって収集され、車両オペレータによりサービス区別された料金パッケージを設ける根拠を提供し、顧客の要件を満たして、より多くのバイヤーを引き付け得ると期待される。当該解決手段の実装は、ＩＶＩサービスのサーバＩＰに依存せず、良好なネットワーク適合性（当該解決手段は、ネットワーク構造とＴＳＰサービスサーバとが変更する場合の影響を受けない）を有する。
【０２５５】
具体的には、図４−１は、ユーザが車載用のインフォテインメント相互作用システムを用いる方法の概略図である。
【０２５６】
Ｓ１．Ｔ−ｂｏｘは外部ＩＰアドレス１と外部ＩＰアドレス２とを取得する。
【０２５７】
可能な実装において、ユーザがＴ−ｂｏｘを有効にする場合、Ｔ−ｂｏｘは、ＡＰＮでＰＤＰセッションを確立して、外部ＩＰアドレスを取得し得る。本願のこの実施形態において、ＡＰＮ１とＡＰＮ２とでＰＤＰセッションが確立された例は、外部ＩＰアドレス１と外部ＩＰアドレス２とを取得するための説明に用いられる。ＡＰＮ１は外部ＩＰアドレス１に対応し、ＡＰＮ２は外部ＩＰアドレス２に対応する。図４−２は、Ｔ−ｂｏｘが外部ＩＰアドレス１と外部ＩＰアドレス２とを取得する概略図である。例えば、外部ＩＰアドレス１が１７２．１６．０．１であり得て、外部ＩＰアドレス２は７２．１６．０．２であり得る。
【０２５８】
具体的には、可能な実装において、Ｔ−ｂｏｘは１または複数のＡＰＮでＰＤＰセッションを実行し、複数の外部ＩＰを取得し得る。いくつかの可能な実装において、Ｔ−ｂｏｘは予め複数のＡＰＮでＰＤＰセッションを実行し、複数の外部ＩＰを取得し得る。Ｔ−ｂｏｘがＴＳＰと相互作用する必要がある場合、Ｔ−ｂｏｘは、プライベートＩＰアドレスに基づいてＡＰＮを決定し、外部ＩＰアドレスを決定し、外部ＩＰアドレスを用いてＴＳＰと通信する。いくつかの他の可能な実装において、Ｔ−ｂｏｘは、ＩＶＩにプライベートＩＰアドレスを割り当て、ＩＶＩにおいてサービス１を実行し、プライベートＩＰ１を用いて、必要とされるＡＰＮ１を決定し、必要とされる外部ＩＰアドレス１を決定し、そしてＡＰＮ１でＰＤＰセッションを実行して外部ＩＰアドレス１を取得し得る。
【０２５９】
本願のこの実施形態において、ＡＰＮはデータトラフィックにおける統計を収集するために用いられ、この場合、当該ＡＰＮはサービスに対応し得ることを注意すべきである。具体的には、ＡＰＮが固定サービスのデータトラフィックにおける統計を収集するために用いられることにより、ＩＶＩがサービスを用いる場合、ＡＰＮは、サービスのデータトラフィックにおける統計を収集し得る。
【０２６０】
いくつかの可能な実装において、Ｔ−ｂｏｘは予めＡＰＮでＰＤＰセッションを実行し、外部ＩＰアドレスを取得してよく、またはＴ−ｂｏｘがＴＳＰと通信する必要がある場合のみ、対応するＡＰＮでＰＤＰセッションを確立して外部ＩＰアドレスを取得してよい。これは本明細書に限定されるものではない。例えば、Ｔ−ｂｏｘがプライベートＩＰアドレス１を用いてＩＶＩと通信する場合、Ｔ−ｂｏｘは、プライベートＩＰアドレス１に基づいてＡＰＮ１を決定して、Ｔ−ｂｏｘはＡＰＮ１でＰＤＰセッションを確立して外部ＩＰアドレス１を取得し、そして外部ＩＰアドレス１を用いてＡＰＮ１に基づいてＴＳＰと通信する。
【０２６１】
Ｔ−ｂｏｘが有効になる度に、Ｔ−ｂｏｘはＡＰＮでＰＤＰセッションを確立し、新たな外部ＩＰアドレスを取得することを注意すべきである。いくつかの可能な実装において、Ｔ−ｂｏｘはＡＰＮでＰＤＰセッションを再確立し、新たな外部ＩＰアドレスを取得し得る。例えば、ＡＰＮ１とＡＰＮ２とでＰＤＰセッションを別々に確立して外部ＩＰアドレス１'と外部ＩＰアドレス２'とを取得し、外部ＩＰ１'‐ＡＰＮ１と外部ＩＰアドレス２'‐ＡＰＮ２との対応関係を更新する。
【０２６２】
Ｓ２．Ｔ−ｂｏｘは、プライベートＩＰアドレス１とプライベートＩＰアドレス２とをＩＶＩに割り当てる。
【０２６３】
可能な実装において、ＩＶＩを有効にした後、ユーザは、オンラインゲーム機能などのＩＶＩの機能を用いてよい。オンラインゲーム機能がサービス１であり、ニュース機能がサービス２であると仮定する。ＩＶＩはまず、サービス１とサービス２とに対応するプライベートＩＰアドレスを取得する必要がある。本願のこの実施形態において、Ｔ−ｂｏｘは、プライベートＩＰアドレス１とプライベートＩＰアドレス２などのプライベートＩＰアドレスをＩＶＩに割り当てて、プライベートＩＰアドレス１とプライベートＩＰアドレス２にそれぞれ対応するＡＰＮ１とＡＰＮ２とをＩＶＩに通知し得る。いくつかの可能な実装において、Ｔ−ｂｏｘはＩＶＩにプライベートＩＰアドレス１を能動的に割り当て得る。代替的に、ＩＶＩはＴ−ｂｏｘを能動的に要求し得る。代替的に、プライベートＩＰアドレス１は工場出荷の前に予め設定され得る。これは本明細書に限定されるものではない。この場合、Ｔ−ｂｏｘはプライベートＩＰアドレス１‐ＡＰＮ１‐外部ＩＰアドレス１とプライベートＩＰアドレス２‐ＡＰＮ２‐外部ＩＰアドレス２との対応関係を決定し得る。
【０２６４】
いくつかの可能な実装において、データサービスチャネルがＴ−ｂｏｘの端部およびＩＶＩ端部に確立している場合に、Ｔ−ｂｏｘおよびＩＶＩのデータは、ＵＳＢ（Ｌｉｎｕｘ（登録商標）のＥＣＭポートにマッピング）を用いるか、または車載イーサネット（登録商標）またはＷｉ−Ｆｉ無線接続などにより接続され得ることを注意すべきである。これは本明細書に限定されるものではない。
【０２６５】
図４−３は、Ｔ−ｂｏｘが、プライベートＩＰアドレス１とプライベートＩＰアドレス２とをＩＶＩに割り当てる概略図である。例えば、プライベートＩＰアドレス１が１９２．１６８．０．１であり、プライベートＩＰアドレス２が１９２．１６８．０．２である。プライベートＩＰアドレス１とプライベートＩＰアドレス２がＩＶＩに送信された後、プライベートＩＰアドレス１とプライベートＩＰアドレス２にそれぞれ対応するＡＰＮ１とＡＰＮ２は、さらに通知され得る。図４−４は、プライベートＩＰアドレス１‐ＡＰＮ１とプライベートＩＰアドレス２‐ＡＰＮ２との対応関係をＩＶＩが決定する概略図である。ＩＶＩは、プライベートＩＰアドレス１を用いてサービス１を実行し、プライベートＩＰアドレス２を用いてサービス２を実行し得る。
【０２６６】
本願のこの実施形態において、異なるサービスが１つのプライベートＩＰアドレスを共有して、具体的には、同じＡＰＮを用いてデータトラフィックにおける統計を収集し、例えば、サービスを無料サービスと課金サービスに、または高価格サービスと低価格サービスとに分類し得ることを注意すべきである。これは本明細書に限定されるものではない。例えば、無料サービスは、ニュースまたは天気などの少量のトラフィックのサービスであり得る。無料サービスは実際に、車両オペレータにより支払い済であり得て、ユーザには無料であり得る。課金サービスは、音楽、ビデオおよびリアルタイムナビゲーションなどの大量のトラフィックのサービスであり得る。いくつかの可能な実装において、サービスは、別の要因に基づいて異なるサービスに代替的に分類され得る。これは本明細書に限定されるものではない。
【０２６７】
可能な実装において、ＩＶＩは、具体的なサービスに基づいて選択して、プライベートＩＰアドレス１とサービス１となどのプライベートＩＰアドレスのうち１つを用いて、Ｔ−ｂｏｘと通信する。Ｔ−ｂｏｘは、プライベートＩＰアドレス１を用いてＩＶＩと通信し得る。しかしながら、ＩＶＩはＴＳＰにより提供されるサービスを必要とする。従って、ＩＶＩはＴ−ｂｏｘを用いてＴＳＰと通信する必要がある。この場合、Ｔ−ｂｏｘがＡＰＮ１に対応する外部ＩＰアドレス１を用いてＴＳＰと通信することにより、ＡＰＮ１は外部ＩＰアドレス１を用いて、通過するデータトラフィックにおける統計を収集する。
【０２６８】
概して、Ｔ−ｂｏｘがプライベートＩＰアドレス１とプライベートＩＰアドレス２とをＩＶＩに一度割り当てると、Ｔ−ｂｏｘはプライベートIPアドレスを変更しないことを注意すべきである。しかしながら、プライベートＩＰアドレスは、いくつかの特別な状況により変化される必要があり得る。本願のこの実施形態において、プライベートＩＰアドレス１はプライベートＩＰアドレス１'に変化されてよく、プライベートＩＰアドレス２はプライベートＩＰアドレス２'に変化されてよい。この場合、Ｔ−ｂｏｘは対応関係を再決定し得る：プライベートＩＰアドレス１'‐ＡＰＮ１およびプライベートＩＰアドレス２'‐ＡＰＮ２。ＩＶＩがサービス１を実行する場合、ＩＶＩは、プライベートＩＰアドレス１'を用いてＴ−ｂｏｘを通信し、Ｔ−ｂｏｘはプライベートＩＰアドレス１'を用いてＡＰＮ１を決定し得る。この場合、サービス１のデータトラフィックにおける統計は依然としてＡＰＮ１を用いて収集されてよく、プライベートＩＰアドレスの変更による影響を受けない。
【０２６９】
いくつかの可能な実装において、Ｔ−ｂｏｘは、複数のプライベートＩＰアドレスを、１つのＡＰＮに対応するＩＶＩに割り当て得る。例えば、ＡＰＮ１はプライベートＩＰアドレス１−１、プライベートＩＰアドレス１−２およびプライベートＩＰアドレス１−３に対応し、ＡＰＮ２はプライベートＩＰアドレス２−１、プライベートＩＰアドレス２−２およびプライベートＩＰアドレス２−３に対応する。この場合、ＩＶＩがサービス１を実行する必要がある場合、ＩＶＩはＡＰＮ１に基づいて、選択され得るプライベートＩＰアドレスはプライベートＩＰアドレス１−１、プライベートＩＰアドレス１−２およびプライベートＩＰアドレス１−３であることを決定する。ＩＶＩは、プライベートＩＰアドレス１−１、プライベートＩＰアドレス１−２およびプライベートＩＰアドレス１−３から１つ、例えば、プライベートＩＰアドレス１−２を選択して、プライベートＩＰアドレス１−２を用いてＴ−ｂｏｘと通信し得る。この場合、Ｔ−ｂｏｘは依然として、プライベートＩＰアドレス１−２に基づいて対応するＡＰＮ１と対応する外部ＩＰアドレス１とを決定してよく、外部ＩＰアドレス１を用いてＡＰＮ１に基づいてＴＳＰと通信してよい。この場合、ＡＰＮ１は依然として、ＩＶＩによりサービス１を用いるデータトラフィックにおける統計を収集してよい。
【０２７０】
ＡＰＮ１に対応するプライベートＩＰアドレス１と外部ＩＰアドレス１とを、およびＡＰＮ２に対応するプライベートＩＰアドレス２と外部ＩＰアドレス２とを決定する場合、Ｔ−ｂｏｘは、ＮＡＴによってマッピング関係を決定し得る：プライベートＩＰアドレス１‐外部ＩＰアドレス１とプライベートＩＰアドレス２‐外部ＩＰアドレス２。図４−５は、Ｔ−ｂｏｘがＮＡＴによってマッピング関係を決定する概略図である。ＮＡＴは、プライベートＩＰアドレスのデータパケットが受信された場合、データパケットを外部ＩＰアドレスのデータパケットに変換するように構成される。あるいは、外部ＩＰアドレスのデータパケットが受信された場合、データパケットはＮＡＴによってプライベートＩＰのデータパケットに変換される。
【０２７１】
いくつかの可能な実装において、Ｔ−ｂｏｘが、プライベートＩＰアドレス１'、プライベートＩＰアドレス２'およびプライベートＩＰアドレス３'などの複数のプライベートＩＰアドレスを再決定し、当該複数のプライベートＩＰアドレスをＩＶＩにあらためて送信することにより、ＩＶＩはプライベートＩＰアドレス１'‐ＡＰＮ１、プライベートＩＰアドレス２'‐ＡＰＮ２およびプライベートＩＰアドレス３'‐ＡＰＮ３の対応関係を更新し得る。
【０２７２】
Ｓ３．ＩＶＩは、サービス１‐ＡＰＮ１と、サービス２‐ＡＰＮ２との設定メッセージを受信する。
【０２７３】
可能な実装において、サービスはＡＰＮに対応する。具体的には、異なるＡＰＮは異なるサービス、例えば、ＡＰＮ１‐サービス１とＡＰＮ２‐サービス２のデータトラフィックにおける統計を収集する。いくつかの可能な実装において、ＩＶＩ端部がＡＰＮとサービスとの間の対応関係を予め決定してよく、またはＴＳＰがＩＶＩに設定メッセージを送信してよく、ここで、当該設定メッセージはサービスとＡＰＮとの間の対応関係を含む。具体的には、サービス１がＡＰＮに対応し、サービスと２がＡＰＮ２に対応することを決定した後、ＴＳＰは、設定メッセージを生成し、そしてＴ−ｂｏｘを用いてＩＶＩに設定メッセージを送信し得る。図４−６は、ＴＳＰが、設定メッセージをＩＶＩに送信する概略図である。図４−７は、ＩＶＩが、プライベートＩＰアドレス１‐ＡＰＮ１‐サービス１およびプライベートＩＰアドレス２‐ＡＰＮ２‐サービス２の対応関係を決定する概略図である。
【０２７４】
ＩＶＩがサービス１を実行する必要がある場合、ＩＶＩは、サービス１に基づいてＡＰＮ１を決定し、ＡＰＮ１に基づいてプライベートＩＰアドレス１を決定し、プライベートＩＰアドレス１を用いてＴ−ｂｏｘと通信し得る。従って、可能な実装において、ＴＳＰは、サービスとＡＰＮとの間の対応関係を動的に調整して、車両販売業者がサービスパッケージルールを柔軟に調整しビジネスパッケージプランと連携することを助け得る。
【０２７５】
Ｓ４．ＩＶＩはサービス１を実行する。
【０２７６】
可能な実装において、図４−８は、ＩＶＩが任意選択的サービスを表示する概略図である。ＩＶＩは、相互作用インタフェースでユーザの操作を受信し得る。操作インタフェースは複数のサービスを提供し、ユーザは当該複数のサービスからサービス１を選択し得る。この場合、ＩＶＩはサービスに基づいてＡＰＮ１を決定し、そしてＡＰＮ１に基づいてプライベートＩＰアドレス１を決定するか、またはＴ−ｂｏｘから、ＡＰＮ１に対応するプライベートＩＰアドレス１を取得して、プライベートＩＰアドレス１を用いてＴ−ｂｏｘと通信し、それによりＴ−ｂｏｘは、ＮＡＴによってプライベートＩＰアドレス１を外部ＩＰアドレス１に変換し得る。そしてＴ−ｂｏｘが外部ＩＰアドレス１を用いて対応するＡＰＮ１に基づいてＴＳＰと通信し、それによりＴＳＰがユーザにサービス１のサービスを提供し、ＡＰＮ１はサービス１のデータトラフィックにおける統計を収集する。
【０２７７】
可能な実装において、１または複数のプログラムに関連するインタフェースをＩＶＩが表示する場合、ユーザはサービスのうち１つを選択することができる。図４−９は、ユーザがサービス１を選択、例えばサービス１（ＭＵＳＩＣ）を選択する概略図である。サービス１は、０．１元／分の料金の課金サービスであると仮定する。この場合、ＩＶＩはサービス１を実行し得る。具体的には、ＩＶＩはサービス１を用いてＡＰＮ１を決定し、ＡＰＮ１を用いてプライベートＩＰアドレス１を決定し、プライベートＩＰアドレス１を用いてＴ−ｂｏｘと通信する。図４−１０は、ＩＶＩがプライベートＩＰアドレス１を用いてＴ−ｂｏｘと通信する概略図である。Ｔ−ｂｏｘは、ＮＡＴによってプライベートＩＰアドレス１に基づいてＡＰＮ１を決定し、外部ＩＰアドレス１をさらに決定する。図４−１１は、Ｔ−ｂｏｘがＮＡＴによってプライベートＩＰアドレス１を外部ＩＰアドレス１に変換する概略図である。Ｔ−ｂｏｘは、外部ＩＰアドレス１を用いてＡＰＮ１に基づいてＴＳＰと通信し得る。図４−１２は、Ｔ−ｂｏｘがＴＳＰと通信する概略図である。ＡＰＮ１は、外部ＩＰアドレス１に基づいて、通過するデータトラフィックにおける統計を収集して、ＩＶＩによりサービス１を実行する対応するデータトラフィックを取得する。図４−１３は、サービス１のデータトラフィックにおける統計をＡＰＮ１が収集した後のフィードバックの概略図である。
【０２７８】
Ｓ５．ＩＶＩはサービス２を実行する。
【０２７９】
可能な実装において、ユーザはサービス２を選択し得る。この場合、ＩＶＩはサービス２に基づいてＡＰＮ２を決定し、そしてＡＰＮ２に基づいてプライベートＩＰアドレス２を決定するか、またはＴ−ｂｏｘから、ＡＰＮ２に対応するプライベートＩＰアドレス２を取得して、プライベートＩＰアドレス２を用いてＴ−ｂｏｘと通信し、それによりＴ−ｂｏｘは、ＮＡＴによってプライベートＩＰアドレス２を外部ＩＰアドレス２に変換し得る。そしてＴ−ｂｏｘが外部ＩＰアドレス２を用いて対応するＡＰＮ２に基づいてＴＳＰと通信し、それによりＴＳＰがユーザにサービス２のサービスを提供し、ＡＰＮ２はサービス２のデータトラフィックにおける統計を収集する。
【０２８０】
可能な実装において、１または複数のプログラムに関連するインタフェースをＩＶＩが表示する場合、ユーザはサービスのうち１つを選択することができる。図４−１４は、ユーザがサービス２を選択、例えばサービス２（ＭＵＳＩＣ）を選択する概略図である。サービス２は、０．２元／分の料金の課金サービスであると仮定する。この場合、ＩＶＩはサービス２を実行し得る。具体的には、ＩＶＩはサービス２を用いてＡＰＮ２を決定し、ＡＰＮ２を用いてプライベートＩＰアドレス２を決定し、プライベートＩＰアドレス２を用いてＴ−ｂｏｘと通信する。図４−１５は、ＩＶＩがプライベートＩＰアドレス２を用いてＴ−ｂｏｘと通信する概略図である。Ｔ−ｂｏｘは、ＮＡＴによってプライベートＩＰアドレス２に基づいてＡＰＮ２を決定し、外部ＩＰアドレス２をさらに決定する。図４−１６は、Ｔ−ｂｏｘがＮＡＴによってプライベートＩＰアドレス２を外部ＩＰアドレス２に変換する概略図である。Ｔ−ｂｏｘは、外部ＩＰアドレス２を用いてＡＰＮ２に基づいてＴＳＰと通信し得る。図４−１７は、Ｔ−ｂｏｘがＴＳＰと通信する概略図である。ＡＰＮ２は、外部ＩＰアドレス２に基づいて、通過するデータトラフィックにおける統計を収集して、ＩＶＩによりサービス２を実行する対応するデータトラフィックを取得する。図４−１８は、サービス２のデータトラフィックにおける統計をＡＰＮ２が収集した後のフィードバックの概略図である。
【０２８１】
本願のこの実施形態において、プライベートＩＰを用いてＩＶＩと通信する場合、Ｔ−ｂｏｘは、２つの外部ＩＰと２つのＡＰＮとを同時に決定して、ＴＳＰと同時に通信し、それにより２つのＡＰＮが異なるサービスのデータトラフィックをそれぞれ計算し得る。ユーザがオンラインでニュースを読むと同時に音楽を聴きたい場合、ここで、ニュースはサービス２に属し、オンライン音楽はサービス２に属し、ＩＶＩは、プライベートＩＰアドレス２とプライベートＩＰアドレス２とを用いて、当該２つのサービスを同時に実行することができる。
【０２８２】
上述の実施形態の全てまたは一部は、ソフトウェア、ハードウェア、ファームウェア、またはそれらの任意の組み合わせを用いて実装されてよい。実施形態の実装にソフトウェアが使用される場合、実施形態は完全にまたは部分的にコンピュータプログラムプロダクトの形態で実装されてよい。
【０２８３】
コンピュータプログラムプロダクトは、１または複数のコンピュータ命令を含む。コンピュータプログラム命令がコンピュータ上でロードおよび実行されると、本願の実施形態に係る手順または機能の全てまたは一部が生成される。コンピュータは、汎用コンピュータ、専用コンピュータ、コンピュータネットワーク、または別のプログラマブル装置であってよい。コンピュータ命令は、コンピュータ可読記憶媒体に記憶されてよく、または１つのコンピュータ可読記憶媒体から別のコンピュータ可読記憶媒体に伝送されてよい。例えば、コンピュータ命令は１つのウェブサイト、コンピュータ、サーバまたはデータセンタから別のウェブサイト、コンピュータ、サーバまたはデータセンタに、有線（例えば、同軸ケーブル、光ファイバまたはデジタル加入者回線（（ＤＳＬ））または無線（例えば、赤外線、無線またはマイクロ波）方式で伝送され得る。コンピュータ可読記憶媒体は、サーバまたはデータセンタなどのコンピュータにアクセス可能な任意の使用可能な媒体、またはデータストレージデバイスであり、１または複数の使用可能な媒体を統合し得る。使用可能な媒体は、磁気媒体（例えば、フロッピディスク、ハードディスク、または磁気テープ）、光媒体（例えば、ＤＶＤ）または半導体媒体（例えば、ソリッドステートドライブＳｏｌｉｄ−Ｓｔａｔｅ  Ｄｒｉｖｅ（ＳＳＤ））などであり得る。
【図１−１】
2020532161.tif 000003
【図１−２】
2020532161.tif 000004
【図１−３】
2020532161.tif 000005
【図１−４】
2020532161.tif 000006
【図１−５】
2020532161.tif 000007
【図１−６】
2020532161.tif 000008
【図２−１】
2020532161.tif 000009
【図２−２】
2020532161.tif 000010
【図２−３】
2020532161.tif 000011
【図２−４】
2020532161.tif 000012
【図２−５】
2020532161.tif 000013
【図２−６】
2020532161.tif 000014
【図３−１】
2020532161.tif 000015
【図３−２】
2020532161.tif 000016
【図３−３】
2020532161.tif 000017
【図４−１】
2020532161.tif 000018
【図４−２】
2020532161.tif 000019
【図４−３】
2020532161.tif 000020
【図４−４】
2020532161.tif 000021
【図４−５】
2020532161.tif 000022
【図４−６】
2020532161.tif 000023
【図４−７】
2020532161.tif 000024
【図４−８】
2020532161.tif 000025
【図４−９】
2020532161.tif 000026
【図４−１０】
2020532161.tif 000027
【図４−１１】
2020532161.tif 000028
【図４−１２】
2020532161.tif 000029
【図４−１３】
2020532161.tif 000030
【図４−１４】
2020532161.tif 000031
【図４−１５】
2020532161.tif 000032
【図４−１６】
2020532161.tif 000033
【図４−１７】
2020532161.tif 000034
【図４−１８】
2020532161.tif 000035
【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
車載用のサービス相互作用システムに適用されるトラフィック統計収集方法であって、
車載インフォテインメント（ＩＶＩ）が第１のサービスを実行する場合、前記ＩＶＩが、第１のプライベートＩＰアドレスを用いてＴ−ｂｏｘと通信することにより、前記Ｔ−ｂｏｘが、第１のプライベートＩＰアドレスに対応する第１のＡＰＮと第１の外部ＩＰアドレスとを用いてテレマティクスサービスプロバイダ（ＴＳＰ）と通信する段階と、
前記ＩＶＩが第２のサービスを実行する場合、前記ＩＶＩが、第２のプライベートＩＰアドレスを用いて前記Ｔ−ｂｏｘと通信することにより、前記Ｔ−ｂｏｘが、前記第２のプライベートＩＰアドレスに対応する第２のＡＰＮと第２の外部ＩＰアドレスとを用いて前記ＴＳＰと通信する段階と
を備える、方法。
【請求項２】
前記方法はさらに、
前記ＩＶＩが、前記ＴＳＰにより送信され、かつ前記Ｔ−ｂｏｘにより転送される設定メッセージを受信する段階であって、前記設定メッセージは、前記第１のサービスが前記第１のＡＰＮに対応し、前記第２のサービスが前記第２のＡＰＮに対応するという内容を含む、受信する段階を備える、
請求項１に記載の方法。
【請求項３】
前記方法はさらに、
前記ＩＶＩが、Ｔ−ｂｏｘにより割り当てられた前記第１のプライベートＩＰアドレスと前記第２のプライベートＩＰアドレスとを受信する段階を備える、
請求項１または２に記載の方法。
【請求項４】
前記方法はさらに、
前記ＩＶＩが、前記第１のプライベートＩＰアドレスは前記第１のＡＰＮに対応し、前記第２のプライベートＩＰアドレスは前記第２のＡＰＮに対応することを決定する段階を備える、
請求項１から３の何れか一項に記載の方法。
【請求項５】
前記Ｔ−ｂｏｘは、Ｗｉ−ＦｉまたはＵＳＢによって前記ＩＶＩに接続される、
請求項１から４の何れか一項に記載の方法。
【請求項６】
前記第１のサービスまたは前記第２のサービスは、トラフィックフリーサービスまたはトラフィック課金サービスである、
請求項１から５の何れか一項に記載の方法。
【請求項７】
車載用のサービス相互作用システムに適用されるトラフィック統計収集方法であって、
車載インフォテインメント（ＩＶＩ）が第１のサービスを実行する場合、テレマティクスボックス（Ｔ−ｂｏｘ）が、第１のプライベートＩＰアドレスを用いて前記ＩＶＩと通信する段階と、
前記Ｔ−ｂｏｘが、前記第１のプライベートＩＰアドレスに対応する第１のＡＰＮと第１の外部ＩＰアドレスとを用いてテレマティクスサービスプロバイダ（ＴＳＰ）と通信する段階と、
前記ＩＶＩが第２のサービスを実行する場合、前記Ｔ−ｂｏｘが、第２のプライベートＩＰアドレスを用いて前記ＩＶＩと通信する段階と、
前記Ｔ−ｂｏｘが、前記第２のプライベートＩＰアドレスに対応する第２のＡＰＮと第２の外部ＩＰアドレスとを用いて前記ＴＳＰと通信する段階と
を備える、方法。
【請求項８】
前記方法はさらに、
前記Ｔ−ｂｏｘが、前記ＴＳＰにより送信される設定メッセージを前記ＩＶＩに転送する段階であって、前記設定メッセージは、前記第１のサービスは前記第１のＡＰＮに対応し、前記第２のサービスは前記第２のＡＰＮに対応するという内容を含む、転送する段階を備える、
請求項７に記載の方法。
【請求項９】
前記方法はさらに、
前記Ｔ−ｂｏｘが、前記第１のプライベートＩＰアドレスと前記第１のＡＰＮと前記第１の外部ＩＰアドレスとが対応し、前記第２のプライベートＩＰアドレスと前記第２のＡＰＮと前記第２の外部ＩＰアドレスが対応することを決定する段階を備える、
請求項７または８に記載の方法。
【請求項１０】
前記方法はさらに、前記Ｔ−ｂｏｘが、前記第１のプライベートＩＰアドレスと前記第２のプライベートＩＰアドレスとを前記ＩＶＩに割り当てる段階を備える、
請求項７から９の何れか一項に記載の方法。
【請求項１１】
前記Ｔ−ｂｏｘは、Ｗｉ−ＦｉまたはＵＳＢによって前記ＩＶＩに接続される、
請求項７から１０の何れか一項に記載の方法。
【請求項１２】
前記第１のサービスまたは前記第２のサービスは、トラフィックフリーサービスまたはトラフィック課金サービスである、
請求項７から１１の何れか一項に記載の方法。
【請求項１３】
車載用のサービス相互作用システムに適用されるテレマティクスボックスであって、前記テレマティクスボックスは、
１つまたは複数のプロセッサと、
メモリと、
複数のアプリケーションプログラムと、
１つまたは複数のプログラムと
を備え、
前記１つまたは複数のプログラムは前記メモリに記憶され、前記１つまたは複数のプログラムは命令を有し、前記命令が前記テレマティクスボックスにより実行される場合、前記テレマティクスボックスは、請求項７から１２の何れか一項に記載の方法を実行することが可能になる、
テレマティクスボックス。
【請求項１４】
車載用のサービス相互作用システムに適用される車載インフォテインメントシステムであって、
１つまたは複数のプロセッサと、
メモリと、
複数のアプリケーションプログラムと、
１つまたは複数のプログラムと
を備え、
前記１つまたは複数のプログラムは前記メモリに記憶され、前記１つまたは複数のプログラムは命令を有し、前記命令が前記車載インフォテインメントシステムにより実行される場合、前記車載インフォテインメントシステムは、請求項１から６の何れか一項に記載の方法を実行することが可能になる、
車載インフォテインメントシステム。
【請求項１５】
プログラムが電子デバイス上で動作する場合、テレマティクスボックスが、請求項７から１２の何れか一項に記載の方法を実行することが可能になる、
プログラム。
【請求項１６】
プログラムが電子デバイス上で動作する場合、車載インフォテインメントシステムが、請求項１から６の何れか一項に記載の方法を実行することが可能になる、
プログラム。
【請求項１７】
プログラムが命令を記憶し、前記命令が電子デバイス上で動作する場合、前記テレマティクスボックスは、請求項７から１２の何れか一項に記載の方法を実行することが可能な、
プログラム。
【請求項１８】
プログラムが命令を記憶し、前記命令が電子デバイス上で動作する場合、前記車載インフォテインメントは、請求項１から６の何れか一項に記載の方法を実行することが可能な、
プログラム。
【手続補正２】
【補正対象書類名】明細書
【補正対象項目名】００４３
【補正方法】変更
【補正の内容】
【００４３】
本願の実施形態における第９の態様は、車載用のサービス相互作用システムに適用されるＴ−ｂｏｘを提供する。Ｔ−ｂｏｘは、１つまたは複数のプロセッサ、メモリ、複数のアプリケーションプログラム、および１つまたは複数のプログラムを含む。１つまたは複数のプログラムはメモリに記憶され、１つまたは複数のプログラムは命令を含み、当該命令がＴ−ｂｏｘにより実行される場合、Ｔ−ｂｏｘは以下の段階を実行することが可能になる。ＩＶＩが第１のサービスを実行する場合、Ｔ−ｂｏｘは第１のプライベートＩＰアドレスを用いてＩＶＩと通信し、第１のプライベートＩＰアドレスに対応する第１のＡＰＮと第１の外部ＩＰアドレスとを用いてＴＳＰと通信する段階。ＩＶＩが第２のサービスを実行する場合、Ｔ−ｂｏｘは、第２のプライベートＩＰアドレスを用いてＩＶＩと通信し、第２のプライベートＩＰアドレス対応する第２のＡＰＮと第２の外部ＩＰアドレスとを用いてＴＳＰと通信する。
【手続補正３】
【補正対象書類名】明細書
【補正対象項目名】００４５
【補正方法】変更
【補正の内容】
【００４５】
いくつかの可能な実装において、Ｔ−ｂｏｘにおける少なくとも１つのプロセッサがいくつかの命令を実行して、ＴＳＰにより送信される設定メッセージをＴ−ｂｏｘがさらにＩＶＩに転送することを可能にする。設定メッセージは、第１のサービスが第１のＡＰＮに対応し、第２のサービスが第２のＡＰＮに対応するという内容を含む。ＴＳＰはサービスとＡＰＮとの間の対応関係を動的に調整し得て、車両販売業者がサービスパッケージルールを柔軟に調整しビジネスパッケージプランと連携させることを助ける。
【手続補正４】
【補正対象書類名】明細書
【補正対象項目名】００４６
【補正方法】変更
【補正の内容】
【００４６】
いくつかの可能な実装において、Ｔ−ｂｏｘにおける少なくとも１つのプロセッサは、第１のプライベートＩＰアドレス、第１のＡＰＮおよび第１の外部ＩＰアドレスが互いに対応し、第２のプライベートＩＰアドレス、第２のＡＰＮおよび第２の外部ＩＰアドレスが互いに対応することをさらに決定して、第１のプライベートＩＰアドレスと第２のプライベートＩＰアドレスとをＩＶＩに割り当てることをＴ−ｂｏｘに可能にするいくつかの命令を実行する。従って、プライベートＩＰアドレスと外部ＩＰアドレスとが変化される場合、ＡＰＮは依然として、ＩＶＩにより用いられるサービスに対応し、異なるサービスのデータトラフィックにおける統計を収集し得る。
【手続補正５】
【補正対象書類名】明細書
【補正対象項目名】００４７
【補正方法】変更
【補正の内容】
【００４７】
本願の実施形態における第１０の態様は、車載用のサービス相互作用システムに適用されるＴ−ｂｏｘを提供する。Ｔ−ｂｏｘは、１つまたは複数のプロセッサ、メモリ、複数のアプリケーションプログラム、および１つまたは複数のプログラムを含む。１つまたは複数のプログラムはメモリに記憶され、１つまたは複数のプログラムは命令を含み、当該命令がＴ−ｂｏｘにより実行される場合、Ｔ−ｂｏｘは、第１のプライベートＩＰアドレス、第１のＡＰＮおよび第１の外部ＩＰアドレスが互いに対応し、第２のプライベートＩＰアドレス、第２のＡＰＮおよび第２の外部ＩＰアドレスが互いに対応することを決定し、第１のプライベートＩＰアドレスと第２のプライベートＩＰアドレスとをＩＶＩに割り当てることを可能にする。従って、プライベートＩＰアドレスと外部ＩＰアドレスとが変化される場合、ＡＰＮは依然として、ＩＶＩにより用いられるサービスに対応し、異なるサービスのデータトラフィックにおける統計を収集し得る。
【手続補正６】
【補正対象書類名】明細書
【補正対象項目名】００５０
【補正方法】変更
【補正の内容】
【００５０】
Ｔ−ｂｏｘにおける少なくとも１つのプロセッサがいくつかの命令を実行して、Ｔ−ｂｏｘが、ＴＳＰにより送信される設定メッセージをＩＶＩにさらに転送することを可能にする。設定メッセージは、第１のサービスが第１のＡＰＮに対応し、第２のサービスが第２のＡＰＮに対応するという内容を含む。ＴＳＰはサービスとＡＰＮとの間の対応関係を動的に調整し得て、車両販売業者がサービスパッケージルールを柔軟に調整しビジネスパッケージプランと連携させることを助ける。
【手続補正７】
【補正対象書類名】明細書
【補正対象項目名】００５２
【補正方法】変更
【補正の内容】
【００５２】
本願の実施形態における第１１の態様は、車載用のサービス相互作用システムに適用される電子デバイスを提供する。電子デバイスは、１つまたは複数のプロセッサ、メモリ、複数のアプリケーションプログラム、および１つまたは複数のプログラムを含む。１つまたは複数のプログラムはメモリに記憶され、１つまたは複数のプログラムは命令を含み、電子デバイスにより命令が実行される場合、電子デバイスは、第１のサービスおよび／または第２のサービスを実行することが可能になる。第１のサービスを実行する場合、電子デバイスが第１のプライベートＩＰアドレスを用いてＴ−ｂｏｘと通信することにより、Ｔ−ｂｏｘは第１のプライベートＩＰアドレスに対応する第１のＡＰＮと第１の外部ＩＰアドレスとを用いてＴＳＰと通信することを含む。第２のサービスを実行する場合、電子デバイスが第２のプライベートＩＰアドレスを用いてＴ−ｂｏｘと通信することにより、Ｔ−ｂｏｘは第２のプライベートＩＰアドレスに対応する第２のＡＰＮと第２の外部ＩＰアドレスとを用いてＴＳＰと通信し得る。
【手続補正８】
【補正対象書類名】明細書
【補正対象項目名】００５４
【補正方法】変更
【補正の内容】
【００５４】
いくつかの可能な実装において、Ｔ−ｂｏｘにおける少なくとも１つのプロセッサがいくつかの命令を実行して、電子デバイスが、ＴＳＰにより送信され、Ｔ−ｂｏｘにより転送される設定メッセージをさらに受信することを可能にする。設定メッセージは、第１のサービスが第１のＡＰＮに対応し、第２のサービスが第２のＡＰＮに対応するという内容を含む。ＴＳＰはサービスとＡＰＮとの間の対応関係を動的に調整できて、車両販売業者がサービスパッケージルールを柔軟に調整しビジネスパッケージプランと連携させることを助ける。
【手続補正９】
【補正対象書類名】明細書
【補正対象項目名】００５５
【補正方法】変更
【補正の内容】
【００５５】
いくつかの可能な実装において、Ｔ−ｂｏｘにおける少なくとも１つのプロセッサがいくつかの命令を実行して、電子デバイスが、Ｔ−ｂｏｘにより割り当てられる第１のプライベートＩＰアドレスと第２のプライベートＩＰアドレスとをさらに受信することを可能にする。電子デバイスは、第１のプライベートＩＰアドレスが第１のＡＰＮに対応し、第２のプライベートＩＰアドレスが第２のＡＰＮに対応することを決定する。従って、プライベートＩＰアドレスと外部ＩＰアドレスとが変化される場合、ＡＰＮは依然として、ＩＶＩにより用いられるサービスに対応し、異なるサービスのデータトラフィックにおける統計を収集し得る。
【手続補正１０】
【補正対象書類名】明細書
【補正対象項目名】００５６
【補正方法】変更
【補正の内容】
【００５６】
本願の実施形態における第１２の態様は、車載用のサービス相互作用システムに適用される電子デバイスを提供する。電子デバイスは、１つまたは複数のプロセッサ、メモリ、複数のアプリケーションプログラム、および１つまたは複数のプログラムを含む。１つまたは複数のプログラムはメモリに記憶され、１つまたは複数のプログラムは命令を含み、電子デバイスにより命令が実行される場合、電子デバイスは、ＴＳＰにより送信され、かつＴ−ｂｏｘにより転送される設定メッセージを受信することが可能になる。設定メッセージは、第１のサービスが第１のＡＰＮに対応し、第２のサービスが第２のＡＰＮに対応するという内容を含む。ＴＳＰはサービスとＡＰＮとの間の対応関係を動的に調整できて、車両販売業者がサービスパッケージルールを柔軟に調整しビジネスパッケージプランと連携させることを助ける。
【手続補正１１】
【補正対象書類名】明細書
【補正対象項目名】００６１
【補正方法】変更
【補正の内容】
【００６１】
本願の実施形態における第１３の態様は、コンピュータプログラムプロダクトを提供する。コンピュータプログラムプロダクトが電子デバイス上で動作する場合、電子デバイスは上述の態様における方法を実行することが可能になる。
【手続補正１２】
【補正対象書類名】明細書
【補正対象項目名】００６２
【補正方法】変更
【補正の内容】
【００６２】
本願の実施形態における第１４の態様は、コンピュータプログラムプロダクトを提供する。コンピュータプログラムプロダクトが電子デバイス上で動作する場合、電子デバイスは上述の態様における方法を実行することが可能になる。
【手続補正１３】
【補正対象書類名】明細書
【補正対象項目名】００６３
【補正方法】変更
【補正の内容】
【００６３】
本願の実施形態における第１５の態様は、命令を含むコンピュータ可読記憶媒体を提供する。命令が電子デバイス上で動作する場合、電子デバイスは上述の態様における方法を実行することが可能になる。
【手続補正１４】
【補正対象書類名】明細書
【補正対象項目名】００６４
【補正方法】変更
【補正の内容】
【００６４】
本願の実施形態における第１６の態様は、命令を含むコンピュータ可読記憶媒体を提供する。命令が電子デバイス上で動作する場合、電子デバイスは上述の態様における方法を実行することが可能になる。
【手続補正１５】
【補正対象書類名】明細書
【補正対象項目名】０１６５
【補正方法】変更
【補正の内容】
【０１６５】
ＲＦ回路Ｃ−１０は、情報を受信および送信するように構成されてよく、または通話プロセスにおいて信号を受信および送信するように構成されてよい。具体的に、基地局のダウンリンク情報を受信した後、ＲＦ回路Ｃ−１０は、処理のためにプロセッサＣ−８０にダウンリンク情報を送信する。加えて、携帯電話のアップリンク伝送のために設計されたデータが基地局に送信される。概して、ＲＦ回路Ｃ−１０はアンテナ、少なくとも１つの増幅器、送受信機、カプラ、低雑音増幅器（Ｌｏｗ  Ｎｏｉｓｅ  Ａｍｐｌｉｆｉｅｒ，ＬＮＡ）、およびデュプレクサなどを含むが、それらに限定されるものではない。加えて、ＲＦ回路Ｃ−１０はさらに、無線通信によってネットワークと別のデバイスと通信し得る。無線通信は、移動体通信用グローバルシステム（Ｇｌｏｂａｌ  Ｓｙｓｔｅｍ  ｆｏｒ  Ｍｏｂｉｌｅ  ｃｏｍｍｕｎｉｃａｔｉｏｎ，ＧＳＭ（登録商標））、汎用パケット無線サービス（Ｇｅｎｅｒａｌ  Ｐａｃｋｅｔ  Ｒａｄｉｏ  Ｓｅｒｖｉｃｅ，ＧＰＲＳ）、符号分割多重アクセス（Ｃｏｄｅ  Ｄｉｖｉｓｉｏｎ  Ｍｕｌｔｉｐｌｅ  Ａｃｃｅｓｓ，ＣＤＭＡ）、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡ（登録商標））、ロングタームエボリューション（Ｌｏｎｇ  Ｔｅｒｍ  Ｅｖｏｌｕｔｉｏｎ，ＬＴＥ）、電子メールおよびショートメッセージサービス（Ｓｈｏｒｔ  Ｍｅｓｓａｇｅ  Ｓｅｒｖｉｃｅ，ＳＭＳ）などを含むが、それらに限定されるものではない任意の通信規格またはプロトコルを用いて実行され得る。
【手続補正１６】
【補正対象書類名】明細書
【補正対象項目名】０１６８
【補正方法】変更
【補正の内容】
【０１６８】
表示ユニットＣ−４０は、ユーザによって入力された情報またはユーザに提供された情報および端末の様々なメニューを表示するように構成され得る。表示ユニットＣ−４０は、表示パネルＣ−４１を含み得る。任意選択的に、表示パネルＣ−４１は、液晶ディスプレイ（Ｌｉｑｕｉｄ  Ｃｒｙｓｔａｌ  Ｄｉｓｐｌａｙ，ＬＣＤ）または有機発光ダイオード（Ｏｒｇａｎｉｃ  Ｌｉｇｈｔ−Ｅｍｉｔｔｉｎｇ  Ｄｉｏｄｅ，ＯＬＥＤ）などの形で構成され得る。さらに、タッチパネルＣ−３１は、表示パネルＣ−４１をカバーし得る。タッチパネルＣ−３１で、またはタッチパネルＣ−３１の近くでタッチ操作を検出した後、タッチパネルＣ−３１は、当該タッチ操作をプロセッサＣ−８０に伝送して、タッチイベントの種類を決定し、そしてプロセッサＣ−８０は、当該タッチイベントの種類に基づいて表示パネルＣ−４１に対応する視覚的出力を提供する。図１−６におけるタッチパネルＣ−３１と表示パネルＣ−４１とは、２つの別個のコンポーネントとして用いられ、端末の入力および出力機能を実装する。しかしながら、いくつかの実施形態において、タッチパネルＣ−３１と表示パネルＣ−４１とは統合され、端末の入力および出力機能を実装し得る。
【手続補正１７】
【補正対象書類名】明細書
【補正対象項目名】０１７１
【補正方法】変更
【補正の内容】
【０１７１】
Ｗｉ−Ｆｉは、近距離無線伝送技術に属する。Ｗｉ−ＦｉモジュールＣ−７０を用いて、端末は、ユーザの電子メールの受信および送信、ウェブページのブラウジング、およびストリーミングメディアへのアクセスなどを助けることができる。Ｗｉ−ＦｉモジュールＣ−７０は、ユーザに無線ブロードバンドインターネットへのアクセスを提供する。図１−６はＷｉ−ＦｉモジュールＣ−７０を示すが、Ｗｉ−ＦｉモジュールＣ−７０が端末の必須構成ではなく、要件に基づき、本発明の必須範囲を変更することなく省略され得ることが理解され得る。
【手続補正１８】
【補正対象書類名】明細書
【補正対象項目名】０１７４
【補正方法】変更
【補正の内容】
【０１７４】
図面には示されていないが、端末はさらに、カメラおよびブルートゥース（登録商標）モジュールなどを含み得る。詳細は、本明細書で説明しない。
【手続補正１９】
【補正対象書類名】明細書
【補正対象項目名】０１７８
【補正方法】変更
【補正の内容】
【０１７８】
可能な実装において、車載デバイスは、Ｔ−ｂｏｘ（Ｔｅｌｅｍａｔｉｃｓ  ＢＯＸ，Ｔ−ｂｏｘ）および車載インフォテインメント（Ｉｎ−Ｖｅｈｉｃｌｅ  Ｉｎｆｏｔａｉｎｍｅｎｔ，ＩＶＩ）デバイスを含み得る。可能な実装において、Ｔ−ｂｏｘは、遠隔操作、遠隔診断および緊急通話などの豊富なＴＳＰサービスを車両ユーザに提供するか、またはＩＶＩにデータサービスチャネルを提供し得て、それによりＩＶＩは、オンライン音楽、天気、ニュース、リアルタイムトラヒック、インボックスおよび株などのより多くのオンラインエンタテインメントアプリケーションをサポートできる。本願のこの実施形態において、Ｔ−ｂｏｘは、ＩＶＩにデータサービスチャネルを提供してよく、例えば、Ｌｉｎｕｘ（登録商標）におけるＥＣＭポートにマッピングされたＵＳＢインタフェース、または車載イーサネット（登録商標）インタフェースを用いてよく、あるいは別の接続方法、例えば無線Ｗｉ−Ｆｉ伝送を用いてよい。
【手続補正２０】
【補正対象書類名】明細書
【補正対象項目名】０１８０
【補正方法】変更
【補正の内容】
【０１８０】
Ｔ−ｂｏｘのルーターは、アップリンクおよびダウンリンクデータを実行するように構成される。ダウンリンクデータは、サーバからＴ−ｂｏｘ／ＩＶＩへのデータであり、送信先ＩＰアドレスとポート番号とに基づいて、データパケットが対応するアプリケーションに送られ、処理される。アップリンクデータは、Ｔ−ｂｏｘ／ＩＶＩからサーバへのデータであり、ソースＩＰアドレスに基づいて、対応するＰＤＰセッションを用いてデータパケットが送信される（ＡＰＮ連結）。いくつかの可能な実装において、Ｔ−ｂｏｘは、ＮＡＴによって、ＩＶＩのプライベートＩＰアドレスと外部ＩＰアドレスとの間にマッピング関係を確立して、プライベートＩＰアドレスのデータパケットを外部ＩＰアドレスのデータパケットに変換して、外部ＩＰアドレスのデータパケットをプライベートＩＰアドレスのデータパケットに変換し得る。
【手続補正２１】
【補正対象書類名】明細書
【補正対象項目名】０１８８
【補正方法】変更
【補正の内容】
【０１８８】
Ｔ−ｂｏｘにおけるサービスの場合、Ｔ−ｂｏｘそのものが異なるサービスを識別し得ることを注意すべきである。従って、具体的なサービスの場合、対応するＩＰが選択され、料金パッケージに基づいて送信され得る。しかしながら、ＩＶＩの場合は、ＩＶＩが従来技術におけるＴ−ｂｏｘと通信して関連サービスを実行する必要がある場合、図２−２を参照されたい。図２−２は、従来技術におけるＩＶＩとＴ−ｂｏｘとの間の通信の概略図である。Ｔ−ｂｏｘは１つのプライベートＩＰアドレスのみをＩＶＩに割り当るので、ＩＶＩが関連サービスを実行する場合、Ｔ−ｂｏｘはプライベートＩＰアドレスを用いてのみトラフィックにおける統計を収集する。従って、ＩＶＩにおけるアプリケーションは１つのＡＰＮを用いて送出される。以下は、第１のサービスがサービス１であり、第２のサービスがサービス２であり、第１のＡＰＮがＡＰＮ１であり、第２のＡＰＮがＡＰＮ２であり、第１のプライベートＩＰアドレス１がプライベートＩＰアドレス１であり、第２のプライベートＩＰアドレスがプライベートＩＰアドレス２であり、第１の外部ＩＰアドレス１が外部ＩＰアドレス１であり、第２の外部ＩＰアドレス２が外部ＩＰアドレス２である例を用いて説明される。図２−３は、ＩＶＩのサービス１とサービス２とのデータトラフィックにおける統計を１つのＡＰＮが収集する概略図である。ＩＶＩにおけるアプリケーションは識別することができない。言い換えれば、統計データ収集および課金は、統一されたＡＰＮに基づいてＩＶＩのサービストラフィックにおいて実行される。従って、サービスに基づいて課金を別々に実行することができない。
【手続補正２２】
【補正対象書類名】明細書
【補正対象項目名】０２５４
【補正方法】変更
【補正の内容】
【０２５４】
要するに、可能な実装において、車両オペレータは以下の解決手段を用いる：Ｔ−ｂｏｘは複数の外部ＩＰを事前に構成し、ＩＶＩは複数のプライベートＩＰアドレスを事前に構成する。Ｔ−ｂｏｘ、ＩＶＩおよびＴＳＰを含む車載用のインフォテインメント相互作用システムにおいて、プライベートＩＰアドレス、ＡＰＮおよび外部ＩＰアドレスは一対一の対応関係にある。Ｔ−ｂｏｘは、ＩＶＩのプライベートＩＰアドレスに値を割り当て得る。Ｔ−ｂｏｘは、ＡＰＮで確立されたＰＤＰセッションを用いて、外部ＩＰアドレスに割り当てられた値を取得してよく、プライベートＩＰアドレス、ＡＰＮおよび外部ＩＰアドレスの一対一の対応関係を取得してよい。具体的には、ＩＶＩがプライベートＩＰアドレス１を用いてサービス１を実行する場合、Ｔ−ｂｏｘは、外部ＩＰアドレス１を用いてＡＰＮ１に基づいてＴＳＰと通信する。この場合、ＡＰＮ１はＩＶＩによりサービス１を実行するデータトラフィックにおける統計を収集することができる。ＩＶＩのサービストラフィックにおける統計が分類によって収集され、車両オペレータによりサービス区別された料金パッケージを設ける根拠を提供し、顧客の要件を満たして、より多くのバイヤーを引き付け得ると期待される。当該解決手段の実装は、ＩＶＩサービスのサーバＩＰに依存せず、良好なネットワーク適合性（当該解決手段は、ネットワーク構造とＴＳＰサービスサーバとが変更する場合の影響を受けない）を有する。
【手続補正２３】
【補正対象書類名】明細書
【補正対象項目名】０２８１
【補正方法】変更
【補正の内容】
【０２８１】
本願のこの実施形態において、プライベートＩＰを用いてＩＶＩと通信する場合、Ｔ−ｂｏｘは、２つの外部ＩＰと２つのＡＰＮとを同時に決定して、ＴＳＰと同時に通信し、それにより２つのＡＰＮが異なるサービスのデータトラフィックをそれぞれ計算し得る。ユーザがオンラインでニュースを読むと同時に音楽を聴きたい場合、ここで、ニュースはサービス１に属し、オンライン音楽はサービス２に属し、ＩＶＩは、プライベートＩＰアドレス１とプライベートＩＰアドレス２とを用いて、当該２つのサービスを同時に実行することができる。
【手続補正２４】
【補正対象書類名】明細書
【補正対象項目名】０２８３
【補正方法】変更
【補正の内容】
【０２８３】
コンピュータプログラムプロダクトは、１または複数のコンピュータ命令を含む。コンピュータ命令がコンピュータ上でロードおよび実行されると、本願の実施形態に係る手順または機能の全てまたは一部が生成される。コンピュータは、汎用コンピュータ、専用コンピュータ、コンピュータネットワーク、または別のプログラマブル装置であってよい。コンピュータ命令は、コンピュータ可読記憶媒体に記憶されてよく、または１つのコンピュータ可読記憶媒体から別のコンピュータ可読記憶媒体に伝送されてよい。例えば、コンピュータ命令は１つのウェブサイト、コンピュータ、サーバまたはデータセンタから別のウェブサイト、コンピュータ、サーバまたはデータセンタに、有線（例えば、同軸ケーブル、光ファイバまたはデジタル加入者回線（（ＤＳＬ））または無線（例えば、赤外線、無線またはマイクロ波）方式で伝送され得る。コンピュータ可読記憶媒体は、サーバまたはデータセンタなどのコンピュータにアクセス可能な任意の使用可能な媒体、またはデータストレージデバイスであり、１または複数の使用可能な媒体を統合し得る。使用可能な媒体は、磁気媒体（例えば、フロッピディスク、ハードディスク、または磁気テープ）、光媒体（例えば、ＤＶＤ）または半導体媒体（例えば、ソリッドステートドライブＳｏｌｉｄ−Ｓｔａｔｅ  Ｄｒｉｖｅ（ＳＳＤ））などであり得る。
（項目１）
車載用のサービス相互作用システムに適用されるトラフィック統計収集方法であって、
車載インフォテインメントＩＶＩシステムが第１のサービスを実行する場合、テレマティクスボックスＴ−ｂｏｘが、第１のプライベートＩＰアドレスを用いて上記ＩＶＩと通信する段階と、
上記Ｔ−ｂｏｘが、上記第１のプライベートＩＰアドレスに対応する第１のＡＰＮと第１の外部ＩＰアドレスとを用いてコンテンツプロバイダＴＳＰと通信する段階と、
上記ＩＶＩが第２のサービスを実行する場合、上記Ｔ−ｂｏｘが、第２のプライベートＩＰアドレスを用いて上記ＩＶＩと通信する段階と、
上記Ｔ−ｂｏｘが、上記第２のプライベートＩＰアドレスに対応する第２のＡＰＮと第２の外部ＩＰアドレスとを用いて上記ＴＳＰと通信する段階と
を備える、方法。
（項目２）
上記方法はさらに、
上記Ｔ−ｂｏｘが、上記コンテンツプロバイダＴＳＰにより送信される設定メッセージを上記ＩＶＩに転送する段階であって、上記設定メッセージは、上記第１のサービスは上記第１のＡＰＮに対応し、上記第２のサービスは上記第２のＡＰＮに対応するという内容を含む、転送する段階を備える、
項目１に記載の方法。
（項目３）
上記Ｔ−ｂｏｘは、Ｗｉ−ＦｉまたはＵＳＢによって上記ＩＶＩに接続される、
項目１または２に記載の方法。
（項目４）
上記第１のサービスまたは上記第２のサービスは、トラフィックフリーサービスまたはトラフィック課金サービスである、
項目１から３の何れか一項に記載の方法。
（項目５）
上記方法はさらに、
上記Ｔ−ｂｏｘが、上記第１のプライベートＩＰアドレスと上記第１のＡＰＮと上記第１の外部ＩＰアドレスとが対応し、上記第２のプライベートＩＰアドレスと上記第２のＡＰＮと上記第２の外部ＩＰアドレスが対応することを決定する段階を備える、
項目１から４の何れか一項に記載の方法。
（項目６）
上記方法はさらに、上記Ｔ−ｂｏｘが、上記第１のプライベートＩＰアドレスと上記第２のプライベートＩＰアドレスとを上記ＩＶＩに割り当てる段階を備える、
項目１から５の何れか一項に記載の方法。
（項目７）
車載用のサービス相互作用システムに適用されるトラフィック統計収集方法であって、
ＩＶＩが第１のサービスを実行する場合、上記ＩＶＩが、第１のプライベートＩＰアドレスを用いて上記Ｔ−ｂｏｘと通信することにより、上記Ｔ−ｂｏｘが、上記第１のプライベートＩＰアドレスに対応する第１のＡＰＮと第１の外部ＩＰアドレスとを用いてコンテンツプロバイダＴＳＰと通信する段階と、
上記ＩＶＩが第２のサービスを実行する場合、上記ＩＶＩが、第２のプライベートＩＰアドレスを用いて上記Ｔ−ｂｏｘと通信することにより、上記Ｔ−ｂｏｘが、上記第２のプライベートＩＰアドレスに対応する第２のＡＰＮと第２の外部ＩＰアドレスとを用いて上記ＴＳＰと通信する段階と
を備える、方法。
（項目８）
上記方法はさらに、
上記ＩＶＩが、上記ＴＳＰにより送信され、かつ上記Ｔ−ｂｏｘにより転送される設定メッセージを受信する段階であって、上記設定メッセージは、上記第１のサービスが上記第１のＡＰＮに対応し、上記第２のサービスが上記第２のＡＰＮに対応する内容を含む、受信する段階を備える、
項目７に記載の方法。
（項目９）
上記Ｔ−ｂｏｘは、Ｗｉ−ＦｉまたはＵＳＢによって上記ＩＶＩに接続される、
項目７または８に記載の方法。
（項目１０）
上記第１のサービスまたは上記第２のサービスは、トラフィックフリーサービスとトラフィック課金サービスとである、
項目７から９の何れか一項に記載の方法。
（項目１１）
上記方法はさらに、上記ＩＶＩが、上記Ｔ−ｂｏｘにより割り当てられた上記第１のプライベートＩＰアドレスと上記第２のプライベートＩＰアドレスとを受信する段階を備える、
項目７から１０の何れか一項に記載の方法。
（項目１２）
上記方法はさらに、
上記ＩＶＩが、上記第１のプライベートＩＰアドレスは上記第１のＡＰＮに対応し、上記第２のプライベートＩＰアドレスは上記第２のＡＰＮに対応することを決定する段階を備える、
項目７から１１の何れか一項に記載の方法。
（項目１３）
車載用のサービス相互作用システムに適用されるテレマティクスボックスであって、
ＩＶＩが第１のサービスを実行する場合、第１のプライベートＩＰアドレスを用いて上記ＩＶＩと通信するように構成されたプライベートネットワーク通信モジュールと、
上記第１のプライベートＩＰアドレスに対応する第１のＡＰＮと第１の外部ＩＰアドレスとを用いてコンテンツプロバイダＴＳＰと通信するように構成される外部ネットワーク通信モジュールと
を備え、
上記プライベートネットワーク通信モジュールはさらに、上記ＩＶＩが第２のサービスを実行する場合、第２のプライベートＩＰアドレスを用いて上記ＩＶＩと通信するように構成され、
上記外部ネットワーク通信モジュールはさらに、上記第２のプライベートＩＰアドレスに対応する第２のＡＰＮと第２の外部ＩＰアドレスとを用いて上記ＴＳＰと通信するように構成される、
テレマティクスボックス。
（項目１４）
上記テレマティクスボックスはさらに、
上記ＴＳＰにより送信された設定メッセージを上記ＩＶＩに転送するように構成された送受信モジュールを備え、上記設定メッセージは、上記第１のサービスは上記第１のＡＰＮに対応し、上記第２のサービスは上記第２のＡＰＮに対応するという内容を含む、
項目１３に記載のテレマティクスボックス。
（項目１５）
上記テレマティクスボックスはさらに、
上記第１のプライベートＩＰアドレスと上記第１のＡＰＮと上記第１の外部ＩＰアドレスとが互いに対応し、上記第２のプライベートＩＰアドレスと上記第２のＡＰＮと上記第２の外部ＩＰアドレスとが互いに対応することを決定するように構成されるプロセッサを備える、
項目１３または１４に記載のテレマティクスボックス。
（項目１６）
上記プロセッサはさらに、上記第１のプライベートＩＰアドレスと上記第２のプライベートＩＰアドレスとを上記ＩＶＩに割り当てるように構成される、
項目１３から１５の何れか一項に記載のテレマティクスボックス。
（項目１７）
車載用のサービス相互作用システムに適用される車載インフォテインメントシステムであって、
第１のサービスおよび／または第２のサービスを実行するように構成されるプロセッサと、
上記プロセッサが上記第１のサービスを実行する場合、第１のプライベートＩＰアドレスを用いてＴ−ｂｏｘと通信することにより、上記Ｔ−ｂｏｘが、上記第１のプライベートＩＰアドレスに対応する第１のＡＰＮと第１の外部ＩＰアドレスとを用いてコンテンツプロバイダＴＳＰと通信するように構成される通信モジュールと
を備え、
上記通信モジュールはさらに、上記プロセッサが上記第２のサービスを実行する場合、第２のプライベートＩＰアドレスを用いて上記Ｔ−ｂｏｘと通信することにより、上記Ｔ−ｂｏｘが上記第２のプライベートＩＰアドレスに対応する第２のＡＰＮと第２の外部ＩＰアドレスとを用いて上記ＴＳＰと通信するように構成される、
車載インフォテインメントシステム。
（項目１８）
上記車載インフォテインメントシステムはさらに、
上記ＴＳＰにより送信され、かつ上記Ｔ−ｂｏｘにより転送される設定メッセージを受信するように構成される送受信モジュールを備え、上記設定メッセージは、上記第１のサービスは上記第１のＡＰＮに対応し、上記第２のサービスは上記第２のＡＰＮに対応する内容を含む、
項目１７に記載の車載インフォテインメントシステム。
（項目１９）
上記送受信モジュールはさらに、
上記Ｔ−ｂｏｘにより割り当てられた上記第１のプライベートＩＰアドレスと上記第２のプライベートＩＰアドレスとを受信するように構成される、
項目１７または１８に記載の車載インフォテインメントシステム。
（項目２０）
上記プロセッサはさらに、上記第１のプライベートＩＰアドレスが上記第１のＡＰＮに対応し、上記第２のプライベートＩＰアドレスが上記第２のＡＰＮに対応することを決定するように構成される、
項目１７から１９の何れか一項に記載の車載インフォテインメントシステム。
（項目２１）
車載用のサービス相互作用システムに適用されるテレマティクスボックスであって、
１つまたは複数のプロセッサと、
メモリと、
複数のアプリケーションプログラムと、
１つまたは複数のプログラムと
を備え、
上記１つまたは複数のプログラムは上記メモリに記憶され、上記１つまたは複数のプログラムは命令を含み、上記命令が上記電子デバイスにより実行される場合、上記電子デバイスは、
車載インフォテインメントＩＶＩシステムが第１のサービスを実行する場合、第１のプライベートＩＰアドレスを用いて上記ＩＶＩと通信する段階と、
上記第１のプライベートＩＰアドレスに対応する第１のＡＰＮと第１の外部ＩＰアドレスとを用いてコンテンツプロバイダＴＳＰと通信する段階と、
上記ＩＶＩが第２のサービスを実行する場合、第２のプライベートＩＰアドレスを用いて上記ＩＶＩと通信する段階と、
上記第２のプライベートＩＰアドレスに対応する第２のＡＰＮと第２の外部ＩＰアドレスとを用いて上記ＴＳＰと通信する段階と
を実行することが可能になる、
テレマティクスボックス。
（項目２２）
上記少なくとも１つのプロセッサがいくつかの上記命令を実行することにより、上記入力デバイスはさらに、
上記ＴＳＰにより送信された設定メッセージを上記ＩＶＩに転送する段階であって、上記設定メッセージは、上記第１のサービスが上記第１のＡＰＮに対応し、上記第２のサービスが上記第２のＡＰＮに対応する内容を含む、転送する段階を実行する、
項目２１に記載のテレマティクスボックス。
（項目２３）
上記少なくとも１つのプロセッサがいくつかの上記命令を実行することにより、上記入力デバイスはさらに、
上記第１のプライベートＩＰアドレスと上記第１のＡＰＮと上記第１の外部ＩＰアドレスとが互いに対応し、上記第２のプライベートＩＰアドレスと上記第２のＡＰＮと上記第２の外部ＩＰアドレスとが互いに対応することを決定する段階を実行する、
項目２１または２２に記載のテレマティクスボックス。
（項目２４）
上記少なくとも１つのプロセッサが上記いくつかの命令を実行することにより、上記入力デバイスはさらに、
上記第１のプライベートＩＰアドレスと上記第２のプライベートＩＰアドレスとを上記ＩＶＩに割り当てる段階を実行する、
項目２１から２３の何れか一項に記載のテレマティクスボックス。
（項目２５）
車載用のサービス相互作用システムに適用される車載インフォテインメントシステムであって、
１つまたは複数のプロセッサと、
メモリと、
複数のアプリケーションプログラムと、
１つまたは複数のプログラムと
を備え、
上記１つまたは複数のプログラムは上記メモリに記憶され、上記１つまたは複数のプログラムは命令を含み、上記命令が上記電子デバイスにより実行される場合、上記電子デバイスは、
ＩＶＩが第１のサービスを実行する場合、第１のプライベートＩＰアドレスを用いてＴ−ｂｏｘと通信することにより、上記Ｔ−ｂｏｘが、上記第１のプライベートＩＰアドレスに対応する第１のＡＰＮと第１の外部ＩＰアドレスとを用いてコンテンツプロバイダＴＳＰと通信する段階と、
上記ＩＶＩが第２のサービスを実行する場合、第２のプライベートＩＰアドレスを用いて上記Ｔ−ｂｏｘと通信することにより、上記Ｔ−ｂｏｘが、上記第２のプライベートＩＰアドレスに対応する第２のＡＰＮと第２の外部ＩＰアドレスとを用いて上記ＴＳＰと通信する段階と
を実行することが可能になる、
車載インフォテインメントシステム。
（項目２６）
上記少なくとも１つのプロセッサがいくつかの上記命令を実行することにより、上記入力デバイスはさらに、
上記ＴＳＰにより送信され、かつ上記Ｔ−ｂｏｘにより転送される設定メッセージを受信する段階であって、上記設定メッセージは、上記第１のサービスが上記第１のＡＰＮに対応し、上記第２のサービスが上記第２のＡＰＮに対応する内容を含む、受信する段階を実行する、
項目２５に記載の車載インフォテインメントシステム。
（項目２７）
上記少なくとも１つのプロセッサがいくつかの上記命令を実行することにより、上記入力デバイスはさらに、
上記Ｔ−ｂｏｘにより割り当てられた上記第１のプライベートＩＰアドレスと上記第２のプライベートＩＰアドレスとを受信する段階を実行する、
項目２５または２６に記載の車載インフォテインメントシステム。
（項目２８）
上記少なくとも１つのプロセッサがいくつかの上記命令を実行することにより、上記入力デバイスはさらに、
上記第１のプライベートＩＰアドレスが上記第１のＡＰＮに対応し、上記第２のプライベートＩＰアドレスが上記第２のＡＰＮに対応することを決定する段階を実行する、
項目２５から２７の何れか一項に記載の車載インフォテインメントシステム。
（項目２９）
上記コンピュータプログラムプロダクトが電子デバイス上で動作する場合、テレマティクスボックスが、項目１から６の何れか一項に記載の方法を実行することが可能になる、
コンピュータプログラムプロダクト。
（項目３０）
上記コンピュータプログラムプロダクトが電子デバイス上で動作する場合、車載インフォテインメントシステムが、項目７から１２の何れか一項に記載の方法を実行することが可能になる、
コンピュータプログラムプロダクト。
（項目３１）
命令を備えるコンピュータ可読記憶媒体であって、上記命令が電子デバイス上で動作する場合、上記テレマティクスボックスは、項目１から６の何れか一項に記載の方法を実行することが可能になる、
コンピュータ可読記憶媒体。
（項目３２）
命令を備えるコンピュータ可読記憶媒体であって、上記命令が電子デバイス上で動作する場合、上記車載インフォテインメントシステムは、項目７から１２の何れか一項に記載の方法を実行することが可能になる、
コンピュータ可読記憶媒体。
【手続補正２５】
【補正対象書類名】図面
【補正対象項目名】図１−３
【補正方法】変更
【補正の内容】
【図１−３】
2020532161.tif 000036
【国際調査報告】
2020532161.tif 000037
2020532161.tif 000038
2020532161.tif 000039
2020532161.tif 000040